(57)【要約】      （修正有）【課題】消費者向け製品の取り付けシステムのための除去可能なモジュールを提供する。【解決手段】除去可能なモジュール１０２は、実質的に平坦な頂面を有する第１部分と、実質的に非平坦な底面を有する第２部分とを含むロックメカニズムを備えている。第１部分及び第２部分は、互いに結合される。又、ロックメカニズムは、第１部分と第２部分との間に結合された第１のスプリングメカニズムも含む。第１のスプリングメカニズムは、第１部分を第２部分から離れるようにバイアスさせる。又、ロックメカニズムは、第２のスプリングメカニズムも含む。第２のスプリングメカニズムは、第１部分の実質的に平坦な頂面を除去可能なモジュールに対して実質的に平らにバイアスさせ、且つ第２部分の実質的に非平坦な底面を除去可能なモジュールに対して盛り上がるようにバイアスさせる。【選択図】図１Ａ
0003203984.tif 000002
【実用新案登録請求の範囲】
【請求項１】
消費者向け製品に付属品を固定するための除去可能なモジュールにおいて、
本体部分を備え、該本体部分は、
頂面、
底面、
頂面から底面へ移行する丸み付けされた縁、及び
本体部分により画成される孔、
を含むものであり、更に、
前記孔に配置されたロックメカニズムを備え、該ロックメカニズムは、
前記本体部分の頂面に配置されたキャッチ部材であって、前記除去可能なモジュールが消費者向け製品に対してスライドするときに第１位置から第２位置へ移動するようにされたキャッチ部材、
を含むものである、除去可能なモジュール。
【請求項２】
前記ロックメカニズムは、更に、前記本体部分の底面に配置された傾斜部を含み、前記キャッチ部材は、この傾斜部に移動可能に結合される、請求項１に記載の除去可能なモジュール。
【請求項３】
前記キャッチ部材と傾斜部との間に配置されたスプリングメカニズムを更に備えた、請求項２に記載の除去可能なモジュール。
【請求項４】
前記キャッチ部材は、前記本体部分の頂面に対して実質的に平らであり、そして前記傾斜部は、前記キャッチ部材が第１位置にあるとき前記本体部分の底面から突出する、請求項２に記載の除去可能なモジュール。
【請求項５】
前記本体部分の頂面及び前記本体部分の底面の少なくとも１つに配置された１つ以上の摩擦パッドを更に備えた、請求項１に記載の除去可能なモジュール。
【請求項６】
前記付属品は、前記本体部分の少なくとも一部分に除去可能に結合される、請求項１に記載の除去可能なモジュール。
【請求項７】
前記本体部分は、前記付属品に少なくとも部分的に一体化される、請求項１に記載の除去可能なモジュール。
【請求項８】
前記本体部分は、前記付属品に嵌合するように構成されたブラケットを含む、請求項１に記載の除去可能なモジュール。
【請求項９】
前記頂面及び底面の少なくとも一方は丸み付けされる、請求項１に記載の除去可能なモジュール。
【請求項１０】
前記付属品は１つ以上の摩擦パッドを含む、請求項１に記載の除去可能なモジュール。
【請求項１１】
消費者向け製品の取り付けシステムのための除去可能なモジュールにおいて、
本体部分を備え、該本体部分は、
頂面、
底面、
頂面の第１の側と底面の第１の側との間の第１側壁、
頂面の第２の側と底面の第２の側との間の第２側壁、
を含むものであり、前記第１側壁は、第１寸法を有し、そして前記第２側壁は、その第１寸法より大きい第２寸法を有し、更に、
前記本体部分に少なくとも部分的に配置されるロックメカニズム、
を備えた除去可能なモジュール。
【請求項１２】
前記第１の移行壁は実質的に平坦である、請求項１１に記載の除去可能なモジュール。
【請求項１３】
前記第２の移行壁は、実質的に非平坦である、請求項１１に記載の除去可能なモジュール。
【請求項１４】
前記ロックメカニズムは、
前記本体部分の頂面に配置されたキャッチ部材、及び
前記本体部分の底面に配置された傾斜部材、
を備え、傾斜部材は、キャッチ部材に移動可能に結合される、請求項１１に記載の除去可能なモジュール。
【請求項１５】
前記ロックメカニズムは、更に、
前記キャッチ部材と傾斜部材との間に配置された第１のスプリングメカニズム、及び
前記キャッチ部材と傾斜部材との間に配置された第２のスプリングメカニズム、
を備えている、請求項１４に記載の除去可能なモジュール。
【請求項１６】
前記第２のスプリングメカニズムは、前記キャッチ部材の頂面を前記本体の頂面に対して実質的に平らにバイアスさせ、及び
前記第２のスプリングメカニズムは、前記傾斜部材の少なくとも一部分を前記本体の底面に対して盛り上がるようにバイアスさせる、
請求項１５に記載の除去可能なモジュール。
【請求項１７】
前記第１のスプリングメカニズムは、前記傾斜部材の作動に応答して前記キャッチ部材を前記本体の頂面から突出させる、請求項１５に記載の除去可能なモジュール。
【請求項１８】
前記除去可能なモジュールに除去可能に結合された付属品を更に備えた、請求項１１に記載の除去可能なモジュール。
【請求項１９】
前記除去可能なモジュールと一体化された付属品を更に備えた、請求項１１に記載の除去可能なモジュール。
【請求項２０】
前記頂面及び底面の少なくとも一方に配置された１つ以上の摩擦パッドを更に備えた、請求項１１に記載の除去可能なモジュール。
【請求項２１】
消費者向け製品のための取り付けシステムの除去可能なモジュールにおいて、
頂面及び底面を有する本体、
頂面及び底面を接続する丸み付けされた縁、及び
ロックメカニズム、
を備え、前記ロックメカニズムは、
実質的に平坦な頂面を有するキャッチ部材、
前記キャッチ部材に移動可能に結合された傾斜部材であって、実質的に非平坦な底面を有する傾斜部材、及び
前記キャッチ部材と傾斜部材との間に結合された第１のスプリングメカニズム、
を含むものであり、前記第１のスプリングメカニズムは、前記キャッチ部材を傾斜部材から離れるようにバイアスさせる、除去可能なモジュール。
【請求項２２】
第２のスプリングメカニズムを更に備え、該第２のスプリングメカニズムは、前記キャッチ部材の頂面を前記本体の頂面に対して実質的に平らになるようにさせ、且つ前記傾斜部材の底面を前記本体の底面から突出させる、請求項２１に記載の除去可能なモジュール。
【請求項２３】
前記傾斜部材は、前記キャッチ部材の１つ以上の側壁に配置された対応孔に嵌合される１つ以上の突起を含む、請求項２１に記載の除去可能なモジュール。
【請求項２４】
前記傾斜部材は、前記傾斜部材とキャッチ部材との間に前記第１のスプリングメカニズムを固定する１つ以上の隆起部を含む、請求項２１に記載の除去可能なモジュール。
【請求項２５】
前記本体の頂面及び前記本体の底面の少なくとも一方に配置された１つ以上の摩擦パッドを更に備えた、請求項２１に記載の除去可能なモジュール。
【請求項２６】
前記キャッチ部材は、前記頂面の周りに少なくとも部分的に配置された面取りされた縁を含む、請求項２１に記載の除去可能なモジュール。
【請求項２７】
前記第１のスプリングメカニズムは、前記傾斜部材の作動に応答して、前記キャッチ部材の頂面が前記除去可能なモジュールの本体に対して実質的に平らになる第１位置から、前記キャッチ部材の頂面が前記除去可能なモジュールの本体から突出する第２位置へ前記キャッチ部材を移動させる、請求項２１に記載の除去可能なモジュール。
【請求項２８】
前記キャッチ部材は、前記第２位置にあるとき前記取り付けシステム内のくぼみに受け入れられるように構成される、請求項２７に記載の除去可能なモジュール。
【請求項２９】
前記本体は、そこから延びる１つ以上のアームを含む、請求項２１に記載の除去可能なモジュール。
【請求項３０】
前記本体の巾は、第１の側から第２の側へ増加する、請求項２１に記載の除去可能なモジュール。
【考案の詳細な説明】
【技術分野】
【０００１】
関連出願の相互参照：本出願は、２０１４年８月１１日に出願された“Attachment System for an Electronic Device”と題する米国プロビジョナル特許出願第６２／０３６，０８０号、２０１４年９月８日に出願された“Wearable Electronic Device and an Attachment System for Coupling Objects to the Wearable Electronic Device”と題する米国プロビジョナル特許出願第６２／０４７，６２５号、及び２０１５年３月８日に出願された“Attachment System for an Electronic Device”と題する米国プロビジョナル特許出願第６２／１２９，８９１号の利益を主張するもので、それら各々の開示は、参考としてここにそのまま援用される。
【０００２】
本考案は、一般的に、２つの物体を一緒に結合するための取り付けシステムに関するもので、より詳細には、消費者向け製品のための取り付けシステムに関する。
【背景技術】
【０００３】
時計、カメラ、電話、財布及びメガネのような消費者向け製品には、１つ以上の付属品が取り付けられている。それらを取り付ける方法は、広く異なる。しかしながら、それらは、典型的に、同じでないまでも同様の欠点に悩まされている。例えば、多くの消費者向け製品は、典型的に、ユーザに馴染み易い取り付けシステムを備えていない。あるものは、特殊なツールを要求し、そして他のものは、消費者向け製品を店に持ち込んで、付属品を除去し、固定し又は交換することも要求する。更に、製品にユーザ指向の取り付けメカニズムがあるときでも、それらは、充分な保持力を与えない。保持力が充分であるときでも、使用するメカニズムが極めて頑健で且つ大きく、従って、消費者向け製品の優雅さに悪影響が及ぶことがある。
【考案の概要】
【考案が解決しようとする課題】
【０００４】
一例において、腕時計は、典型的に、ケース及びバンドを備えている。ケースは、フェースを含む腕時計のコンポーネント又はメカニズムを支持する。バンドは、ケースから離れるように延びて、ユーザの腕に巻き付けることができる。バンドは、ケースと一体的でもよい。しかしながら、ほとんどの場合に、バンドは、ケースに取り付けられる個別部品である。例えば、ケースは、バンドを捕らえてバンドをケースに取り付けるピンを含む。バンドをケースから取り外すには、ピンを除去する必要がある。ある例において、バンドの除去は、特殊なツールで行われる。しかしながら、多くの場合に、ユーザは、バンドを取り外すために専門店を訪問するか又は専門家の助言を必要とする。
【０００５】
別の例において、アイガラス、電子ガラス、サングラス、等のメガネは、つる又は幹がフレームから延びている。つる又は幹は、ネジ、ピン又は他のそのようなメカニズムによりフレームに結合される。しかしながら、腕時計と同様に、つる又は幹をフレームから取り外し及び／又はそこに固定するには特殊なツールが要求される。
【０００６】
更に別の例では、他の電子装置が紐又は他のタイプのバンド又は付属品に結合される。例えば、カメラ、リモートコントローラ、ゲームコントローラ、等は、ハウジングに取り付けられた紐を有する。しかしながら、紐をハウジングに取り付けるのは困難である。というのは、典型的に、紐の一部分を電子装置のハウジング内の小さな開口に挿入する必要があるためである。この例では、上述した他の例と同様に、紐又は他のそのような付属品が、安全でもなく審美的に満足でもない仕方で電子装置又は消費者向け製品に取り付けられる。
【０００７】
これら及び他の一般的な事柄に対して、本考案の実施形態が形成された。比較的特定の問題について述べたが、ここに述べる実施形態は、この背景に示した特定の問題の解決に限定されないことを理解されたい。
【課題を解決するための手段】
【０００８】
ここに述べる概要は、概念の選択を簡単な形態で紹介するもので、それら概念は、以下の詳細な説明において更に詳細に述べられる。又、この概要は、請求の範囲に述べる要旨の重要な特徴又は本質的な特徴を示すものでもないし、請求の範囲に述べる要旨の範囲を決定する上で助けとして使用されるものでもない。
【０００９】
消費者向け製品のための取り付けシステムがここに提供される。以下に詳細に述べるように、取り付けシステムは、物品、物体、付属品、等を消費者向け製品に結合するのに使用される。例えば、物体、物品又は付属品は、カバー、紐、バンド、ストラップ、チェーン、ドック、等である。同様に、消費者向け製品は、電子装置、機械的装置、電気機械的装置、等である。従って、取り付けシステムは、物品に結合され、更に、物品を消費者向け製品に固定するのに使用される。又、取り付けシステムは、消費者向け製品から除去され、これにより、物品を消費者向け製品から除去する。
【００１０】
物品、取り付けシステム及び消費者向け製品は、物品、取り付けシステム及び消費者向け製品の各々を互いに交換できるようにする生態系を構成する。従って、単一の取り付けシステムを種々の物品及び種々の消費者向け製品と共に使用できる。同様に、種々の物品を種々の取り付けシステム及び種々の消費者向け製品と共に使用できる。物品が取り付けシステムに結合されたとき、物品及び取り付けシステムの組み合わせを、取り付けシステム及び物品の別の組み合わせと交換することができる。このように、異なる特性を有する物品（バンドのような）を、単一の消費者向け製品とマッチングさせ又はそれと共に使用して、バンドを容易に且つ効率的に切り換え又はスワップすることができる。環境的な相違、動作特性、機能的特性、見掛け、等を考慮するために、あるバンドを別のものに切り換えることができる。
【００１１】
更に、消費者向け製品は、複数の消費者向け製品を所与のバンドに結合するように切り換えできるが、必ずしも同時でなくてもよい。バンドは、一例として、バンド及びメディアプレーヤの一方又は両方に関連した取り付けシステムを通してメディアプレーヤに接続される。メディアプレーヤは、バンドから除去され、そして同じ取り付けシステム、取り付けシステムのコンポーネント、又は適合する取り付けシステムを使用して、ポータブルヘルスモニタ又はタイムキープ装置がバンドに取り付けられる。
【００１２】
バンド、消費者向け製品及び他のそのような装置の相互運用性は、共通の取り付けシステムにより促進される。より詳細には、相互運用性は、取り付けシステムの除去可能なモジュールにより促進される。例えば、取り付けシステムの除去可能なモジュールは、消費者向け製品の受け入れモジュールに受け入れられると共に、嵌合構造体を使用して物品に結合される。消費者向け製品にわたる受け入れモジュールの共通性及び物品にわたる嵌合構造体の共通性を維持することにより、相互運用性、機能性及び選択性が促進される。これは、バンドが両端に嵌合構造体を有すると仮定すれば、バンドを使用して２つの消費者向け製品を互いに物理的に接続することを含めて、種々の独特の使用ケースを許す。同様に、取り付けシステムにより使用される共通の嵌合構造体を各々有する物体のグループ（バンド、付属品、紐、チェーン、チャージメカニズム、データ転送メカニズム、ケーブル、スタンド、支持体、構造体、等）と、取り付けシステムの除去可能なモジュールを受け入れる共通の受け入れモジュールを各々有する消費者向け製品のグループとを設けることにより、物体及び装置の生態系が形成されて、高い選択性、融通性、動作性、及び相互運用性をユーザに与えることができる。
【００１３】
従って、ここに述べるように、除去可能なモジュールを有する取り付けシステムが開示される。除去可能なモジュールは、消費者向け製品のハウジングの孔、溝又はチャンネルに受け入れられる。除去可能なモジュールが孔、溝又はチャンネルに対してスライドされると、除去可能なモジュールは、除去可能なモジュールの本体に位置されたスプリングバイアスのロックメカニズムで孔、溝又はチャンネル内に位置がロックされる。より詳細には、スプリングバイアスのロックメカニズムの一部分が孔、溝又はチャンネル内の開口に受け入れられ、除去可能なモジュールを消費者向け製品のハウジング内にロックする。
【００１４】
電子装置の取り付けシステムのためのロックメカニズムも開示される。ロックメカニズムは、取り付けシステムの除去可能なモジュールの本体に含まれるか又は他の仕方で保持される。ロックメカニズムは、第１部分と、該第１部分に結合された第２部分とを含む。第１部分は、第２部分から離れるようにスプリングバイアスされ、且つ除去可能なモジュールの本体に対して実質的に平らにスプリングバイアスされる。第２部分も、第１部分から離れるようにスプリングバイアスされ、且つ除去可能なモジュールの本体に対して盛り上がるようにスプリングバイアスされる。
【００１５】
消費者向け製品の取り付けシステムのためのロックメカニズムが開示される。このロックメカニズムは、実質的に平坦な頂面を有する第１部分と、該第１部分に結合された第２部分とを含む。第２部分は、実質的に非平坦な底面を有する。ロックメカニズムの第１部分は、第２部分から離れるようにスプリングバイアスされる。更に、第１部分の実質的に平坦な頂面は、取り付けシステムの除去可能なモジュールの本体に対して実質的に平らにスプリングバイアスされ、そして第２部分の実質的に非平坦な底面は、取り付けシステムの除去可能なモジュールの本体に対して盛り上がるようにスプリングバイアスされる。
【００１６】
又、消費者向け製品の取り付けシステムのための除去可能なモジュールも開示される。除去可能なモジュールは、近方端及び遠方端を有する本体を含む。近方端及び遠方端の少なくとも一方は、消費者向け製品のハウジングのチャンネルに挿入されるように構成される。除去可能なモジュールの本体は、ロックメカニズムを含む。ロックメカニズムは、実質的に平坦な頂面を有するラッチと、実質的に非平坦な底面を有する傾斜部とを備えている。傾斜部及びラッチは、傾斜部に配置されるか又はそれに関連したフランジを使用して一緒に結合される。又、ロックメカニズムは、ラッチと傾斜部との間に結合された第１のスプリングメカニズム、及び傾斜部と本体の内面との間に結合された第２のスプリングメカニズムを備えている。第２のスプリングメカニズム、及びタッチと傾斜部の結合は、ラッチの実質的に平坦な頂面を除去可能なモジュールの本体に対して実質的に平らにバイアスさせる。又、第２のスプリングメカニズムは、傾斜部の実質的に非平坦な底面を、除去可能なモジュールの本体に対して盛り上がるようにバイアスさせる。
【００１７】
又、取り付けシステムの除去可能なモジュールを消費者向け製品のハウジングのチャンネルに挿入する方法も開示される。この方法は、除去可能なモジュールの第１部分を消費者向け製品のハウジングのチャンネルに挿入することを含む。除去可能なモジュールは、除去可能なモジュールに対して実質的に平らにスプリングバイアスされる第１部分と、除去可能なモジュールに対して盛り上がるようにスプリングバイアスされる第２部分とを有するロックメカニズムを備えている。除去可能なモジュールは、チャンネル内へスライドするように構成される。除去可能なモジュールのスライドアクションは、ロックメカニズムの第１部分をチャンネルに入れて、取り付けシステムに対して実質的に平らなままにさせる。又、このスライドアクションは、ロックメカニズムの第２部分をチャンネルによって圧縮させて、ロックメカニズムの第２部分が除去可能なモジュールに受け入れられそして除去可能なモジュールに対して実質的に平らになるようにする。スライドアクションが続くと、ロックメカニズムの第１部分は、それがチャンネルのくぼみに接近するときにそのくぼみに受け入れられる。
【００１８】
取り付けシステムの除去可能なモジュールを消費者向け製品のハウジング内に固定するスプリングバイアス型ロックメカニズムが開示される。このロックメカニズムは、キャッチ部材と、該キャッチ部材に結合された傾斜部とを備えている。キャッチ部材は、実質的に平坦な表面を有するが、傾斜部は、実質的に非平坦な表面を有する。キャッチ部材と、傾斜部との間には、第１のスプリングメカニズム及び第２のスプリングメカニズムが固定され、これは、キャッチ部材を傾斜部から離れるようにバイアスして、ロックメカニズムが伸張状態になるようにする。第２のスプリングメカニズムは、キャッチ部材を除去可能なモジュールに対して平らにバイアスさせると共に、傾斜部を除去可能なモジュールに対して盛り上がるようにバイアスさせる。
【００１９】
取り付けシステムの除去可能なモジュールも開示される。この除去可能なモジュールは、丸み付けされた頂面及び丸み付けされた底面を有する細長い本体を備えている。細長い本体を貫通する孔が配置される。この孔は、ロックメカニズムを受け入れる開口を画成する。更に、この孔は、第１の張出部及び第２の張出部を含む。第１の張出部は、ロックメカニズムの第１部分を孔内の第１位置に保持し、そして第２の張出部は、ロックメカニズムの第２部分を孔内の第２位置に保持するように構成される。孔内の第１位置は、穴内の第２位置に対向している。ロックメカニズムの第２部分は、ロックメカニズムの第１部分及び孔の第２の張出部に向かう第１方向に作動される。このようなロックメカニズムの第２部分の作動は、ロックメカニズムの第１部分を、第１の張出部及びロックメカニズム第２部分から離れるように伸張させる。
【００２０】
又、取り付けシステムの除去可能なモジュールも開示される。この除去可能なモジュールは、近方端及び遠方端を有する細長い本体より成る。又、除去可能なモジュールは、この細長い本体の軸を通して配置されたキャッチ部材及び傾斜部を有するスプリングバイアスされたロックメカニズムも備えている。ロックメカニズムのキャッチ部材は、細長い本体の第１の側に対して実質的に平らにスプリングバイアスされ、そしてロックメカニズムの傾斜部は、細長い本体の第２の側に対して盛り上がるようスプリングバイアスされる。
【００２１】
又、消費者向け製品のハウジングのための解除メカニズムも開示される。この消費者向け製品のハウジングのための解除メカニズムは、実質的に平坦な頂面を有する作動部材を備えている。又、解除メカニズムは、作動部材に嵌合するように構成されたプランジャー部材も備えている。又、解除メカニズムは、作動部材とプランジャー部材との間に配置された１つ以上のスプリングメカニズムを備えている。１つ以上のスプリングメカニズムは、作動部材の実質的に平坦な頂面を、ハウジングに対して実質的に平らに且つプランジャー部材から離れるようにバイアスさせる。ある実施形態では、解除メカニズムは、ハウジング内に配置された取り付けシステムのロックメカニズムと相互作用するように構成される。より詳細には、解除メカニズムの作動部材が作動されるときに、解除メカニズムは、ロックメカニズムの少なくとも一部分を圧縮して、取り付けシステムをハウジング内でスライドできるようにする。
【００２２】
消費者向け製品のためのハウジングも開示される。このハウジングは、ハウジングの長さに少なくとも一部分沿って配置されたチャンネルを備えている。ある実施形態では、チャンネルは、近方端及び遠方端の１つ以上に開口を有する。チャンネルの各開口は、取り付けシステムの近方端又は遠方端を受け入れるように構成される。又、１つ以上の実施形態では、チャンネルの第１部分にスルーホールが配置される。このスルーホールは、解除メカニズムを受け入れるように構成され、そして少なくとも１つの張出部を含む。その少なくとも１つの張出部は、解除メカニズムの少なくとも一部分を第１位置に保持するように構成される。又、スルーホールは、解除メカニズムの一部分、及び取り付けシステムのスプリングバイアスされたロックメカニズムの一部分を受け入れるように構成されたくぼみも含む。
【００２３】
本開示の１つ以上の付加的な実施形態は、消費者向け製品のためのハウジングに向けられる。このハウジングは、ハウジングの側壁に沿ったチャンネルを備えている。このチャンネルは、近方端の開口及び遠方端の開口を含む。近方端及び遠方端の各々の開口は、取り付けシステムの少なくとも一部分を受け入れるように構成される。又、チャンネルは、取り付けシステムのスプリングバイアスされたロックメカニズムを受け入れるように構成されたくぼみも含む。このくぼみは、それに含まれる解除メカニズムの少なくとも一部分が、解除メカニズムの作動に応答して、スプリングバイアスされたロックメカニズムをくぼみ内から追放するように構成されている。
【００２４】
又、本開示は、消費者向け製品のハウジングのチャンネル内に配置された取り付けシステムについても説明する。このハウジングは、解除メカニズムを備えている。解除メカニズムの少なくとも一部分は、チャンネルのくぼみ内に位置される。この取り付けシステムは、圧縮性ロックメカニズムを備え、その少なくとも一部分は、チャンネルのくぼみ内に受け入れられるように構成される。くぼみ内に収容される解除メカニズムの部分は、解除メカニズムの作動に応答して、スプリングバイアスされたロックメカニズムをくぼみから追放するように構成される。スプリングバイアスされたロックメカニズムがくぼみから解放されると、取り付けシステムをハウジングのチャンネルから除去することができる。
【００２５】
装置のハウジングに取り付けシステムを結合するための方法も説明される。この方法については、取り付けシステムの第１部分がハウジングのチャンネルに挿入される。取り付けシステムは、第１部分及び第２部分を有するスプリングバイアスされたロックメカニズムを備えている。ロックメカニズムの第１部分は、取り付けシステムの第１の側に対して実質的に平らにスプリングバイアスされ、そしてロックメカニズムの第２部分は、取り付けシステムの第２の側に対して盛り上がるようにスプリングバイアスされる。又、この方法は、ハウジング内で取り付けシステムをスライドさせることも含む。スライドアクションは、ロックメカニズムの第２部分を収縮させて、ロックメカニズムの第２部分の少なくとも一部分が取り付けシステムの第２の側に対して実質的に平らになるようにする。更に、ハウジングのチャンネルは、ロックメカニズムの第１部分を取り付けシステムの第１の側に対して実質的に平らなままにさせる。ロックメカニズムの第１の側がハウジングのチャンネルのくぼみの下にあるか又は実質的に下にあるときには、ロックメカニズムの第１部分が伸張し、チャンネルのくぼみ内に受け入れられる。
【００２６】
又、本開示の実施形態は、取り付けシステムのためのロックメカニズムをアッセンブルする方法も提供する。そのような実施形態では、取り付けシステムが提供される。取り付けシステムは、少なくとも第１の張出部及び第２の張出部を有するスルーホールを含む。ロックメカニズムのラッチ部分及び傾斜部も提供される。ラッチ部分は、実質的に平坦な頂面及び面取りされた縁を含み、そして傾斜部は、丸み付けされた又は非平坦な底面を有する。幾つかの実施形態において、傾斜部は、ラッチ部と嵌合し、そしてラッチ部と傾斜部との間に第１のスプリングメカニズム及び第２のスプリングメカニズムを固定するように構成される。第１のスプリングメカニズムは、ラッチ部を傾斜部から離れるようにバイアスさせて、ロックメカニズムが伸張状態になるようにする。同様に、第２のスプリングメカニズムは、ラッチ部分から離れるように傾斜部をバイアスし、ラッチ部分の実質的に平坦な頂面が取り付けシステムの第１表面に対して実質的に平らになるようにする。更に、第２のスプリングメカニズムは、傾斜部の丸み付けされた又は非平坦な底面を取り付けシステムの第２表面から突出させる。
【００２７】
又、本開示の実施形態は、装置のハウジングのための解除メカニズムをアッセンブルする方法も提供する。ハウジングは、ハウジングの長さに沿って少なくとも部分的に配置されたチャンネルを備えている。又、ハウジングは、チャンネル内に配置されたくぼみ部分を含む開口も備えている。この開口は、解除メカニズムの作動部分を受け入れるよう構成され、そしてくぼみは、解除メカニズムのプランジャーを受け入れるように構成される。更に、１つ以上の実施形態では、解除メカニズムの作動部分は、解除メカニズムのプランジャーに結合される。作動部分が作動されると、プランジャーは、ハウジングのくぼみ内をスライドし、くぼみ内に収容されたロックメカニズムの少なくとも一部分を圧縮する。
【００２８】
又、本開示の１つ以上の実施形態は、消費者向け製品のハウジングから取り付けシステムを解除する方法も提供する。より詳細には、１つ以上の実施形態では、消費者向け製品のハウジング内に配置されたボタン部材が作動される。そのような実施形態では、ボタン部材を作動すると、取り付けシステムに関連したスプリングバイアスされたロックメカニズムの第１部分をハウジング内のくぼみから追放させ、くぼみ内に収容されたロックメカニズムの第１部分を取り付けシステムの頂面に対して実質的に平らにさせる。更に、ボタン部材を作動するのに応答して、取り付けシステムは、ハウジング内の第１位置から、少なくとも実質的にハウジングの外部の第２位置へ移動される。取り付けシステムが少なくとも実質的にハウジングの外部にあるときには、ロックメカニズムの第２部分が取り付けシステムから解除され、これは、ロックメカニズムの第２部分を取り付けシステムの底面に対して盛り上がるようにバイアスさせる一方、ロックメカニズムの第１部分を取り付けシステムの頂面に対して平らにバイアスさせる状態を保つ。
【００２９】
本開示は、同じ構造的素子が同じ参照番号で示された添付図面を参照して以下に述べる詳細な説明により容易に理解されよう。
【図面の簡単な説明】
【００３０】
【図１Ａ】本開示の１つ以上の実施形態による消費者向け製品のための規範的な取り付けシステムを示す。
【図１Ｂ】本開示の１つ以上の実施形態による取り付けシステムのチャンネルへ挿入される取り付けシステムの除去可能なモジュールを示す。
【図１Ｃ】本開示の１つ以上の実施形態による取り付けシステムのチャンネルへ完全に挿入される除去可能なモジュールを示す。
【図２Ａ】本開示の１つ以上の実施形態による取り付けシステムの第１のロック構成の側面図である。
【図２Ｂ】本開示の１つ以上の実施形態による取り付けシステムの第２のロック構成の側面図である。
【図２Ｃ】本開示の１つ以上の実施形態による取り付けシステムの第３のロック構成の側面図である。
【図２Ｄ】本開示の１つ以上の実施形態による取り付けシステムの第４のロック構成の側面図である。
【図２Ｅ】本開示の１つ以上の実施形態による取り付けシステムの第５のロック構成の側面図である。
【図２Ｆ】本開示の１つ以上の実施形態による取り付けシステムの第６のロック構成の側面図である。
【図３Ａ】本開示の１つ以上の実施形態による取り付けシステムの除去可能なモジュールのブロック図である。
【図３Ｂ】本開示の１つ以上の実施形態による取り付けシステムの一部分であるか又はそれと一体化される消費者向け製品のハウジングのブロック図である。
【図３Ｃ】本開示の１つ以上の実施形態により消費者向け製品のハウジングへ挿入される除去可能なモジュールのブロック図である。
【図３Ｄ】本開示の１つ以上の実施形態により消費者向け製品のハウジング内に位置がロックされる除去可能なモジュールを示す。
【図３Ｅ】本開示の１つ以上の実施形態により消費者向け製品のハウジングから取り外される除去可能なモジュールを示す。
【図４Ａ】本開示の１つ以上の実施形態による取り付けシステムを使用する規範的な消費者向け製品を示す。
【図４Ｂ】本開示の１つ以上の実施形態により取り付けシステムを使用して消費者向け製品に付属品を取り付ける規範的な消費者向け製品を示す。
【図４Ｃ】本開示の１つ以上の実施形態による図４Ａの消費者向け製品の側面図である。
【図４Ｄ】本開示の１つ以上の実施形態による図４Ａの消費者向け製品の底面図である。
【図５Ａ】本開示の１つ以上の実施形態により消費者向け製品と一体化される規範的な取り付けシステム及び除去可能なモジュールを示す。
【図５Ｂ】本開示の１つ以上の実施形態による取り付けシステムのチャンネルに挿入される取り付けシステムの除去可能なモジュールを示す。
【図５Ｃ】本開示の１つ以上の実施形態による取り付けシステムのチャンネルに完全に挿入される取り付けシステムの除去可能なモジュールを示す。
【図６Ａ】本開示の１つ以上の実施形態により消費者向け製品と一体化される規範的な取り付けシステムを示す。
【図６Ｂ】本開示の１つ以上の実施形態による取り付けシステムのチャンネルに挿入される取り付けシステムの除去可能なモジュールの上面図である。
【図６Ｃ】本開示の１つ以上の実施形態による取り付けシステムのチャンネルに挿入される除去可能なモジュールの上面図である。
【図７Ａ】本開示の１つ以上の実施形態による取り付けシステムの除去可能なモジュールのロックメカニズムの分解斜視図である。
【図７Ｂ】本開示の１つ以上の実施形態による図７Ａのアッセンブルされたロックメカニズムの斜視図である。
【図８Ａ】本開示の１つ以上の実施形態による図７Ａのロックメカニズムの分解側面断面図である。
【図８Ｂ】本開示の１つ以上の実施形態による図７Ｂのロックメカニズムのアッセンブルされた側面断面図である。
【図９Ａ】本開示の１つ以上の実施形態による除去可能なモジュールの開口の前面断面図である。
【図９Ｂ】本開示の１つ以上の実施形態による取り付けシステムの除去可能なモジュールのロックメカニズムの前面断面図である。
【図９Ｃ】本開示の１つ以上の実施形態による取り付けシステムの除去可能なモジュールのロックメカニズムと、取り付けシステムの嵌合特徴部に係合するときのロックメカニズムの動きと、を示す前面断面図である。
【図１０Ａ】本開示の１つ以上の実施形態により消費者向け製品のハウジング内に一体化される取り付けシステムの解除メカニズムの分解図である。
【図１０Ｂ】本開示の１つ以上の実施形態により消費者向け製品のハウジング内に一体化される取り付けシステムのアッセンブルされた解除メカニズムを示す。
【図１１Ａ】本開示の１つ以上の実施形態により消費者向け製品のハウジング内に一体化される取り付けシステムの解除メカニズムの分解側面断面図である。
【図１１Ｂ】本開示の１つ以上の実施形態により消費者向け製品のハウジング内に一体化される取り付けシステムの解除メカニズムのアッセンブルされた分解側面断面図である。
【図１２Ａ】本開示の１つ以上の実施形態による消費者向け製品のハウジングの開口の前面断面図である。
【図１２Ｂ】本開示の１つ以上の実施形態による消費者向け製品のハウジングの開口におけるアッセンブルされた解除メカニズムの前面断面図である。
【図１３Ａ】本開示の１つ以上の実施形態により消費者向け製品のハウジングに一体化された取り付けシステムのチャンネルに部分的へ挿入される取り付けシステムの除去可能なモジュールの前面断面図である。
【図１３Ｂ】本開示の１つ以上の実施形態により取り付けシステムのロックメカニズムが圧縮状態となるように消費者向け製品のハウジングに一体化された取り付けシステムのチャンネルへ更に挿入される取り付けシステムの除去可能なモジュールの前面断面図である。
【図１３Ｃ】本開示の１つ以上の実施形態により消費者向け製品のハウジングのチャンネルに形成されたくぼみにロックメカニズムのキャッチ部材が係合されるようにハウジングのチャンネルへ完全に挿入されるロックメカニズムの前面断面図である。
【図１４Ａ】本開示の１つ以上の実施形態により消費者向け製品のハウジングのチャンネルに形成されたくぼみへ受け入れられる取り付けシステムのロックメカニズムの側部断面図である。
【図１４Ｂ】本開示の１つ以上の実施形態により消費者向け製品のハウジングに一体化される取り付けシステムの解除メカニズムの作動を示す。
【図１５】本開示の１つ以上の実施形態により消費者向け製品のハウジングに一体化される取り付けシステムの解除メカニズムの作動を示す前面断面図である。
【図１６Ａ】本開示の１つ以上の別の実施形態により取り付けシステムの除去可能なモジュールのロックメカニズムの分解斜視図である。
【図１６Ｂ】本開示の１つ以上の実施形態による図１６Ａのアッセンブルされたロックメカニズムの斜視図である。
【図１７】本開示の１つ以上の実施形態により図１６Ｂの除去可能なモジュールを受け入れるように構成された消費者向け製品に一体化される取り付けシステムを示す。
【図１８Ａ】本開示の１つ以上の別の実施形態による取り付けシステムの除去可能なモジュールを示す。
【図１８Ｂ】本開示の１つ以上の実施形態により図１８Ａの取り付けシステムを受け入れるように構成された消費者向け製品に一体化される取り付けシステムを示す。
【図１９】本開示の１つ以上の実施形態により消費者向け製品に除去可能なモジュールを挿入して固定する規範的なプロセスを示す。
【図２０】本開示の１つ以上の実施形態により消費者向け製品から除去可能なモジュールを取り外す規範的なプロセスを示す。
【図２１】本開示の１つ以上の実施形態により使用される消費者向け製品の規範的な物理的コンポーネントを示すブロック図である。
【図２２Ａ】本開示の第１の実施形態による除去可能なモジュール及び取り付けられる付属品を示す。
【図２２Ｂ】本開示の第２の実施形態による除去可能なモジュール及び取り付けられる付属品を示す。
【図２２Ｃ】本開示の第３の実施形態による除去可能なモジュール及び取り付けられる付属品を示す。
【図２２Ｄ】本開示の第４の実施形態による除去可能なモジュール及び取り付けられる付属品を示す。
【図２２Ｅ】本開示の第５の実施形態による除去可能なモジュール及び取り付けられる付属品を示す。
【図２２Ｆ】本開示の第６の実施形態による除去可能なモジュール及び取り付けられる付属品を示す。
【図２３】本開示の１つ以上の実施形態による規範的な取り付けシステムの除去可能なモジュールの分解図である。
【図２４】本開示の１つ以上の実施形態による取り付けシステムの除去可能なモジュールの第１の斜視図である。
【図２５】本開示の１つ以上の実施形態による取り付けシステムの除去可能なモジュールの第２の斜視図である。
【図２６】本開示の１つ以上の実施形態による取り付けシステムの除去可能なモジュールの底面のトップダウン図である。
【図２７】本開示の１つ以上の実施形態による取り付けシステムの除去可能なモジュールの頂面のトップダウン図である。
【図２８】本開示の１つ以上の実施形態による取り付けシステムの除去可能なモジュールの第１の側面図である。
【図２９】本開示の１つ以上の実施形態による取り付けシステムの除去可能なモジュールの第２の側面図である。
【図３０】本開示の１つ以上の実施形態による取り付けシステムの除去可能なモジュールの前面図である。
【図３１】本開示の１つ以上の実施形態による取り付けシステムの除去可能なモジュールの後面図である。
【考案を実施するための形態】
【００３１】
以下、添付図面に示す代表的な実施形態を詳細に説明する。以下の説明は、実施形態を１つの好ましい実施形態に限定するものではないことを理解されたい。逆に、特許請求の範囲により規定されたここに述べる実施形態の精神及び範囲内に包含される代替物、変更及び等効物を網羅するものとする。
【００３２】
消費者向け製品のための取り付けシステムがここに提供される。この取り付けシステムは、消費者向け製品のある部分とインターフェイスする除去可能なモジュールを含む。例えば、除去可能なモジュールは、消費者向け製品の、又はそれに関与した、関連又は対応モジュール、くぼみ、孔又はコンポーネントに係合される。除去可能なモジュールは、係合されると、消費者向け製品により支持される。例えば、除去可能なモジュールが消費者向け製品と係合されると、そのモジュール及び消費者向け製品は、一体化されたユニットとなる。あるケースでは、除去可能なモジュールは、消費者向け製品の機能を拡張する。即ち、取り付けシステム及び／又は除去可能なモジュールは、消費者向け製品に付加的な動作性を与えることができる。
【００３３】
それに加えて又はそれとは別に、除去可能なモジュールは、消費者向け製品の必需品として使用される。例えば、除去可能なモジュールは、消費者向け製品に審美的又は構造上の改善を与える。それに加えて又はそれとは別に、除去可能なモジュールは、別の物体又は物品を消費者向け製品に結合するように構成される。例えば、物体は、カバー、皮、プレート、紐、バンド、ストラップ、ドック、等である。これらの全ての例において、除去可能なモジュールと消費者向け製品との間のインターフェイスは、異なる機能、必需品、及び物体を消費者向け製品に結合できるようにする標準的なインターフェイスである。
【００３４】
取り付けシステムに関連して使用される消費者向け製品は、広く変化する。例えば、これに限定されないが、消費者向け製品は、電子装置、機械的装置、電気機械的装置、等である。一例において、消費者向け製品は、ポータブルの消費者向け製品である。別の例では、消費者向け製品は、ウェアラブル製品である。消費者向け製品の付加的なそして更に特定の例は、移動電話、パーソナルデジタルアシスタント、音楽プレーヤ、タイムキーピング装置、ヘルスモニタリング装置、タブレットコンピュータ、ラップトップコンピュータ、ガラス（電子、その他）、ポータブルストレージ装置、等を含む。前記例は、電子装置を含むが、本開示の取り付けシステムは、純粋な機械式時計、手荷物、財布、宝飾品、等を含む非電子装置と共に使用されてもよい。
【００３５】
取り付けシステムも、広く変化する。１つの実施形態において、取り付けシステムは、ツールレス設計であり、取り付けシステムの除去可能なモジュール又は取り付けシステムそれ自体を消費者向け製品に接続し及び／又はそこから切断するのに特殊なツールが必要とされない。ツールが必要とされないので、取り付けシステムは、使用が容易で且つ直感的なものとなる。それに加えて又はそれとは別に、ツール又は他のコンポーネント、例えば、取り付けシステムが結合され又は一体化される消費者向け製品のコンポーネントは、取り付けシステムのボタン又は他のコンポーネントを作動して、取り付けシステム及び／又は除去可能なモジュールを消費者向け製品に固定し及び／又はそこから解除するように構成される。
【００３６】
除去可能なモジュールを消費者向け製品に固定し及び／又はそこから解除するためにツールが要求されないので、本開示の取り付けシステムは、頑健であり、且つ除去可能なモジュールを消費者向け製品にしっかり結合できるようにする保持力を与える。取り付けシステムは、頑健であるが、図示して以下に述べるように、取り付けシステムは、低背型であって、消費者向け製品が望ましい又は特定の形状及び／又は審美性を維持できるようにする。
【００３７】
又、以下に述べるように、本開示の取り付けシステムは、典型的に、互いに係合及び解離可能な製品側取り付けアッセンブリ及び非製品側取り付けアッセンブリを備えている。これらアッセンブリの各々は、例えば、２つのアッセンブリを一緒に固定するために互いに物理的にインターフェイスするラグ部分を含む。又、これらアッセンブリは、それらを互いに解放するために互いに解除可能にインターフェイスする。
【００３８】
１つの実施形態において、取り付けシステムは、消費者向け製品のコンポーネントを機械的に係合／解離する除去可能なモジュールを備えている。この除去可能なモジュールは、消費者向け製品のコンポーネントに結合され及びそこから取り外される。一例において、このコンポーネントは、消費者向け製品のハウジングである。例えば、除去可能なモジュールは、消費者向け製品のハウジング（又はケース）の第２のラグ部分（例えば、ハウジングに一体化されたラグ部分）に取り付けるよう構成された第１のラグ部分を含む。別の例では、このコンポーネントは、消費者向け製品のハウジングに固定されるか、そこから延びるか、さもなければ、そこに取り付けられるモジュールである。例えば、除去可能なモジュールは、消費者向け製品のハウジング（又はケース）に固定され及び／又はそこから延びる第２のラグ部分に取り付けるよう構成された第１のラグ部分を有する。
【００３９】
又、取り付けシステムは、非製品側取り付けアッセンブリと合体される捕獲ロックメカニズムも備えている。この捕獲ロックメカニズムは、消費者向け製品の製品側取り付けアッセンブリの対応特徴部に係合するように構成される。例えば、消費者向け製品が、タイムキープ装置又は他の手首着用装置のようなウェアラブル電子装置である場合には、取り付けシステムは、ウェアラブル電子装置の本体にバンドアッセンブリを取り付けるように構成される。バンドアッセンブリは、ウェアラブル電子装置をユーザの手首に固定するのに使用できる１つ以上のストラップ及び留め具を含む。この場合、取り付けシステムは、バンドアッセンブリに合体される捕獲ロックメカニズムであって、ウェアラブル電子装置の本体に形成されるか又は合体された対応特徴部に係合するように構成された捕獲ロックメカニズムを備えている。ある場合には、ロックメカニズムは、ウェアラブル電子装置の本体にバンドアッセンブリを固定又はロックする。
【００４０】
又、取り付けシステムは、消費者向け製品の製品側取り付けアッセンブリと合体される解除メカニズムも備えている。例えば、消費者向け製品がウェアラブル電子装置の場合、解除メカニズムは、ウェアラブル電子装置の本体に一体化又は合体される。又、解除メカニズムは、捕獲ロックメカニズムを解離又はアンロックし、そしてバンドアッセンブリ又は他のコンポーネントの除去を容易にするように構成される。
【００４１】
更に別の実施形態では、取り付けシステムは、消費者向け製品のコンポーネントに機械的又はスライド可能に係合／解離する非製品アッセンブリの除去可能なモジュールを備えている。一例において、そのコンポーネントは、消費者向け製品のハウジング又はエンクロージャーであり、そして除去可能なモジュールは、バンドアッセンブリの一部分を形成する除去可能なラグを含む。ある場合に、バンドアッセンブリは、個人又はユーザの手首に消費者向け製品を取り付けるように構成された少なくとも１つのストラップ及び留め具を含む。
【００４２】
取り付けシステムの除去可能なモジュールは、消費者向け製品の開口へ挿入するように構成される。除去可能なモジュールは、開口に挿入されると、消費者向け製品の開口内をスライドすることができる。例えば、消費者向け製品は、消費者向け製品のハウジングの１つ以上の面又は側に配置されたチャンネルを有する。このチャンネルは、取り付けシステムの除去可能なモジュールの一部分、例えば、端部を受け入れるように構成される。除去可能なモジュールの端部がチャンネルに挿入されると、除去可能なモジュールは、チャンネルへ更にスライドすることができる。除去可能なモジュールのスライド運動は、除去可能なモジュールがチャンネルに固定されるか又はその中に結合されるまで、続く。除去可能なモジュールが消費者向け製品のチャンネル内へとスライドするよう構成されるのと同様に、除去可能なモジュールは、消費者向け製品のチャンネルからスライドして出ることもできる。従って、除去可能なモジュールは、消費者向け製品に容易に挿入し且つ取り出すことができる。
【００４３】
ある実施形態では、取り付けシステムの開口又はチャンネルは、除去可能なモジュールを保持する形状とされる。例えば、開口又はチャンネルは、除去可能なモジュールを開口又はチャンネルに保持するために除去可能なモジュールに機械的に係合するアンダーカット部又は狭小部を含む。従って、除去可能なモジュールが消費者向け製品の受け入れモジュール内に入れられたとき、除去可能なモジュールは、消費者向け製品と（部分的又は完全に）一体化される。
【００４４】
前記に加えて、本開示の取り付けシステムは、除去可能なモジュールを消費者向け製品に係合でき及びそこから解離できるようにする種々の他のコンポーネント及びモジュールを有する。例えば、取り付けシステムの除去可能なモジュールは、消費者向け製品の受け入れモジュール内で除去可能なモジュールをスライドする上で助けとなるか又はスライドできるようにするために表面上に配置された種々のパッドを有する。これらのパッドは、除去可能なモジュールが受け入れモジュール内にロックされたとき除去可能なモジュールの望ましからぬ動きを防止するのにも使用される。
【００４５】
又、取り付けシステムは、消費者向け製品に種々の付属品を固定するのにも使用できる。例えば、付属品、物品又は物体が取り付けシステムの除去可能なモジュールに結合されるか、さもなければ、取り付けられる。更に、付属品、物品又は物体は、消費者向け製品をユーザに固定するのに使用される。あるケースでは、消費者向け製品は、多数の異なるバンド、付属品、等を受け入れるように構成される。
【００４６】
消費者向け製品及びその関連バンドは、各々、消費者向け製品に関連した対応ノード（例えば、開口又はチャンネル）に結合される共通ノード（例えば、除去可能なモジュール）を備えている。従って、消費者向け製品は、消費者向け製品のための多数の異なる審美的見掛けをユーザに与えるように交換できる複数の付属品又はバンドを有する。より詳細には、消費者向け製品は、第１バンドと、この第１バンドとは異なる第２バンドとを受け入れるように構成される。更に、第１バンド及び第２バンドの各々は、消費者向け製品の対応ノードに結合されるか又はそれにより受け入れられる共通ノードも含む。従って、各バンドは、互いに、且つ他のバンド及び／又は付属品と交換可能である。
【００４７】
以上のことから更に別の例を述べると、バンドアッセンブリ又はストラップが、取り付けシステムの除去可能なモジュールに取り外し可能に結合され、そして更に、消費者向け製品をユーザに固定するのに使用される。除去可能なモジュールは、消費者向け製品のハウジング及びバンド又はストラップの両方に取り外し可能に結合されるので、除去可能なモジュールそれ自体、或いはバンド又はストラップは、異なる材料、設計及び構成をもつ他の多数のバンドと交換可能である。
【００４８】
別の例では、種々の消費者向け製品は、異なる形状、サイズ、等の本体を有する。しかしながら、各本体は、標準的インターフェイスを使用して種々の異なるバンドに接続するように構成される。更に、各消費者向け製品は、標準的インターフェイスを経て別の形式の非バンドコンポーネント、例えば、除去可能なモジュール、取り付けシステム、非バンドコンポーネント、或いは別の装置へ接続するように構成される。
【００４９】
例えば、消費者向け製品は、これをユーザの身体に取り付けるのに使用される１つ以上のバンド、ストラップ又は他の同様のコンポーネントに取り付けるための本体を有する。消費者向け製品は、機能又は特徴の異なるセットをなすために交換可能であるか又は交換されてもよい。バンド又は取り付けコンポーネントは、望ましい機能又は特徴をなすために交換可能であるか又は交換されてもよい。
【００５０】
更に別の例を述べると、各消費者向け製品は、各バンドの端又は他の嵌合部に取り付けられるか又はそれと一体的に形成された対応特徴部に相互接続するよう構成された少なくとも１つの受け入れ特徴部を含む。この受け入れ特徴部は、消費者向け製品の本体又はハウジングに形成されたチャンネル又は溝を含む。各バンド又はコンポーネントの嵌合特徴部は、消費者向け製品の本体又はハウジングに形成された受け入れ特徴部にスライド可能に係合してバンド又はコンポーネントを取り付けるように構成される。
【００５１】
ある実施形態では、受け入れ特徴部及び嵌合特徴部が標準化される。従って、どのバンドも、種々の消費者向け製品のどの本体とも交換可能に使用できる。
【００５２】
１つの特定の実施形態において、消費者向け製品はポータブル電子装置であるが、ここに開示する取り付けシステムは、非電子的消費者向け製品と共に使用することができる。より詳細には、消費者向け製品は、ウェアラブルの消費者向け製品である。ウェアラブルの消費者向け製品とは、個人又はユーザに着用できるか又は他の仕方で固定できる製品である。例えば、ウェアラブル電子（又は非電子）装置は、これに限定されないが、ウェアラブルコンピュータ、ウェアラブルウオッチ、ウェアラブル通信装置、ウェアラブルメディアプレーヤ、ウェアラブルヘルスモニタリング装置、等を含む。これら電子装置と共に使用するとき、取り付けシステムは、バンド、ストラップ、スリーブ、又は種々の形式の衣服を電子装置に結合するのに使用される。
【００５３】
例えば、手首に着用する製品の場合に、取り付けシステムの除去可能なモジュールは、ユーザの手首の周りに巻き付けて固定できるバンドに装置を結合する。しかしながら、この実施形態に限定されるものではないことが明らかである。
【００５４】
バンド、取り付けシステム及び／又は各々の部分は、種々の異なる材料及び／又は構成より成る。例えば、バンド及び／又は取り付けシステムは、ゴム、金属、織られた繊維、皮革、織られたメッシュの上に横たわるゴム、シリコン、ミラネーゼメッシュ、ステンレススチール、等で形成される。
【００５５】
ある実施形態では、第１バンド又は第１バンドの第１部分が、第１材料で作られ、そして第２バンド又は第１バンドの第２部分が異なる材料で作られる。又、バンドが複数のリンクで作られ、取り付けシステムが１つ以上のリンクを形成してもよい。従って、バンドは、例えば、リンクを追加又は除去することでリサイズすることができる。
【００５６】
バンドは、機械的な継手を使用して取り付けシステムの一部分に結合される。例えば、バンドは、１つ以上のピン、ホール、接着材、スクリュー、等を使用して、ラグのような除去可能なモジュールに取り付けられる。ある実施形態では、バンドは、除去可能なモジュール又はラグの少なくとも一部分と共に共通モールド又はオーバーモールドされる。又、バンドは、除去可能なモジュール又はラグとして機能する特徴部と一体的に形成される。更に別の実施形態では、バンドは、部品の第２部分又は消費者向け製品の一部分に磁気的に結合するように構成される。
【００５７】
これら及び他の実施形態は、図１から３１を参照して以下に説明する。しかしながら、当業者であれば、図面を参照して以下に述べる詳細な説明は、単なる例示に過ぎず、それらに限定されるものではないことが明らかであろう。種々の図面に示されて全体を通して述べられる同様の番号及び／又は名前のコンポーネントは、実質的に同様の機能を果たし、そして同様に部分及び／又は同様の材料から形成されることを理解されたい。
【００５８】
図１Ａ−１Ｃは、本開示の１つ以上の実施形態による規範的な取り付けシステム１００を示す。この取り付けシステム１００は、消費者向け製品１０４のある部分とインターフェイスする除去可能なモジュール１０２を備えている。除去可能なモジュール１０２は、例えば、消費者向け製品１０４のハウジング１０６に係合される。ハウジング１０６は、例えば、消費者向け製品のハウジングの一部分、消費者向け製品１０４の別の部分の伸張部、消費者向け製品１０４のハウジング１０６の一部分に固定された別の部分、等を含む。ある実施形態では、ハウジング１０６は、種々の消費者向け製品、電子装置、機械的装置、等のハウジングとして使用される。従って、ハウジング１０６は、本開示全体を通してハウジング１０６を指す。
【００５９】
上述したように、消費者向け製品の非限定例は、電子装置、機械的装置、等を含む。より特定の例は、これに限定されないが、タブレットコンピュータ、タイムキーピング装置、移動電話、ポータブル音楽プレーヤ、パーソナルデジタルアシスタント、ガラス、等を含む。従って、コンポーネント又はハウジング１０６は、ハウジング１０６の予期される又は実際の使用に基づいて種々の寸法及び形状を有する。更に、ハウジング１０６は、ボタン、表示スクリーン、等のために使用される種々の開口及び／又はくぼみ（図示せず）を含む。ハウジング１０６の意図された使用、実際の使用及び望ましい耐久性に基づき、ハウジング１０６は、ステンレススチール、アルミニウム、プラスチック、金、ガラス、プラチナ、他のそのような材料、及びその組み合わせで作られる。
【００６０】
除去可能なモジュール１０２は、広く変化し得る。除去可能なモジュール１０２は、例えば、消費者向け製品１０４の機能を拡張する（例えば、演算モジュール、電気的システム、等を追加する）。除去可能なモジュール１０２は、消費者向け製品１０４への必需品として使用され、これにより、消費者向け製品１０４の審美性を向上させる。又、除去可能なモジュールは、物体又は他の物品を消費者向け製品１０４に結合するように構成される。例えば、物体は、カバー、皮、プレート、紐、バンド、ストラップ、等である。インターフェイスは、取り付けシステム１００を経て異なる物体を消費者向け製品１０４に取り付けできるような標準的インターフェイスである。
【００６１】
除去可能なモジュール１０２は、消費者向け製品１０４のハウジング１０６の嵌合特徴部又はチャンネル１１０へ挿入するように構成された本体１０８を含む。例えば、図１Ａは、チャンネル１１０の外側の除去可能なモジュール１０２を示し、そして図１Ｃは、チャンネル１１０内に挿入された除去可能なモジュール１０２を示す。除去可能なモジュール１０２がチャンネル１１０に挿入されるとき、除去可能なモジュール１０２は、消費者向け製品１０４に係合されるか又は他の仕方で固定されて、消費者向け製品１０４が除去可能なモジュール１０２を支持するようにする（例えば、２つの部分が一体型ユニットとなる）。
【００６２】
除去可能なモジュール１０２の本体１０８の形状は、チャンネル１１０の形状に対応する。例えば、チャンネル１１０が丸み付けされるか又は別の形状を有する場合には、除去可能なモジュール１０２も、同様の形状を有する。従って、除去可能なモジュール１０２は、チャンネル１１０と嵌合し、チャンネル１１０内に適合し、さもなければ、チャンネル１１０内に受け入れられそして収容される。
【００６３】
更に、本体１０８の長さ、又は除去可能なモジュール１０２の全長は、一般的に、チャンネル１１０の長さに対応する。ある場合には、除去可能なモジュール１０２の両端は、図１Ｃに示すように完全に係合されたときハウジング１０６の外面又は側壁と平らになり又は実質的に平らになる。他の実施形態では、除去可能なモジュール１０２の長さは、チャンネル１１０の長さより短くても長くてもよい。従って、除去可能なモジュール１０２は、チャンネル１１０の１つ以上の側部から突出することがある。
【００６４】
除去可能なモジュール１０２の本体１０８は、図１Ｂに示すようにチャンネル１１０内をスライドさせることによりハウジング１０６に係合するように構成される。図示されていないが、除去可能なモジュール１０２とハウジング１０６との間の適正な整列を保証するためにキー特徴部が設けられる。更に、チャンネル１１０の長さに垂直な方向における解離を防止するためにアンダーカット又はフランジのような保持特徴部が設けられる。
【００６５】
ある実施形態では、消費者向け製品１０４のチャンネル１１０は、スライド移動を与えるが、スライド方向に垂直な移動は与えない寸法及び形状にされる。チャンネル１１０は、本体１０８を受け入れるための１つの開放端を含む。或いは又、チャンネル１１０は、本体を受け入れるために両方の開放端を含んでもよい（図１Ａ−１Ｃに示すように）。
【００６６】
除去可能なモジュール１０２は、ステンレススチール、アルミニウム、プラスチック、金、プラチナ又は他のそのような材料、及びその組み合わせから製造される。特定の材料を述べたが、除去可能なモジュール１０２、及び／又は取り付けシステム１００のコンポーネントは、種々の他の材料から製造されてもよい。同様に、消費者向け製品１０４のハウジング１０６は、同様の材料又は異なる材料或いはそれら材料の組み合わせから作ることができる。
【００６７】
除去可能なモジュール１０２の本体１０８は、近方端１１２及び遠方端１１４を含む。除去可能なモジュール１０２の近方端１１２及び遠方端１１４は、各々、本体１０８の巾を越えて延びるアーム（図示せず）を有する。
【００６８】
除去可能なモジュール１０２は、付属品、物体、物品、等を受け入れる開口又はくぼみ１１６を有する。例えば、くぼみ１１６は、ストラップ又はバンド、例えば、バンド又は他の付属品１５８（図４Ａ）或いは別の装置又はコンポーネントを除去可能なモジュール１０２に取り外し可能に取り付けられるようにするピン（図示せず）又は他の接続メカニズムを受け入れるように構成される。
【００６９】
除去可能なモジュール１０２は、ハウジング１０６の形状に合致する形状を有する単一の一体的部片である。即ち、除去可能なモジュールがハウジング１０６に挿入されるときに、除去可能なモジュール１０２の形状は、ハウジング１０６のチャンネル１１０を埋めるためのブランクとして働く。そのような実施形態では、アーム、スロット又は他の孔が除去可能なモジュール１０２に存在しない。
【００７０】
アーム又は他のそのような取り付けメカニズムが除去可能なモジュール１０２に含まれるときには、各アームの内側にくぼみが含まれる。くぼみは、種々の付属品を除去可能なモジュール１０２に結合又は固定するのに使用される。他の実施形態では、除去可能なモジュール１０２のアームは、１つ以上の突起を含む。付属品は、それらの突起に嵌合する１つ以上のツメ部を有する。別の実施形態では、アーム、くぼみ及び／又は突起は、除去可能なモジュール１０２と付属品との間を磁気接続できるように磁化される。特に述べないが、除去可能なモジュール１０２と付属品との間には他の接続メカニズムが使用されてもよい。例えば、スナップ、フック、等が含まれる。
【００７１】
又、除去可能なモジュール１０２の本体１０８は、本体１０８の頂面から本体１０８の底面へ延びる開口又は孔（図示せず）も含む。この開口は、ロックメカニズムを受け入れて除去可能なモジュール１０２内に固定する。以下に詳細に述べるように、ロックメカニズムは、キャッチ部材１１８及び傾斜部（図示せず）を含むスプリング負荷されたロックメカニズムを含む。ロックメカニズムのスプリングは、キャッチ部材１１８を本体１０８の頂面に対して平らに又は実質的に平らに位置する。又、スプリングは、除去可能なモジュール１０２がチャンネル１１０へ完全に挿入されたときにキャッチ部材１１８をチャンネル１１０内の開口又はくぼみに受け入れさせるようにも構成される。
【００７２】
ロックメカニズムは、除去可能なモジュール１０２の本体１０８の中心に配置されるが、これは必要ではない。他の実施形態では、ロックメカニズムは、本体１０８の他のエリアに配置される。更に、本体１０８には単一のロックメカニズムが示されているが、除去可能なモジュール１０２は、本体１０８の種々の位置に複数のロックメカニズムを有してもよい。それとは別に又はそれに加えて、ロックメカニズムは、ハウジング１０６内又はハウジング１０６上に位置されてもよい。
【００７３】
他の実施形態では、除去可能なモジュール１０２の本体１０８を通して開口が部分的に延びる。この実施形態による規範的なロックメカニズムは、図１６Ａ及び１６Ｂを参照して以下に詳細に述べる。
【００７４】
ロックメカニズムのキャッチ部材１１８は、ロックメカニズムがその名目状態にあるときに本体１０８の頂面に対して引っ込んでいるか又は平らであるか又は実質的に平らである頂面を有する。ある場合には、傾斜部材（図示せず）、又はロックメカニズムの底部が本体１０８の底面に対して盛り上がるようにスプリングバイアスされる。従って、傾斜部材の底面は、本体１０８の底面を越えて延びるか又は突出する。傾斜部材が除去可能なモジュール１０２の開口へ強制的に入れられるとき（例えば、除去可能なモジュール１０２がチャンネル１１０に挿入されるとき）、ロックメカニズムの内部スプリングがキャッチ部材１１８に外方力を作用させ、キャッチ部材１１８を、本体１０８の頂面を越えて、チャンネル１１０の側壁に形成された対応くぼみ又は孔へ伸張又は突出させる。
【００７５】
ロックメカニズムは、特定の仕方でスプリングバイアスされるので、傾斜部材が収縮し又は開口へとプッシュされるとき、ロックメカニズム内のスプリングメカニズムは、キャッチ部材１１８を第１位置（例えば、引っ込んだ、平らな又は実質的に平らな位置）から第２位置（チャンネル内の利用可能なスペースが伸張を許す場合）へ移動させる。
【００７６】
第２位置とは、キャッチ部材１１８の少なくとも一部分が本体１０８の頂面を越えて延びる位置である。しかしながら、除去可能なモジュール１０２、より詳細には、キャッチ部材１１８がチャンネル１１０内をスライドし又はそこに収容されるとき、キャッチ部材１１８は、チャンネル１１０内に形成されたくぼみが伸張を許すときにキャッチ部材１１８がそのくぼみに接近するまで第１位置から第２位置へ移動しない。
【００７７】
キャッチ部材１１８がチャンネル１１０内のくぼみに接近すると、ロック部材が伸張し、キャッチ部材１１８の少なくとも一部分が本体１０８から延びて、くぼみに受け入れられる。キャッチ部材１１８がくぼみに受け入れられると、除去可能なモジュール１０２はチャンネル１１０内に位置がロックされる。
【００７８】
チャンネル１１０のくぼみは、除去可能なモジュール１０２がチャンネル内の決定されたポイントに到達したときにキャッチ部材１１８をくぼみ内に直接受け入れできるような形状及び位置とされる。チャンネル１１０内の決定されたポイントとは、除去可能なモジュール１０２の本体１０８がチャンネル１１０の中心に来るときである。ある場合には、決定されたポイントは、除去可能なモジュール１０２の近方端１１２及び遠方端１１４がハウジング１０６の１つ以上の側壁及び／又はチャンネル１１０の１つ以上の開口と平らになるか又は実質的に平らになる位置である。
【００７９】
除去可能なモジュール１０２をアンロックし、その後、ハウジング１０６から取り外すために、ハウジング１０６は、解除メカニズム１２０を備えている。この解除メカニズムを作動すると、キャッチ部材１１８がチャンネル内のくぼみから転置される。キャッチ部材１１８がくぼみから除去されると、除去可能なモジュール１０２は、チャンネル１１０内をスライドすることができ、又はチャンネル１１０から完全に除去することができる。
【００８０】
除去可能なモジュール１０２がチャンネル１１０から除去されると、ロックメカニズム内のスプリングメカニズムは、傾斜部材を除去可能なモジュール１０２の本体１０８から外方に伸張又は突出させる。その結果、傾斜部材は、再び、本体１０８の底面に対して盛り上がるようにスプリングバイアスされる。傾斜部材を本体１０８に対して盛り上がるようにバイアスさせるスプリングメカニズムは、キャッチ部材１１８を本体１０８の頂面に対して平らに又は実質的に平らにバイアスさせる。
【００８１】
又、除去可能なモジュール１０２の本体１０８は、１つ以上の突起１２２も含む。突起１２２は、本体１０８の頂面及び本体１０８の底面の一方又は両方に位置される。更に、突起１２２は、ロックメカニズムの片側、或いはロックメカニズムの両側に位置される。他の実施形態では、突起１２２は、本体１０８に存在しなくてもよい。
【００８２】
突起１２２は、除去可能なモジュール１０２とチャンネル１１０との間の摩擦を増加するのに使用される。例えば、突起１２２は、除去可能なモジュール１０２がチャンネル１１０に挿入されるときに制動感を付加し、そしてガタガタ音の発生を減少又は排除する。別の実施形態では、チャンネル１１０は、除去可能なモジュールの対応くぼみと嵌合するように構成された突起を含む。突起１２２は、ナイロン、シリコン、又は他のそのような材料で作られる。
【００８３】
除去可能なモジュール１０２及びその関連コンポーネントは、特定の形状を有するように示されているが、除去可能なモジュール１０２及びその関連コンポーネントは、任意の形状を有してもよい。例えば、除去可能なモジュール１０２の本体１０８は、丸み付けされてもよいし、方形でもよいし、三角形でもよいし、等々である。種々の形状の非限定例が図２Ａ−２Ｆに示されている。
【００８４】
本体１０８に存在する場合に、除去可能なモジュール１０２のアームは、任意の望ましい形状、方向又は寸法を有してもよい。更に、キャッチ部材１１８、傾斜部、及び／又は突起１２２も、種々の寸法及び形状を有してもよい。
【００８５】
消費者向け製品１０４のハウジング１０６は、少なくとも１つの側部又は側壁に沿って配置されたチャンネル１１０を含む。図１Ａには単一のチャンネル１１０が示されているが、ハウジング１０６は、種々の側部に配置された任意の数のチャンネル１１０を有してもよい。チャンネル１１０は、遠方端の開口と、近方端の開口とを含む。
【００８６】
図１Ａは、遠方端及び近方端の両方に開口を有するチャンネル１１０を示しているが、チャンネル１１０は、一端（例えば、遠方端）に開口を有し、そして別の端（例えば、近方端１１２）が閉じているか又は内実であってもよい。そのような実施形態では、除去可能なモジュール１０２は、除去可能なモジュール１０２の一端（例えば、近方端１１２）がチャンネル１１０の閉止端と接触するまでチャンネル１１０内を移動する。
【００８７】
チャンネル１１０の一端に到達すると、スプリングバイアスされたロックメカニズムを使用して、除去可能なモジュール１０２の近方端１１２をチャンネル１１０の閉止端に固定する。それとは別に又はそれに加えて、スプリングバイアスされたロックメカニズムを使用して、除去可能なモジュールの近方端１１２を、上述したように、チャンネル１１０のくぼみに固定する。
【００８８】
或いは又、１つ以上の磁石又は他の固定メカニズムがチャンネル１１０の閉止端又はその付近に位置される。従って、除去可能なモジュール１０２の近方端１１２又は遠方端１１４が磁石に接近するか又は磁石に接触すると、除去可能なモジュール１０２は、チャンネル１１０内に磁気的に固定される。
【００８９】
チャンネル１１０及び解除メカニズム１２０のボタン部分は、特定の形状及び方向を有するように示されているが、前記素子の各々は、いかなる形状及び方向を有してもよい。例えば、チャンネル１１０は、丸み付けされてもよいし、多角形でもよい。更に、チャンネル１１０は、いかなる望ましい位置及び角度に方向付けされてもよい。例えば、チャンネル１１０は、ハウジングの中心線の下に配置されてもよい。チャンネル１１０は、消費者向け製品１０４のディスプレイ又は他のコンポーネントの下に配置されてもよい。解除メカニズム１２０のボタン部分は、いかなる望ましい形状及びサイズを有してもよく、そしてハウジング１０６のいかなる望ましい位置に配置されてもよい。
【００９０】
図１Ｂは、本開示の１つ以上の実施形態により図１Ａに示す除去可能なモジュール１０２がハウジング１０６のチャンネル１１０へ挿入されるところを示す。図１Ｂに示すように、除去可能なモジュール１０２の近方端１１２は、矢印１２４で示す方向にハウジング１０６のチャンネル１１０の開口へ挿入される。
【００９１】
図１Ｂは、除去可能なモジュール１０２の近方端１１２がチャンネル１１０の開口に挿入されて、矢印１２４の方向にスライドされるところを示しているが、除去可能なモジュール１０２の遠方端１１４が、チャンネル１１０に挿入されて、矢印１２６で示す方向にチャンネル１１０内をスライドされてもよい。除去可能なモジュール１０２がチャンネル１１０に挿入される方向に関わらず、除去可能なモジュール１０２は、ロックメカニズム、より詳細には、ロックメカニズムのキャッチ部材１１８がチャンネル１１０のくぼみに受け入れられるまで、いずれかの方向にチャンネル１１０内をスライド又は移動する。
【００９２】
除去可能なモジュール１０２がチャンネル１１０へ挿入されるときに、チャンネル１１０の一部分がロックメカニズムの傾斜部材に接触する。矢印１２４で示された方向に移動を続けると、傾斜部材が除去可能なモジュール１０２の本体１０８に圧縮されるか、さもなければ、押し付けられる。指示された方向に更に移動すると、ロックメカニズムが完全圧縮状態（例えば、傾斜部材及びキャッチ部材１１８の両方が除去可能なモジュール１０２の本体１０８内に収容され、そして傾斜部材及びキャッチ部材１１８の両方の伸張が阻止される状態）に入る。
【００９３】
図１Ｃは、本開示の１つ以上の実施形態により除去可能なモジュール１０２が消費者向け製品１０４のハウジング１０６と完全に係合された取り付けシステム１００を示す。上述したように、除去可能なモジュール１０２は、それがチャンネル１１０の中央にあるときハウジング１０６に完全に係合される。しかしながら、他の実施形態では、除去可能なモジュール１０２は、それがチャンネル１１０内でオフセットされるか、さもなければ、中央にないときに、ハウジング１０６に完全に係合される。
【００９４】
除去可能なモジュール１０２がチャンネル１１０に完全に挿入されたとき、除去可能なモジュール１０２の一部分は、チャンネル１１０の長さに垂直の方向に延びる。他の実施形態では、除去可能なモジュール１０２の伸張は生じない。更に別の実施形態では、除去可能なモジュール１０２は、チャンネル１１０に対して平らに又は実質的に平らにされるか、或いはチャンネル１１０内に引っ込まされる。同様に、除去可能なモジュール１０２の近方端１１２及び遠方端１１４の各々は、ハウジング１０６の１つ以上の縁又は側壁、及び／又はチャンネル１１０の１つ以上の縁又は側部から延びるか、それと平ら又は実質的に平らにされるか、或いはそれから引っ込まされる。
【００９５】
例えば、除去可能なモジュール１０２の近方端１１２の側壁及び除去可能なモジュール１０２の遠方端１１４の側壁は、ハウジング１０６の側壁の形状と相補的な形状になる。従って、除去可能なモジュール１０２がハウジング１０６のチャンネル１１０内で位置がロックされるとき、除去可能なモジュール１０２の側壁及びハウジング１０６の側壁は、互いに平らで及び／又は滑らかとなる。即ち、除去可能なモジュール１０２の側壁の形状は、ハウジング１０６の側壁の形状に一致するか、さもなければ、それと整合される。
【００９６】
別の実施形態では、除去可能なモジュール１０２の近方端１１２及び遠方端１１４は、除去可能なモジュール１０２がチャンネル１１０内にロックされるか、さもなければ、それに係合されるときに、ハウジング１０６から突出又は伸張する。或いは又、チャンネル１１０及び／又はハウジング１０６の長さは、除去可能なモジュール１０２の長さより長い。そのような場合、除去可能なモジュール１０２の近方端１１２及び遠方端１１４は、チャンネル１１０又はハウジング１０６内に引っ込められる。更に、近方端１１２及び遠方端１１４の１つ以上は、端の直径の周りに延びる表面を有する。この表面は、チャンネル内での除去可能なモジュール１０２の更なる移動を防止又は禁止するためにハウジング１０６及び／又はチャンネル１１０に係合される。
【００９７】
ロックメカニズムは、除去可能なモジュール１０２が完全に係合されたときにハウジング１０６に係合される。例えば、ロックメカニズムのキャッチ部材１１８（図１Ａ）がチャンネル１１０のくぼみの近くにあるか又はその下にあるときには、ロックメカニズム内の１つ以上のスプリングメカニズムがロックメカニズムのキャッチ部材１１８をくぼみへと伸張させる。
【００９８】
より詳細には、ロックメカニズムの１つ以上のスプリングは、キャッチ部材１１８を、キャッチ部材１１８が除去可能なモジュール１０２の本体１０８の頂面に対して平らであるか又は実質的に平らである第１位置から、キャッチ部材１１８の少なくとも一部分が本体１０８の頂面から延びてくぼみに受け入れられる第２位置へ移動させる。くぼみに受け入れられると、キャッチ部材は、ハウジング１０６内での除去可能なモジュール１０２の動きを防止する。
【００９９】
除去可能なモジュール１０２がハウジング１０６と完全に係合されると、除去可能なモジュール１０２は、解除まで保持される。ある場合に、除去可能なモジュール１０２のロックメカニズムは、解除メカニズム１２０のボタン部分が作動されたときくぼみから解除される。例えば、解除メカニズム１２０、又は解除メカニズム１２０の部分は、キャッチ部材１１８の上でハウジング１０６のくぼみに配置される。解除メカニズム１２０のボタン部分が作動されると、解除メカニズム１２０のプランジャーがロックメカニズムのキャッチ部材１１８をくぼみからプッシュ又は追放する。キャッチ部材１１８がもはやくぼみに係合しなくなると、除去可能なモジュール１０２は、チャンネル１１０内をもう一度スライドすることができる。
【０１００】
ある実施形態では、ハウジング１０６が解除メカニズム１２０を含まない。例えば、ロックメカニズム又はくぼみは、除去可能なモジュール１０２の一端に力を加えたときに、除去可能なモジュール１０２がその加えた力の方向に移動するような形状とされる。除去可能なモジュール１０２が移動するとき、くぼみの１つ以上の側壁は、ロックメカニズムをくぼみから収縮及び解離させる。除去可能なモジュール１０２が加えた力の方向に移動するときロックメカニズムの収縮が続く。その結果、ロックメカニズムは、圧縮状態に入る（例えば、ロックメカニズムは、除去可能なモジュール１０２の本体１０８内に収容される）。ロックメカニズムがその圧縮状態にあるとき、除去可能なモジュール１０２は、上述したように、チャンネル１１０内をスライドすることができる。
【０１０１】
除去可能なモジュール１０２は、バンド、ストラップ、或いはそれに除去可能に結合された他のそのような付属品、物品又は物体を有する。バンド及びストラップを特に述べるが、除去可能なモジュール１０２は、種々の付属品又は装置に結合することができる。例えば、除去可能なモジュール１０２は、クリップ、紐、ドック、ケース、又は保護カバーを消費者向け製品１０４に固定するのに使用される。除去可能なモジュール１０２が、バンド、ストラップ、又は他のそのような付属品、物品又は物体を消費者向け製品１０４に結合するのに使用される実施形態では、バンド又はストラップは、ピン（図示せず）、留め具（図示せず）、スナップメカニズム（図示せず）、又は他の形式の取り付けメカニズムを使用して、除去可能なモジュール１０２に取り付けられる。バンド又はストラップは、消費者向け製品１０４を、消費者向け製品１０４のユーザに、或いは衣料品、スタンド、ディスプレイシステム又は任意の適当な品目に固定するのに使用される。
【０１０２】
図１Ａ−１Ｃには、方形の側壁及びチャンネルが示されているが、除去可能なモジュール１０２の本体１０８の側壁、及びコンポーネント又はハウジング１０６の側壁、特に、チャンネル１１０の近方端及び遠方端は、形状が互いに相補的である限り、いかなる望ましい形状を有してもよい。例えば、除去可能なモジュール１０２の本体１０８は、図２Ａ−２Ｆに示すように、丸み付けされたもの、方形、三角形、等でもよい。
【０１０３】
より詳細には、図２Ａ−２Ｆに示すように、除去可能なモジュール１０２の近方端及び遠方端の側壁、並びにハウジング１０６及び／又はチャンネル１１０の側壁は、１つ以上のフランジを有する（図２Ａ）。他の実施形態では、チャンネル及び除去可能なモジュールは、台形（図２Ｂ）、曲線（図２Ｃ）、楕円（図２Ｄ）、多角形（図２Ｅ）、又は図２Ｆに示すような別の形状でよい。同様に、取り付けシステムは、ハウジング１０６内で任意の望ましい向きに配置される。
【０１０４】
チャンネル１１０は、チャンネル１１０内に除去可能なモジュール１０２を含むアンダーカットを有する。ハウジング１０６のチャンネル１１０は、チャンネル１１０の開口に開口巾１２９を、そしてチャンネル内に最大巾１２８を有する。最大巾１２８は、アンダーカットを形成するために開口巾１２９より大きい。同様に、除去可能なモジュール１０２は、チャンネル１１０の開口巾１２９より小さい第１厚みと、チャンネル１１０の最大巾１２８より小さく且つ開口巾１２９より大きい第２厚みとを伴う第１部分を有する。従って、チャンネル１１０により形成されるアンダーカットのために、チャンネルの開口巾１２９は、開口に垂直な方向における除去可能なモジュール１０２の移動を制限するように構成される。
【０１０５】
図３Ａ−３Ｅは、除去可能なモジュール１３０が相手コンポーネント１３８の嵌合特徴部と係合される取り付けシステムの簡単な例である。相手コンポーネント１３８は、装置又は他の形式の消費者向け製品のハウジング又は本体である。図３Ａ−３Ｅの取り付けシステムは、図１Ａ−１Ｃを参照して上述した取り付けシステム１００、並びにここに開示する他の取り付けシステム、除去可能なモジュール、等と同様である。
【０１０６】
図３Ａは、本開示の１つ以上の実施形態による規範的な除去可能なモジュール１３０のブロック図である。図３Ａに示すように、除去可能なモジュール１３０は、キャッチ部材１３２及び傾斜部材１３４を有するロックメカニズムを備えている。ある実施形態では、キャッチ部材１３２は、スプリング素子１３６により傾斜部材１３４に結合される。ある実施形態では、キャッチ部材１３２は、ロックメカニズムが伸張状態（図３Ａに示す）であるとき除去可能なモジュール１３０の頂面に対して平らに又は実質的に平らにスプリングバイアスされる。更に、ロックメカニズムの傾斜部材１３４は、除去可能なモジュール１３０の底面に対して盛り上がるようにスプリングバイアスされる。
【０１０７】
図３Ｂは、本開示の１つ以上の実施形態により消費者向け製品のハウジング又はコンポーネント１３８のブロック図である。コンポーネント１３８は、ここに述べるような電子装置のためのハウジングである。コンポーネント１３８は、２つの端と、それら端間に延びる開口とを有するチャンネル１４４のような嵌合特徴部を含む。チャンネル１４４は、チャンネル１４４の一端に単一の開口を有する。チャンネル１４４は、図３Ａの除去可能なモジュール１３０を受け入れるように構成される。
【０１０８】
図３Ｂに示すように、コンポーネント１３８は、チャンネル１４４に対して配置された解除メカニズム１４０も備えている。解除メカニズム１４０は、チャンネル１４４の側壁に形成されたくぼみ１４２内に位置されるか又はそれに対して位置される。解除メカニズム１４０を作動すると、キャッチ部材１３２（図３Ａ）をくぼみ１４２から追放し、そして除去可能なモジュール１３０をコンポーネント１３８から解離させる。
【０１０９】
図３Ｃは、本開示の１つ以上の実施形態により除去可能なモジュール１３０が消費者向け製品のハウジング又はコンポーネント１３８に挿入される取り付けシステム１４６のブロック図である。除去可能なモジュール１３０の第１端は、コンポーネント１３８のチャンネル１４４の開口に挿入される。除去可能なモジュール１３０がコンポーネント１３８のチャンネル１４４へ更に挿入されると、傾斜部材１３４がチャンネル１４４の下部に接触し、除去可能なモジュール１３０の傾斜部材１３４を圧縮させる。
【０１１０】
図３Ｃに示したように、傾斜部材１３４の上方又は内方移動は、スプリング素子１３６を圧縮させ、これは、キャッチ部材１３２への上方又は外方の力を生じさせる。キャッチ部材１３２の移動を妨げるべきでない場合には、スプリング素子１３６により生じる上方又は外方力でキャッチ部材１３２を除去可能なモジュール１３０の上面から伸張又は突出させる。しかしながら、図３Ｃに示すように、キャッチ部材１３２は、チャンネル１４４に少なくとも部分的に挿入されているので、キャッチ部材１３２は、除去可能なモジュール１３０の上面から突出することが防止され、それと実質的に平らのままとされる。
【０１１１】
従って、図３Ｃを参照すれば、除去可能なモジュール１３０がコンポーネント１３８のチャンネル１４４内をスライド又は移動し続けるとき、ロックメカニズムは、圧縮状態に留まる（即ち、キャッチ部材１３２及び傾斜部材１３４の両方が除去可能なモジュール１３０の本体内に収容される）。ロックメカニズムは、キャッチ部材１３２がチャンネル１４４内のくぼみ１４２又は他の開口に接近するまでこの状態に留まる。
【０１１２】
図３Ｄは、除去可能なモジュール１３０が、コンポーネント１３８の嵌合特徴部、この場合は、チャンネル１４４、に完全に係合され又は挿入されるところを示す。図３Ｄに示したように、除去可能なモジュール１３０は、キャッチ部材１３２がくぼみ１４２と整列され又はそれに接近するように位置される。又、図３Ｄに示したように、除去可能なモジュール１３０は、チャンネル１４４に対して中央に来るようにされ、除去可能なモジュール１３０の側部は、コンポーネント１３８の１つ以上の側壁に対して平らに又は実質的に平らにされる。
【０１１３】
又、図３Ｄに示すように、キャッチ部材１３２は、伸張して、くぼみ１４２に受け入れられ、さもなければ、それに係合されて、除去可能なモジュール１３０をコンポーネント１３８内に位置ロックすることができる。特に、ロックメカニズムのキャッチ部材１３２は、キャッチ部材１３２が除去可能なモジュール１３０の頂面に対して平らであるか又は実質的に平らである第１位置から、ロックメカニズムのキャッチ部材１３２が除去可能なモジュール１３０の頂面から突出してくぼみ１４２に受け入れられる第２位置へと移動する。キャッチ部材１３２の上方又は外方移動は、スプリング素子１３６により促進され、この素子は、キャッチ部材１３２を図３Ｄに示すように第２位置に維持する。ここに示す例では、キャッチ部材１３２とくぼみ１４２との間の係合は、チャンネル１４４に対する除去可能なモジュール１３０の移動を防止する。
【０１１４】
別の実施形態では、ロックメカニズムは、キャッチ部材１３２を含むが、傾斜部材１３４は含まない。そのような実施形態では、ロックメカニズムのキャッチ部材１３２は、スプリング又は同様の素子によりバイアスされ、キャッチ部材１３２を除去可能なモジュール１３０の本体の頂面から突出させる。ロックメカニズムのキャッチ部材１３２がコンポーネント１３８のチャンネル１４４に接触すると、その接触でキャッチ部材１３２を除去可能なモジュール１３０へと引っ張るか又は押圧し、ロックメカニズムの１つ以上のスプリング又は圧縮性素子を圧縮させる。しかしながら、キャッチ部材１３２がチャンネル１４４のくぼみ１４２に接近すると、図３Ｄについて上述したように、キャッチ部材１３２は、くぼみ１４２へ伸張し、さもなければ、移動して、除去可能なモジュール１３０をチャンネル１４４内にロックする。
【０１１５】
除去可能なモジュール１３０をチャンネル１４４から解離又は解除するために解除メカニズム１４０が使用される。ある場合には、除去可能なモジュール１３０をアンロックするために、解除メカニズム１４０は、消費者向け製品のコンポーネント１３８（例えば、ハウジング）に配置され、そしてくぼみ１４２からキャッチ部材１３２を追放するように構成される。解除メカニズム１４０が作動されると、解除メカニズム１４０のプランジャーは、ロックメカニズムのキャッチ部材１３２を第２位置から第１位置へ戻すか又は実質的に戻すようにさせる。ロックメカニズムのキャッチ部材１３２がくぼみ１４２から除去されると、除去可能なモジュール１３０は、コンポーネント１３８のチャンネル１４４内を移動されるか、又はそこから完全に除去される。
【０１１６】
図３Ｅは、本開示の１つ以上の実施形態により除去可能なモジュール１３０が消費者向け製品のハウジング又はコンポーネント１３８から除去されるところを示す。上述したように、キャッチ部材１３２がくぼみ１４２から追放されるか、さもなければ、そこから除去されると、除去可能なモジュール１３０は、コンポーネント１３８のチャンネル１４４内をスライドし又は移動することができる。例えば、図３Ｅに示すように、除去可能なモジュール１３０は、チャンネル１４４内の１つの開口から離れる方向に移動されて、チャンネル１４４内の第２開口から出る。この場合に、除去可能なモジュール１３０は、チャンネル１４４からスライドして出て、除去可能なモジュール１３０をコンポーネント１３８から完全に解離する。
【０１１７】
解除メカニズム１４０の作動について特に述べたが、キャッチ部材１３２は、他の方法を使用して圧縮されてもよい。しかしながら、この別の設計も、ここに開示する他の別の設計も、ここに開示する実施形態の利用に何ら影響するものではない。
【０１１８】
例えば、キャッチ部材１３２がチャンネル１４４のくぼみ内にあるときに除去可能なモジュール１３０の片側に力が加えられる。除去可能なモジュール１３０に力が加えられると、ロックメカニズムのキャッチ部材１３２がくぼみ１４２の側部に接触する。除去可能なモジュール１３０がその加えられた力の方向に移動を続けると、くぼみ１４２の側部は、キャッチ部材１３２が第２位置から第１位置へ戻され又は実質的に戻されるまで、ロックメカニズムのキャッチ部材１３２を更に収縮させる。ロックメカニズムのキャッチ部材１３２がくぼみ１４２から除去されると、除去可能なモジュール１３０は、チャンネル１４４内を移動し又はスライドして、コンポーネント１３８から解離又は分離される。
【０１１９】
図４Ａは、本開示の取り付けシステムと共に使用される規範的な消費者向け製品１５０を示す。この消費者向け製品１５０は、例えば、種々の図面に示す消費者向け製品に対応する。
【０１２０】
消費者向け製品１５０、より詳細には、消費者向け製品１５０の取り付けシステムは、ベースユニット（図４Ａにハウジング１５４として示された）と、ハウジング１５４に除去可能に結合できる１つ以上の取り付けユニット（図４Ａに除去可能なモジュール１５２として示された）とを備えている。ハウジング１５４は、例えば、除去可能なモジュール１５２の対応結合ノードに機械的に係合する結合ノード（図４Ａにチャンネル１５６として示される）を含む。チャンネル１５６は、広く変化し得る。ハウジング１５４のチャンネル１５６は、開口を含み、一方、除去可能なモジュール１５２の結合ノードは、その開口に適合するラグを含む。開口は、種々の異なる形状及び方向で構成される。更に、開口は、ラグを除去可能に受け入れるように構成される。
【０１２１】
より詳細には、図４Ａに示すように、取り付けシステムの除去可能なモジュール１５２は、消費者向け製品１５０のハウジング１５４に対してスライドするように構成される。挿入されると、除去可能なモジュール１５２は、消費者向け製品１５０のハウジング１５４内をスライド又は移動し続ける。又、除去可能なモジュール１５２は、これがハウジング１５４内のある点に到達すると、消費者向け製品１５０のハウジング１５４内に位置がロックされる。除去可能なモジュール１５２は、ハウジング１５４内に位置がロックされるが、解除メカニズム（例えば、図４Ｄの解除メカニズム１７４）又はハウジング１５４のアクチュエータを作動すると、除去可能なモジュール１５２を解除し、除去可能なモジュール１５２をハウジング１５４から除去できるようにする。解除メカニズム１７４（図４Ｄ）は、ハウジング１５４の下面（図４Ｄの１７２）に配置される。他の実施形態では、解除メカニズム１７４（図４Ｄ）は、ハウジング１５４の頂面に配置又は位置される。更に、解除メカニズム１７４は、ハウジング１５４の下面及び／又は頂面の種々の位置に配置される。
【０１２２】
単一の除去可能なモジュール１５２について説明するが、複数の除去可能なモジュール１５２が消費者向け製品１５０に結合されてもよい。例えば、図４Ａに示すように、除去可能なモジュール１５２は、消費者向け製品１５０の第１の側に結合され、そして第２の除去可能なモジュール１５２は、消費者向け製品１５０の第２の側に結合される。
【０１２３】
複数の除去可能なモジュール１５２が使用されるとき、消費者向け製品１５０は、ハウジング１５４の両側に、対応チャンネル１５６又は他のそのような結合ノードを有する。従って、ハウジング１５４の第１の側のチャンネル１５６は、１つの除去可能なモジュール１５２を受け入れ、そしてハウジング１５４の第２の側のチャンネル１５６は、別の除去可能なモジュール１５２を受け入れる。
【０１２４】
各除去可能なモジュール１５２は、これを挿入すべきチャンネル１５６に基づいて特定の形状、サイズ又は方向を有する。例えば、第１の除去可能なモジュール１５２は、ハウジング１５４の第１の側のチャンネル１５６の形状及び／又はサイズに対応する円形の形状及び／又は第１のサイズを有する。同様に、第２の除去可能なモジュール１５２は、ハウジング１５４の第２の側のチャンネル１５６の形状及び／又はサイズに対応する第２のサイズ及び／又は形状を有する。他の実施形態では、各除去可能なモジュール１５２は、同じ形状及び／又はサイズを有し、それ故、互いに交換可能である。
【０１２５】
以上に加えて、第１の除去可能なモジュール１５２は、消費者向け製品１５０に結合され、一方、第２の除去可能なモジュール１５２は、消費者向け製品１５０から取り外され又は除去される。同様に、第２の除去可能なモジュール１５２が消費者向け製品１５０に結合され、一方、第１の除去可能なモジュール１５２が消費者向け製品１５０から除去されてもよい。第１の除去可能なモジュール１５２は、第１の付属品、物体又は物品、或いは第１のタイプの付属品、物体又は物品を受け入れるように構成される。同様に、第２の除去可能なモジュール１５２は、第１の除去可能なモジュール１５２に結合された付属品、物品又は物体と同様であるか、或いはそれとは異なる付属品、物体又は物品を受け入れるように構成されてもよい。
【０１２６】
簡単に上述したように、１つ以上の付属品１５８、物体又は物品は、各除去可能なモジュール１５２に結合される。より詳細には、各付属品１５８は、１つ以上の除去可能なモジュール１５２を使用して消費者向け製品１５０に除去可能に結合される。
【０１２７】
別の例において、各除去可能なモジュール１５２に結合される各付属品１５８は、異なる構造でもよいし、又は同じ構造の一部分でもよい。従って、付属品１５８の一端は、除去可能なモジュール１５２に除去可能に結合され、一方、付属品１５８の第２の端は、別の付属品１５８又はユーザに結合される。付属品１５８は、除去可能なモジュール１５２と一体化される。従って、付属品１５８は、除去可能なモジュール１５２から除去されない。
【０１２８】
消費者向け製品１５０は、広く変化し得る。例えば、消費者向け製品１５０は、ウェアラブルの消費者向け製品１５０である。それに加えて又はそれとは別に、消費者向け製品１５０は、電子装置である。又、消費者向け製品１５０は、ポータブルコンピューティング装置である。例えば、セルラーホン、スマートホン、タブレットコンピュータ、ラップトップコンピュータ、タイムキーピング装置、コンピュータ化ガラス及び他のウェアラブル装置ナビゲーション装置、スポーツ装置、アクセサリ装置、ヘルスモニタリング装置、医療装置、リストバンド、ブレスレット、宝飾品、等を含む。
【０１２９】
一例において、消費者向け製品１５０は、ウェアラブルの多機能電子装置である。電子装置は、上述した種々の機能及び／又は能力（例えば、計算、通信、タイムキーピング又は時間表示、ヘルスモニタリング、ヘルス追跡及び／又はヘルス出力機能／能力、等）を有する。一例において、消費者向け製品１５０は、手首着用の多機能装置であり、そして種々のコンポーネント及び／又はモジュール、例えば、図２１に示して以下に述べるコンポーネント及びモジュールを含む。別の例では、消費者向け製品１５０は、別の電子装置の伸張として動作する（その逆のことも言える）。例えば、消費者向け製品１５０は、それが手首着用装置として構成される場合、ユーザに支持されるか（例えば、ポケットに）又はユーザに関連した電話と相互作用する時計状装置として働いてもよい。
【０１３０】
消費者向け製品１５０は、ハウジング１５４を備えている。ハウジング１５４は、消費者向け製品１５０の周囲領域を取り巻くと共に、アッセンブルされた位置において消費者向け製品１５０の内部コンポーネントを支持するように働く。即ち、ハウジング１５４は、消費者向け製品１５０の計算及び機能的動作を与えるための種々の内部コンポーネント（例えば、集積回路チップ、プロセッサ、メモリ装置及び他の回路を含む）を包囲し且つ支持する。又、ハウジング１５４は、消費者向け製品１５０の形状又は形態を定義する上でも役立つ。即ち、ハウジング１５４の輪郭は、消費者向け製品１５０の物理的外部見掛けを具現化するものである。従って、これは、装置の審美的な見掛け及び触感を改善する種々の装飾的及び機械的特徴部を含む。ハウジング１５４は、単一部片として形成され、ハウジング１５４の構造的堅牢性、水不浸透性、及び製造性を向上させる。
【０１３１】
例えば、図４Ａに示すように、ハウジング１５４は、直線的な形状を有する。しかしながら、ハウジング１５４は、種々の形状に構成される。又、ハウジング１５４は、ディスプレイ１６０が配置される実質的に平坦又はフラットな頂面と、実質的に平坦又はフラットな底面とを有する。ハウジング１５４の頂面及びハウジング１５４の底面は、実質的に平坦であるが、ハウジング１５４の頂面とハウジングの１つ以上の側壁との間の移行部はカーブしてもよい。換言すれば、ハウジングの頂面から１つ以上の側壁（例えば、チャンネル１５６が位置する側部を含む）への移行部に丸みを付けて、ハウジング１５４の頂面と側部との間に滑らかな移行部が存在するようにしてもよい。同様に、ハウジング１５４の底面からハウジング１５４の１つ以上の側壁への移行部も、同様に丸み付けされた形状及び移行部を有してもよい。
【０１３２】
ケース又はエンクロージャーとも称されるハウジング１５４は、プラスチック、ガラス、セラミック、混合繊維、金属（例えば、ステンレススチール、アルミニウム、チタン、マグネシウム）、他の適当な材料、又はそれら材料の組み合わせで形成される。更に、ハウジング１５４の表面は、アルミニウム、スチール、金、銀、及び他の金属、金属合金、セラミック、木、プラスチック、種々の形式のガラス、及びその組み合わせ、等で形成される。
【０１３３】
消費者向け製品１５０は、ハウジング１５４の外側、ハウジング１５４内、ハウジング１５４を貫通して、ハウジング１５４の内側、等に配置される種々のコンポーネントを備えている。例えば、ハウジング１５４は、コンポーネントを内部に保持するための空洞、並びに種々の内部コンポーネントへのアクセスを与えるためのホール又はウインドウを含む。又、ハウジング１５４は、耐水又は防水装置を形成するように構成されてもよい。例えば、ハウジング１５４は、単一の本体から形成され、そして本体の開口は、他のコンポーネントと協働して耐水又は防水バリアを形成するように構成される。
【０１３４】
ある実施形態では、消費者向け製品１５０は、１つ以上のＩ／Ｏシステムを備えている。例えば、消費者向け製品１５０は、消費者向け製品１５０に関する種々の情報を出力するように構成されたディスプレイ１６０を備えている。このディスプレイ１６０は、消費者向け製品１５０により実行されるアプリケーション及び他のプログラムからのデータも出力する。例えば、消費者向け製品１５０は、時間、ユーザの健康、状態通知、外部接続装置又は通信装置から受信された通知又はメッセージ、及び／又はそのような装置で実行されるソフトウェアを与える。又、消費者向け製品１５０は、消費者向け製品で実行されるアプリケーション又は他の表示メッセージ、ビデオ、動作コマンド、等に関する情報も与える。
【０１３５】
ディスプレイ１６０は、入力を受け取るようにも構成される。ディスプレイ１６０は、容量性タッチ電極のアレイを含むタッチパネル又はタッチセンサと一体化又は合体される。ディスプレイ１６０が入力を受け取るように構成された実施形態では、ディスプレイ１６０は、入力エリアを有する。この入力エリアは、ディスプレイ１６０全体又はディスプレイ１６０の実質的に全体をカバーする。別の実施形態では、入力エリアは、ディスプレイ１６０の一部分しかカバーしない。更に、ディスプレイ１６０は、ディスプレイ上に受ける種々の接触ポイントを受信しそして処理するように構成されたマルチタッチディスプレイでよい。
【０１３６】
ディスプレイ１６０は、発光ダイオード（ＬＥＤ）、有機ＬＥＤ（ＯＬＥＤ）、プラズマセル、電子インクエレメント、液晶ディスプレイ（ＬＣＤ）コンポーネント、又は他の適当な画像ピクセル構造体から形成された画像ピクセルを含む。ディスプレイ１６０の形状、サイズ、及び寸法も変化し得る。例えば、ディスプレイ１６０は、平坦又は実質的に平坦である。他の実施形態では、ディスプレイ１６０は、凹状又は凸状である。ディスプレイ１６０は、ハウジング１５４の頂部をカバーし又は実質的にカバーする形状とされる。従って、ディスプレイ１６０は、ハウジング１５４の形状と同様の形状を有する。他の実施形態では、ディスプレイ１６０の形状は、ハウジング１５４の形状及び／又はサイズと異なってもよい。
【０１３７】
消費者向け製品１５０は、他の入力及び出力メカニズムも備えている。例えば、消費者向け製品１５０は、１つ以上のボタン１６２、王冠１６４、キー、ダイヤル、トラックパッド、マイクロホン、等を含むか又はそれとインターフェイスする。これら入力メカニズムの各々は、ハウジング１５４の頂面、及び／又はハウジング１５４の１つ以上の側壁に配置される。又、消費者向け製品１５０は、１つ以上のスピーカ、ヘッドホンジャック、等も含む。
【０１３８】
又、消費者向け製品１５０は、触覚出力、オーディオ出力、ビジュアル出力、又はその組み合わせを与えるように構成される。触覚出力については、消費者向け製品１５０は、触覚出力を与えるように構成された１つ以上の触覚アクチュエータを有する。触覚出力、及び上述した他の形態の出力は、種々のファクタに基づいて変化する。これらの幾つかは、消費者向け製品１５０をどのように使用するか、どのアプリケーションを実行するか、ディスプレイ１６０に出力される情報、等を含むが、これに限定されない。
【０１３９】
例えば、消費者向け製品１５０がユーザの健康を監視する場合には、第１の形式の触覚出力が与えられる。それとは別に又はそれに加えて、消費者向け製品１５０がタイムキーピングアプリケーションを実行する場合に、第２の形式の触覚出力が与えられる。更に別の例では、警報又はメッセージがディスプレイ１６０に出力される場合に、警報又はメッセージは、触覚出力、ビジュアル出力及びオーディオ出力を含む。
【０１４０】
触覚出力、オーディオ出力及び／又はビジュアル出力の形式、感触及び期間も変化し得る。例えば、消費者向け製品１５０の形式、感触及び期間は、消費者向け製品１５０の方向、及び／又は消費者向け製品１５０の場所又は位置に基づく（例えば、ユーザ、環境条件、消費者向け製品が外側か内側か、等々に関して）
【０１４１】
以上に加えて、（例えば、取り付けシステムを使用して）装置に取り付けられたバンド又は他の付属品は、触覚出力を与え及び／又は向上させるように構成される。例えば、バンド又は他の付属品は、除去可能な部分の内部に配置された触覚アクチュエータを有する。更に別の実施形態では、消費者向け製品１５０に配置された触覚アクチュエータは、バンド又は付属品１５８を共振させるか、又は触覚アクチュエータによって与えられる触覚出力を増幅させる。
【０１４２】
消費者向け製品１５０は、消費者向け製品が他の装置にインターフェイスできるようにするワイヤード又はワイヤレスの接続システムを備えている。これらの他の装置は、ラップトップコンピュータ、移動電話、タブレットコンピュータ、エクササイズ装置、電子ガラス、等を含む。
【０１４３】
消費者向け製品１５０は、動作コンポーネント（潜在的にハウジング１５４に収容される）も備えている。これらのコンポーネントは、プロセッサ、メモリ、通信システム、アンテナ、等を含む。例えば、消費者向け製品１５０は、メモリに結合されるか又はメモリと通信するプロセッサを備えている。又、消費者向け製品１５０は、１つ以上の通信インターフェイスも備えている。これらの通信インターフェイスは、通信装置と、外部通信ネットワーク、装置又はプラットホームとの間の電子的通信、例えば、ワイヤレスインターフェイス、Ｂｌｕｅｔｏｏｔｈ（登録商標）インターフェイス、近フィールド通信インターフェイス、赤外線インターフェイス、ＵＳＢインターフェイス、Ｗｉ−Ｆｉインターフェイス、ＴＣＰ／ＩＰインターフェイス、ネットワーク通信インターフェイス、又は任意の従来の通信インターフェイスを与えることができるが、これに限定されない。
【０１４４】
又、消費者向け製品１５０は、種々のセンサも備えている。これらのセンサは、生物測定学的センサ、ジャイロスコープ、加速度計、光センサ、光学センサ、グローバルポジショニングセンサ、等を含むが、これに限定されない。これらのセンサは、消費者向け製品１５０を助成するか、さもなければ、それに機能を与える。更に、これらセンサからの読みは、消費者向け製品１５０により分析され、及び／又は仲間の装置又は他の製品へ送信される。
【０１４５】
図４Ａにも示されたように、消費者向け製品１５０は、リストバンド又は取り付け付属品１５８のための交換可能なラグのような除去可能なモジュール１５２を受け入れるように構成されたチャンネル１５６、溝、又は他のそのような開口を含む。リストバンドは、規範的な取り付け付属品１５８として示されているが、他の形式の取り付け付属品、付属品、コンポーネント、等を、取り付けシステムを使用して、消費者向け製品１５０のハウジング１５４に除去可能に取り付けることができる。ある実施形態では、第１の付属品が長いバンド又はストラップを含み、このバンドストリップを、ループ又は留め具を含む第２の付属品を通してループ状にすることにより、ユーザに装置を取り付けるように構成される。
【０１４６】
付属品１５８は、除去可能なモジュール１５２に対して交換可能である。従って、消費者向け製品１５０の付属品１５８、除去可能なモジュール１５２、及びハウジング１５４（又は消費者向け製品１５０それ自体）、並びにその種々の組み合わせは、生態系を構成し、生態系の各コンポーネントは、互いに交換可能である。例えば、１つの除去可能なモジュール１５２は、種々の付属品と共に使用できる。別の実施形態では、種々の除去可能なモジュールは、単一の消費者向け製品１５０と共に使用できる。
【０１４７】
更に別の実施形態では、単一の付属品１５８及び／又は単一の除去可能なモジュール１５２が種々の消費者向け製品１５０に使用される。更に別の実施形態では、付属品１５８は、除去可能なモジュール１５２から除去されない。そのような場合に、除去可能なモジュール１５２及び付属品の組み合わせは、異なる除去可能なモジュール１５２と交換可能である。時計バンド付属品１５８の場合には、除去可能なモジュール１５２は、消費者向け製品１５０のハウジング１５４に取り付けるように構成された一端と、付属品１５８のバンドストラップに取り付けるように構成された別の端とを有するラグを備えている。
【０１４８】
付属品１５８のコンポーネント（例えば、バンド又はストラップ）は、例えば、磁石、スナップ、等の留め具又は他の取り付け手段を使用して、除去可能なモジュール１５２に結合される。又、付属品１５８のコンポーネントは、種々の取り付け手段を使用して除去可能なモジュール１５２に固定され、結合され、さもなければ、取り付けられる。それらは、例えば、留め具、ピン、磁石、スナップ、及び他のそのような取り付け手段を含むが、これに限定されない。他の実施形態では、付属品１５８の１つ以上のコンポーネントは、材料をオーバーモールドし、材料を機織りし、さもなければ、コンポーネントの材料を除去可能なモジュール１５２と一体化することにより、除去可能なモジュール１５２に固定される。
【０１４９】
バンド（又は付属品１５８）は、消費者向け製品１５０の第１の除去可能なモジュール１５２に取り付けられた第１のバンドストラップ１６６と、消費者向け製品１５０の第２の除去可能なモジュール１５２に取り付けられた第２のバンドストラップ１６８とを含む。ある実施形態では、第１のバンドストラップ１６６及び第２のバンドストラップ１６８の自由端は、留め具１７０を使用して互いに解除可能に固定されて、ループを形成するように構成される。このループは、次いで、消費者向け製品１５０をユーザの手首に取り付けるのに使用される。
【０１５０】
第１のバンドストラップ１６６及び第２のバンドストラップ１６８は、種々の用途に適した種々の材料から形成される。例えば、第１のバンドストラップ１６６及び第２のバンドストラップ１６８は、皮革、プラスチック、織られた布地、金属リンク、金属メッシュ材料、等から形成される。第１のバンドストラップ１６６及び第２のバンドストラップ１６８の材料及び構造は、用途に依存する。
【０１５１】
例えば、第１のバンドストラップ１６６及び第２のバンドストラップ１６８は、屋外の活動に典型的に関連した衝撃及び水分に露出するように構成された織られた布地材料から形成される。別の例では、第１のバンドストラップ１６６及び第２のバンドストラップ１６８は、専門的又は社会的活動に良く適した微細仕上げ及び構造をもつように構成された金属メッシュ材料から形成される。
【０１５２】
又、留め具１７０は、特定用途に対して構成され及び／又は特定形式のバンドに基づいて選択される。例えば、第１のバンドストラップ１６６及び第２のバンドストラップ１６８が金属メッシュ材料から形成される場合には、留め具１７０は、磁気固定メカニズムを含む。
【０１５３】
付属品１５８は、一体的な付属品である。従って、付属品１５８の遠方端は、第１の除去可能なモジュール１５２に結合されるよう構成され、そして付属品の近方端は、第２の除去可能なモジュール１５２に結合されるよう構成される。更に別の例では、付属品１５８は、除去可能なモジュール１５２又は除去可能なモジュールの種々のコンポーネントに直接結合されるか、又はそれらを含むように製造される。即ち、付属品１５８は、上述した除去可能なモジュールと同様に消費者向け製品１５０のハウジング１５４内をスライドするように構成された特徴部を含むように設計される。
【０１５４】
例えば、付属品１５８の近方端及び／又は遠方端は、ハウジング１５４のチャンネル１５６内に付属品１５８の端を固定するよう働くロックメカニズムを有する。更に、付属品１５８の端は、ここに述べるような１つ以上の突起又は摩擦パッドを含む。更に、付属品の近方端及び／又は遠方端は、皮革、シリコン、金属リンク又はメッシュ、等を含む種々の材料から作られる。
【０１５５】
図４Ｃは、本開示の１つ以上の実施形態による図４Ａの消費者向け製品１５０の側面図である。ハウジング１５４は、一般的に直線的な三次元形状を有する。長方形が示されて説明されるが、ハウジング１５４は、丸み付けされたもの、方形、楕円形、三角形でもよく、そして他のそのような形状でもよい。
【０１５６】
図４Ａに示す例では、ハウジング１５４は、２つの端（第１端、及び第１端とは反対の第２端）と、第１側部及び第１側部とは反対の第２側部とを有するものとして説明され、側部は端と連続している。この例では、第１端及び第２端、並びに第１側部及び第２側部は、外方にカーブした三次元形状を有する。
【０１５７】
ハウジング１５４の頂面及び底面は、実質的に平坦又はフラットである。他の実施形態では、頂面及び底面の一方又は両方が丸み付けされる。ディスプレイ１６０は、ハウジング１５４の頂面に位置される。ディスプレイ１６０が終るとき、ハウジング１５４は、フラットな又は平坦な表面から１つ以上の丸み付けされた縁へ移行する。丸み付けされた縁は、ハウジング１５４の頂面からハウジング１５４の側壁への及びハウジング１５４の側壁からハウジング１５４の底面への滑らかな移行を与える。ハウジング１５４の丸み付けされた縁は、ハウジングの側部プロフィールに一般的な菱形形状をもたせるが、他の形状も意図される。
【０１５８】
図４Ｃに示す例では、チャンネル１５６は、第１端に形成される。同様に、第２のチャンネルが第２端に形成される。ここに示す例では、チャンネル１５６は、第１及び第２の側部と第１及び第２の端の界面に開口を有する。又、図４Ｃに示したように、ハウジング１５４のチャンネル１５６は、ハウジング１５４の１つ以上の側壁に配置される。従って、丸み付けされた縁がハウジング１５４の頂面から底面へ移行するとき、丸み付けされた縁は、チャンネル１５６それ自体へと移行してもよい。即ち、チャンネル１５６は、ハウジング１５４の内実部分へと直接カーブしてもよい。従って、チャンネル１５６は、消費者向け製品１５０のディスプレイ１６０の下に位置される。
【０１５９】
チャンネル１５６の長さ及び形状は、ハウジング１５４の長さ及び形状をたどる。従って、ハウジング１５４が丸み付けされるか又はカーブされる場合には、チャンネル、及び１つ以上の除去可能なモジュール１５２も、丸み付けされるか又はカーブされる。
【０１６０】
図１０Ａを参照して以下に示すように、チャンネルは、内方にカーブした三次元形状をアンダーカットと共に有する。例えば、チャンネル１５６は、チャンネル１５６の近方端及び／又は遠方端の開口より大きな巾を有する。ハウジング１５４の上部は、チャンネル１５６の開口においてハウジング１５４の下部にオーバーハングしている。図４Ｃに示された例では、チャンネル１５６は、チャンネル１５６が連続的内部形状を形成するようにハウジング１５４の内実部分へとカットされる。
【０１６１】
チャンネル１５６は、ハウジング１５４の中心線に対してある角度で形成される。又、チャンネル１５６は、ハウジング１５４の中心線の下に配置されてもよい。ある実施形態では、チャンネル１５６は、ハウジング１５４のプロフィール内で上方及び内方に角度が付けられ、チャンネル１５６がハウジング１５４の垂直中心線に交差するようにされる。チャンネル１５６は、ハウジング１５４の中心線に対して約５°以上の角度にされる。
【０１６２】
チャンネル１５６は、種々の形状で構成される。例えば、チャンネル１５６は、図４Ｃに示すように丸み付けされる。他の実施形態では、チャンネル１５６は、図２Ａ−２Ｆを参照して述べたように、直線的でもよいし、他の形状でもよい。
【０１６３】
又、チャンネル１５６は、近方端に開口をそして遠方端に別の開口を有する。上述したように、チャンネル１５６は、各端の開口が接続されるようにハウジング１５４の側部に沿って延びる。更に、チャンネル１５６は、チャンネル１５６の横方向開口、並びにチャンネル１５６の近方端及び遠方端がハウジングの輪郭をたどるような形状とされる。従って、開口は、ハウジング１５４の形状及び寸法に基づいて傾斜されるか、さもなければ、カーブされる。又、開口は、消費者向け製品１５０のカーブした表面上にあり及び／又はその外部寸法の内方に位置される。
【０１６４】
チャンネル１５６は、近方端及び遠方端の開口が若干テーパ付けされるような形状にされる。チャンネル１５６がチャンネル１５６の中央に向かって進むにつれて、チャンネルの深さが増加する。換言すれば、チャンネル１５６の開放端付近で、チャンネル１５６は深さが浅く、そしてチャンネル１５６がハウジング１５４内を進むにつれて、チャンネルの深さが増加する。各開口は、上述したように、付属品（例えば、付属品１５８）及び／又は除去可能なモジュール１５２を受け入れるように構成されるので、チャンネル１５６をこのように構成することは、除去可能なモジュール１５２又は付属品１５８をチャンネル１５６に入れられるようにする上で役立つ。
【０１６５】
チャンネル１５６の近方端及び遠方端の開口に加えて、チャンネル１５６の近方端と遠方端との間にはスロットが延びる。このスロットは、物体がハウジング１５４を通過するためのスペースを与え、これは、チャンネル１５６内に収容されるか、さもなければ、ハウジング１５４に固定される除去可能なモジュール１５２に物体を取り付けられるようにする。
【０１６６】
スロットは、各端の開口の寸法より狭い寸法を有するか又はテーパ付けされる。即ち、チャンネル１５６の近方端及び遠方端は、第１の寸法を有し、一方、チャンネル１５６のスロットは、第２の寸法を有する。ある実施形態では、第２の寸法が第１の寸法より小さい。この構成は、チャンネル１５６内に収容される付属品１５８及び／又は除去可能なモジュール１５２の垂直移動を防止する上で助けとなる。
【０１６７】
例えば、スロットの寸法が狭いために、付属品１５８又は除去可能なモジュール１５２は、除去可能なモジュール１５２又は付属品１５８に加える力又は引っ張り運動によってスロットの前部から引き出されることが妨げられる。又、ハウジング１５４のスロットは、ハウジング１５４の曲がり、伸張、等を防止するか又は防止する上で助けとなる堅牢な材料で構成されてもよい。
【０１６８】
図４Ｄは、本開示の１つ以上の実施形態による図４Ａの消費者向け製品１５０の底面図である。ハウジング１５４の底面１７２は、上述したようにフラットであるか又は実質的にフラットである。他の実施形態では、ハウジング１５４の底面１７２又はハウジング１５４の底面１７２の一部分が丸み付けされる。更に、ハウジング１５４の底面１７２は、解除メカニズム１７４を含む。この解除メカニズム１７４は、チャンネル１５６のくぼみと整列される。上述したように、解除メカニズム１７４は、除去可能なモジュール１５２のロックメカニズムをチャンネル１５６から解除するのに使用される。
【０１６９】
図４Ｄは、解除メカニズム１７４がハウジング１５４の側部付近で中央に配置されるところを示しているが、解除メカニズム１７４は、ハウジング１５４の底面１７２のどこに配置されてもよい。更に、ハウジング１５４の各側部は、単一の解除メカニズム１７４を含んでもよいし、又は複数の解除メカニズム１７４を含んでもよい。更に、解除メカニズム１７４は、消費者向け製品１５０の底面１７２に示されているが、解除メカニズム１７４は、ハウジング１５４の側壁及び／又は消費者向け製品１５０の頂面に配置されてもよい。
【０１７０】
又、図４Ｄに示されたように、除去可能なモジュール１５２がチャンネル１５６に挿入されるときに、除去可能なモジュール１５２は、チャンネル１５６内に収容される。除去可能なモジュール１５２がチャンネル１５６内に収容されると、除去可能なモジュール１５２は、チャンネル１５６を生じたハウジング１５４の周囲に溝を完成するか、さもなければ、それを埋める。図４Ｄに示すように、１つ以上のアームがチャンネル１５６から延びる。これらアームは、上述したように、付属品１５８（図４Ａ）をハウジング１５４に固定するのに使用される。
【０１７１】
図５Ａ−６Ｃは、本開示の１つ以上の実施形態により除去可能なモジュール２０５及びハウジング３００の組み合わせを含む規範的な取り付けシステム２００を示す。除去可能なモジュール２０５は、例えば、それ以前の図に示して説明した除去可能なモジュールに対応する。例えば、除去可能なモジュール２０５及びハウジング３００は、図４Ａ−４Ｄに示して説明した除去可能なモジュール及びハウジングと同様である。
【０１７２】
図５Ａ−５Ｃに示したように、取り付けシステム２００の除去可能なモジュール２０５は、消費者向け製品のコンポーネント又はハウジング３００に除去可能に結合される。より詳細には、図５Ａ−６Ｃは、種々の段階中に除去可能なモジュール２０５が消費者向け製品のハウジング３００に挿入されるところを示す。
【０１７３】
図５Ａは、除去可能なモジュール２０５と、消費者向け製品の規範的なハウジング３００又は他のそのようなコンポーネントとを含む規範的な取り付けシステム２００を示す。除去可能なモジュール２０５は、消費者向け製品のハウジング３００から完全に除去されるか又はそれに一体化される完全に個別のユニットとして構成される。除去可能なモジュール２０５は、丸み付けされた及び／又はテーパ付けされた本体２１０を有し、そこから１つ以上のアーム２１３が延びている。
【０１７４】
アーム２１３の外壁は、図示されたように滑らかで且つ面取りされている。より詳細には、アーム２１３は、本体２１０の一部分として始まり、そして本体２１０を越えて延びる。アーム２１３の形状は、チャンネル３１５の形状及びハウジング３００の形状に基づいて変化する。更に、アーム２１３は、除去可能なモジュール２０５が図５Ｃに示すようにハウジング３００内に完全に入れられたときにハウジング３００の外面３１０の少なくとも一部分に対して平らに又は実質的に平らに成るように構成される。
【０１７５】
又、図５Ａに示したように、ハウジング３００は、除去可能なモジュール２０５の１つ以上のコンポーネントと相互作用するスプリングバイアスされたボタン部分３３０を含む解除メカニズムを備えている。例えば、ボタン部分３３０は、除去可能なモジュール２０５がハウジング３００内に位置ロックされた後にハウジング３００のチャンネル３１５から除去可能なモジュール２０５を解除すべく作動されるように構成される。規範的な解除メカニズムの更に詳細な説明は、図１０Ａ−１２Ｂを参照して以下に述べる。
【０１７６】
図５Ｂは、除去可能なモジュール２０５がハウジング３００のチャンネル３１５に部分的に挿入されるところを示す。図５Ｂに示すように、除去可能なモジュール２０５は、チャンネル３１５内に適合し、チャンネル３１５に対してスライドする。図５Ｂには示されていないが、除去可能なモジュール２０５の本体２１０がチャンネル３１５に挿入されると、除去可能なモジュール２０５のロックメカニズムは、図１３Ｂに示して述べるように圧縮される。
【０１７７】
除去可能なモジュール２０５の本体２１０が、図５Ｃに示すように、チャンネル３１５に完全に挿入されると、ロックメカニズム又はロックメカニズムの一部分は、チャンネルのくぼみに係合し、除去可能なモジュール２０５をチャンネル３１５に位置ロックする。ロックメカニズムとくぼみとの間の相互作用は、図１３Ｃ−１５に示して以下に詳細に説明する。除去可能なモジュール２０５がチャンネル３１５内にロックされると、ハウジング３００の外面３１０に対する解除メカニズムのボタン部分３３０の作動で除去可能なモジュール２０５が解除し、それにより、除去可能なモジュール２０５がチャンネル３１５内を移動することが許される。
【０１７８】
又、図５Ｃに示したように、取り付けシステム２００の除去可能なモジュール２０５がチャンネル３１５内にロックされるとき、アーム２１３の外面の形状がハウジング３００の外部形状に合致する。従って、ハウジングの側部が丸み付けされている場合には、アーム２１３の外面も丸み付けされ、除去可能なモジュール２０５及びハウジング３００は、単一の一体的部片として見える。
【０１７９】
図６Ａ−６Ｃは、除去可能なモジュール２０５及び消費者向け製品の規範的なハウジング３００を含む取り付けシステム２００の種々の図である。除去可能なモジュール２０５は、図示して前記で述べた除去可能なモジュールと同様である。従って、除去可能なモジュール２０５は、電子装置のハウジング３００に挿入されるか、さもなければ、消費者向け製品に結合される。更に、除去可能なモジュール２０５は、バンド、ストラップ、ドック、スタンド、ディスプレイシステム、等に除去可能に接続される。
【０１８０】
除去可能なモジュール２０５の種々のコンポーネント及び特徴部は、図７Ａ−９Ｃを参照して以下に詳細に述べる。従って、種々の図面にわたって同様のコンポーネントを示すために同様の参照番号が使用される。更に、断面ＡＡ及び断面ＢＢで示された種々の断面図について以下に述べる。更に、図６Ａの断面ＣＣ及び断面ＤＤで示す種々の断面図について以下に詳細に説明する。
【０１８１】
図６Ａは、除去可能なモジュール２０５がハウジング３００に係合されず又は取り付けられないところを示す上面図であり、図６Ｂは、除去可能なモジュール２０５がハウジング３００のチャンネル３１５に部分的に挿入されるところを示す上面図であり、そして図６Ｃは、除去可能なモジュール２０５がハウジング３００のチャンネル３１５に完全に挿入されたところを示す上面図である。図６Ａ−６Ｃのアッセンブルシーケンスに示したように、除去可能なモジュール２０５は、ハウジング３００のチャンネル３１５とスライド可能に係合されて、２つのコンポーネントを接続するように構成される。又、除去可能なモジュール２０５には、バンド又はストラップのような他のコンポーネントも取り付けられるが、明瞭化のために省略されている。
【０１８２】
本体２１０に配置されるロックメカニズムのキャッチ部材２２０は、チャンネル３１５と相互作用する。図１３Ａ及び１３Ｂに示して以下に述べるように、ロックメカニズムのキャッチ部材２２０は、除去可能なモジュール２０５の本体２１０に対して平らにスプリングバイアスされる。その結果、キャッチ部材２２０は、ほとんど又は全く抵抗を伴わずにチャンネル３１５に受け入れられる。しかしながら、除去可能なモジュール２０５の本体２１０がチャンネル３１５に完全に受け入れられると、キャッチ部材２２０は、図１３Ｃ及び１４Ａに示して以下に述べるように、チャンネル３１５内のくぼみへと延びる。
【０１８３】
除去可能なモジュール２０５は、１つ以上の摩擦パッド２６０も備えている。この摩擦パッドは、除去可能なモジュール２０５の本体２１０上の種々の位置に配置され、そして摩擦を増加し、移動を制限し、且つチャンネル３１５内の除去可能なモジュール２０５の間隔を維持するのに使用される。
【０１８４】
除去可能なモジュール２０５は、ハウジング３００のプロフィール形状の少なくとも一部分に対応するプロフィール形状を有する。特に、図６Ｃに示すように、チャンネル３１５の巾は、除去可能なモジュール２０５の本体２１０の巾に実質的に等しい。除去可能なモジュール２０５が完全に挿入されると、図６Ｃに示すように、本体２１０の外面の少なくとも一部分がハウジング３００の外面３１０と平らになるか又は実質的に平らになる。
【０１８５】
ここに示す実施形態では、本体２１０の外面の輪郭は、ハウジングの外面３１０の輪郭に対応するが、これは必要なことではない。例えば、ある実施形態では、除去可能なモジュールの本体は、ハウジング３００のチャンネル３１５に対応するが、除去可能なモジュール２０５の別の部分（例えば、１つ以上のアーム２１３）は、非合致形状である。又、図示されたように、除去可能なモジュール２０５のアーム２１３は、チャンネル３１５の長さに垂直な方向にハウジング３００から延びる。
【０１８６】
除去可能なモジュール２０５は、除去可能なモジュール２０５を別のコンポーネント又はアクセサリに結合するためのアーム２１３を備えている。各アーム２１３の表面には、係合特徴部２６５が形成される。この係合特徴部２６５は、ピン、ポスト、又は相手部品の同様の突出特徴部を受け入れるくぼみである。相手部品は、係合特徴部２６５を使用して除去可能なモジュール２０５に取り付けるバンドストラップ又は他のコンポーネントを含む。
【０１８７】
別の実施形態では、除去可能なモジュール２０５のアーム２１３は、ハウジング３００のチャンネル３１５に部分的に又は完全に受け入れられる。別の実施形態では、本体２１０及びアーム２１３は、チャンネル３１５から延びるか、さもなければ、突出する。又、これら図面に示されたように、アーム２１３は、除去可能なモジュール２０５が、図６Ｃに示すように、ハウジング３００内に完全に入れられたときハウジング３００の１つ以上の外壁に対して平らに又は実質的に平らになるように構成される。ハウジング３００におけるボタン部分３３０を作動すると、以下に述べるように、除去可能なモジュール２０５をチャンネル３１５から解除することができる。
【０１８８】
図７Ａ−９Ｃは、本開示の１つ以上の実施形態による取り付けシステムの除去可能なモジュール２０５の種々の図であって、そのコンポーネントを示す。図７Ａ−９Ｃに示して述べる除去可能なモジュール２０５は、図示して上述した取り付けシステムの除去可能なモジュールと同様である。更に、除去可能なモジュール２０５、及び除去可能なモジュール２０５の種々のコンポーネントに関して、特定の寸法、形状及び方向を以下に述べる。しかしながら、除去可能なモジュール２０５及びその関連コンポーネントの、ここに開示する寸法、形状及び方向は、それに限定されるものではなく、一例として使用されるに過ぎない。別の形状、寸法及び方向も、ここに開示する実施形態の利用に影響するものではない。従って、図７Ａ−９Ｃを参照して以下に述べる除去可能なモジュール２０５及びその関連コンポーネントの同様の寸法、形状及び方向は、ここに述べる除去可能なモジュールの種々の実施形態に使用できる。
【０１８９】
図７Ａは、本開示の１つ以上の実施形態による除去可能なモジュール２０５の分解斜視図である。除去可能なモジュール２０５は、本体２１０を含む。本体２１０は、図７Ａに示すように、細長く且つ丸み付けされる。より詳細には、本体２１０の頂面は、丸み付けされ、そして丸み付けされた側壁が丸み付けされた底面へと移行している。又、本体２１０は、本体２１０から延びる２つのアーム２１３間に配置されたフラット面も有する。このフラット面は、丸み付けされるか又はカーブした頂面と、丸み付けされるか又はカーブした底面との間にある丸み付けされた側壁に対向する。
【０１９０】
アーム２１３及び／又は本体２１０の巾は、本体２１０の前側（例えば、アーム２１３が始まる側）から後側へ移動するときに増加する。他の実施形態では、本体２１０の高さも、本体２１０の第１部分から本体の第２部分（例えば、フラットな側壁又は第１の移行壁から本体の丸み付けされた側壁又は第２の移行壁へ）へ移動するときに増加する。
【０１９１】
アーム２１３は、第１の端から第２の丸み付けされた端へ外方にフレアの付いた実質的に平坦な外側面を有する。本体２１０は、アーム２１３間に配置されて除去可能なモジュール２０５を完成する。別の実施形態では、本体２１０の頂面及び／又は底面は、フラット又は実質的にフラットであり、そしてフラットな頂面からフラットな底面へ移行する少なくとも１つの丸み付けされた側壁を有する。
【０１９２】
ある実施形態では、除去可能なモジュール２０５の本体２１０は、長さが３２．２ｍｍで、高さが３．２ｍｍで、巾が７．２ｍｍである。特定の寸法及び形状が与えられたが、本体２１０は、例えば、除去可能なモジュール２０５を使用する電子装置のハウジングの形式又はサイズに基づいて望ましい形状及び／又は寸法を有する。
【０１９３】
例えば、ウェアラブルな電子装置のハウジングに除去可能なモジュール２０５を使用すべき場合には、本体２１０及び／又は全除去可能なモジュール２０５は、第１組の寸法を有する。同様に、移動電話のハウジングに除去可能なモジュール２０５を使用すべき場合には、本体２１０及び／又は全除去可能なモジュール２０５は、第２組の寸法を有する。除去可能なモジュール２０５は、種々の異なる製品にわたって同じサイズを有する。従って、１つの製品に使用される除去可能なモジュール２０５は、別の製品の取り付けシステムと交換可能である。
【０１９４】
更に別の実施形態では、除去可能なモジュール２０５は、同様の装置の異なるサイズに対して異なる寸法を有する。例えば、ウェアラブル装置は、第１のサイズで入手でき、そして第２のサイズでも入手できる。ウェアラブル装置は同様の機能を有するが、取り付けシステム及び除去可能なモジュールは、各ウェアラブル装置のハウジングの各サイズに基づいて異なる形状及びサイズでよい。
【０１９５】
更に、除去可能なモジュール２０５及び／又は本体２１０の形状及び寸法は、特定の電子装置のターゲット聴衆の人口統計学データに基づいて変化してもよい。例えば、特定の電子装置のターゲットユーザが子供である場合には、除去可能なモジュール２０５は、第１の形状、方向及び１組の寸法を有する。同様に、電子装置のターゲットユーザが大人である場合には、除去可能なモジュール２０５は、第２の形状、方向及び１組の寸法を有する。
【０１９６】
除去可能なモジュール２０５の本体２１０は、金属、織物、セラミック、プラスチック、ゴム、又は他のそのようなポリマー、等を含む種々の材料で作られる。ある実施形態では、除去可能なモジュール２０５は、付属品又は物体、例えば、バンドと一体化される。即ち、除去可能なモジュール２０５及びバンドは、単一の一体的ユニットとして形成される。他の実施形態では、バンドは、除去可能なモジュール２０５の上にモールドされる。除去可能なモジュール２０５が物体又は付属品と一体化される実施形態では、以下に述べる種々のコンポーネントも、物体又は付属品と一体化される。
【０１９７】
バンドの例を続けると、バンドは、バンドと一体化される１つ以上の摩擦パッド２６０を有する。同様に、バンドは、以下に述べるロックメカニズムを有する。他の実施形態では、バンドは、チャンネルの寸法より若干大きな厚みを有する。従って、バンドは、チャンネルに入るためには圧縮されねばならないが、チャンネル内で圧縮解除してチャンネル内にバンドを固定する。
【０１９８】
除去可能なモジュール２０５の本体２１０を形成するのに使用される材料の形式に基づいて、本体２１０は、本体２１０内に配置された支持部材又は構造体を含む。例えば、本体２１０が織物、ゴム又はプラスチックで作られる場合には、本体２１０に堅牢性を付加するために本体２１０内に支持構造体が入れられる。支持構造体の付加された堅牢性は、除去可能なモジュール２０５が圧縮されるか又は垂直に引っ張られる（例えば、チャンネルの前部開口から引っ張られる）か、さもなければ、ハウジングのチャンネルから除去されるのを防止する上で助けとなる。
【０１９９】
図７Ａに戻ると、本体２１０は、近方端及び遠方端を含む。要求されるものでないが、近方端及び遠方端の各々は、本体２１０を越えて延びるアーム２１３を含む。このアーム２１３は、本体２１０の形状をたどり、菱形形状を有するが、他の形状も意図される。例えば、図５Ａ、６Ａ及び７Ａに示すように、本体２１０の近方端及び遠方端の各々は、丸み付けされ及び／又は面取りされたアーム２１３を有する。
【０２００】
アーム２１３は、除去可能なモジュール２０５の本体２１０の近方端及び遠方端を、電子装置のハウジングの１つ以上の側部、又は（図５Ｃ及び６Ｃに示すように）除去可能なモジュール２０５を挿入すべきチャンネルに対して平らに又は実質的に平らにできるように丸み付けされ及び／又はテーパ付けされ／面取りされる。面取りされたアーム２１３は、アーム２１３の背部からアーム２１３の前部へ約５°の角度を使用して面取りされる。
【０２０１】
特定の角度について述べたが、アーム２１３の面取りの角度は、任意の角度でよい。更に、アーム２１３は、種々のサイズで構成されてもよい。しかしながら、アーム２１３のサイズは、除去可能なモジュール２０５がチャンネル内にあるか又はチャンネル内をスライドするときにアーム２１３のどの部分にも力が不当に集中しない大きさでなければならない。丸み付けされ面取りされたアーム２１３が特に示されて説明されるが、除去可能なモジュール２０５の遠方端及び近方端は、ハウジングの形状、ハウジング内のチャンネルの形状、又は除去可能なモジュール２０５の望ましい審美性に基づいていかなる形状又は構成でもよい。
【０２０２】
又、除去可能なモジュール２０５は、本体２１０内に配置された開口２１５も含む。開口２１５は、本体２１０に沿った任意の点に位置される。従って、開口２１５は、本体２１０の中心軸にあるものとして示されているが、開口２１５は、本体２１０に沿った任意のポイントに任意の方向で位置されてもよい。これら実施形態では、開口２１５は、ロックメカニズムの１つ以上の部分を受け入れるように構成される。更に、開口２１５は、ロックメカニズムの各部分を開口２１５の各部分内でスライド移動できるようにする。
【０２０３】
より詳細には、開口２１５は、頂部及び底部を含む。頂部及び底部は、外側張出部及び内側張出部（例えば、外側張出部２１６及び内側張出部２１７（図９Ａ））によって分離される。外側張出部及び内側張出部は、両方とも、ロックメカニズムの種々の部分を開口２１５内に位置保持するのに使用される。更に、外側張出部及び内側張出部は、ロックメカニズムの種々の部分がここに述べる仕方で除去可能なモジュール２０５に対して及び互いにスプリングバイアスされることを保証するのにも使用される。
【０２０４】
図７Ａに戻ると、除去可能なモジュール２０５のロックメカニズムは、キャッチ部材２２０及び傾斜部２３５を含む。頂部から底部へと、キャッチ部材２２０は、上面、キャッチ部材２２０の上面からキャッチ部材２２０の底部へ延びる本体を形成する側壁２２５、本体の孔２３０、及び底部の開口を含む。ある実施形態では、キャッチ部材２２０の側壁２２５は、キャッチ部材２２０の上面に対して９０°の角度で形成されるが、他の角度が使用されてもよい。例えば、キャッチ部材２２０は、図１６Ａに示すように、キャッチ部材２２０の頂面とキャッチ部材の側壁との間に配置された面取り部を有する。この面取り部は、キャッチ部材の上面とキャッチ部材の本体との間の移行部を画成する。そのような実施形態では、面取りされた縁は、丸み付けされる。
【０２０５】
キャッチ部材２２０は、プラスチック、アルミニウム、ステンレススチール、金属、セラミック又は他の材料、或いはそれら材料の組み合わせで作られる。キャッチ部材２２０は、丸み付けされた楕円形又は菱形で構成され、そして滑らかな平坦な又は実質的に平坦な頂面を含む。ある実施形態では、キャッチ部材２２０は、長さが約５．２ｍｍ、巾が１．９ｍｍそして高さが１．８ｍｍであるが、他の寸法が使用されてもよい。
【０２０６】
面取りされた縁が存在する実施形態では、キャッチ部材２２０の平坦な又は実質的に平坦な頂面が、面取りされた縁により取り巻かれるか又は実質的に取り巻かれる。図１６Ａを参照して以下に述べるように、面取りされた縁は、チャンネルのくぼみにキャッチ部材２２０を挿入したり引き出したりするのを容易にするのに使用される。そのような実施形態では、面取りされた縁は、キャッチ部材２２０の平坦な又は実質的に平坦な頂面に対して約１８°の角度にされそして０．５ｍｍの長さを有するが、他の角度及び長さも意図される。
【０２０７】
キャッチ部材２２０は、平坦な又は実質的に平坦な頂面を有するものとして説明されたが、キャッチ部材２２０の頂面は、種々の構成を有してもよい。頂面は、平坦である必要はなく、面取りされた縁を有する必要もない。むしろ、頂面は、多数の異なる形態をとることができ、平坦な持ち上がった縁で取り巻かれた中央の凹所を画成してもよく、一般的にフラットなＣ、Ｕ、Ｔ、Ｅ又はＳ字型（又は他の同様の形状）を画成してもよく、フラットな又は実質的にフラットな表面の不連続なグループの形態をとってもよく、等々である。
【０２０８】
ある場合には、キャッチ部材２２０の頂面の一部分だけが平坦又は実質的に平坦であるが、頂面の他の部分は、凹状、非平坦、実質的に非平坦、等である。例えば、キャッチ部材の外縁は、平坦又は実質的に平坦であるが、頂面の他の部分（例えば、内部）は、凹状である。例えば、実質的に平坦な縁は、キャッチ部材２２０の頂面の周りに完全に又は部分的に延びる。別の例では、キャッチ部材２２０の頂面は、近方側から遠方側へと延びる平坦な又は実質的に平坦な区分を有する。
【０２０９】
頂面の構成に関わらず、頂面の少なくとも一部分は、典型的に、キャッチ部材２２０がハウジングのチャンネル及び／又はチャンネル内のくぼみに受け入れられるまで、チャンネルに係合する。より詳細には、実質的に平坦な頂面は、除去可能なモジュール２０５がここに述べるハウジングに対してスライドするときに除去可能なモジュール２０５の中断のない移動を与える。頂面の各部分は、ある実施形態ではチャンネルの縁に係合し続けてもよいし、又は他の実施形態ではチャンネルの側壁に係合し続けてもよいことが明らかである。
【０２１０】
特定の寸法、角度及び形状について上述したが、キャッチ部材２２０は、種々の構成、形状及びサイズを有してもよい。上述した例に加えて、別の実施形態では、キャッチ部材２２０の頂面は、丸み付けされてもよいし、又は非平坦でもよい。別の例では、キャッチ部材２２０は、長方形、丸み付け又は楕円形の形状、等を有する。キャッチ部材２２０の面取りされた縁は、それが存在するときには、キャッチ部材２２０の近方端及び遠方端（例えば、ハウジングのチャンネルに接触又は係合するキャッチ部材２２０の端）に配置される。
【０２１１】
キャッチ部材２２０の頂面は、ブロック又は階段構成を有する。図７Ａには示されていないが、電子装置のハウジングのチャンネル内のくぼみの形状は、キャッチ部材２２０をくぼみに少なくとも部分的に受け入れられるようにする形状、寸法及び方向を有する。
【０２１２】
又、キャッチ部材２２０の１つ以上の側壁は、孔２３０も画成する。この孔２３０は、傾斜部２３５の１つ以上のフランジ２４５を受け入れるように構成される。例えば、傾斜部２３５の１つ以上のフランジ２４５は、キャッチ部材２２０に少なくとも部分的に受け入れられそして孔２３０内に移動可能に固定されるように構成される。図７Ａでは、孔２３０が丸み付けされて示されているが、孔２３０は、種々の形状及び寸法を有してもよい。更に、孔２３０は、キャッチ部材２２０の種々の位置に配置される。
【０２１３】
孔２３０は、キャッチ部材２２０の側壁を完全に通して延びるものとして示されているが、孔２３０は、側壁を部分的に通して延びて、側壁に棚又は崖を形成してもよい。この棚も、傾斜部２３５のフランジ２４５を受け入れて固定するように構成される。
【０２１４】
又、ロックメカニズムは、傾斜部２３５を含む。この傾斜部２３５は、プラスチック、アルミニウム、ステンレススチール又は他の材料、或いは材料の組み合わせで作られる。傾斜部２３５は、丸み付けされた楕円形であり、そして丸み付けされるか又は実質的に非平坦な底面を有する。ある実施形態では、傾斜部２３５は、長さが５．２ｍｍ、巾が１．５ｍｍそして高さが２．５ｍｍであるが、他の寸法が使用されてもよい。
【０２１５】
傾斜部２３５の丸み付けされた又は非平坦な底面は、傾斜部２３５の丸み付けされた面が電子装置のハウジングのチャンネルに接触するか、さもなければ、圧縮されたときに、傾斜部２３５を開口２１５内にスライド接触させることができる。同様に、傾斜部２３５の丸み付けされた又は非平坦な底面は、傾斜部２３５が電子装置のハウジングのチャンネルを出るか、さもなければ、開口２１５から伸張することが許されるときに、開口２１５から傾斜部をスライド可能に伸張させることができる。
【０２１６】
傾斜部２３５は、丸み付けされた又は非平坦な底面をもつように示されているが、傾斜部２３５の底面は、いかなる形状に構成されてもよい。例えば、傾斜部２３５の底面は、部分的にフラットであるか又は実質的にフラットであり、そして面取りされた縁をもつ。傾斜部の面取りされた縁がハウジングのチャンネルに接触するときに、チャンネルにより面取りされた縁に加えられる力は、傾斜部２３５を開口２１５内に接触させる。
【０２１７】
又、傾斜部２３５は、１つ以上の突起２４０及び１つ以上のフランジ２４５も含む。突起２４０は、傾斜部２３５から延び、そして第１組のスプリングメカニズム２５０をロックメカニズムのキャッチ部材２２０とロックメカニズムの傾斜部２３５との間に固定するのに使用される。
【０２１８】
第１組のスプリングメカニズム２５０は、キャッチ部材２２０を傾斜部２３５から離れるようにバイアスするのに使用される。従って、傾斜部２３５がキャッチ部材２２０に向かう方向に移動する（そしてキャッチ部材２２０の伸張が防止される）ときには、第１組のスプリングメカニズム２５０は、キャッチ部材２２０を傾斜部２３５から離れる方向に移動させて、キャッチ部材２２０が除去可能なモジュール２０５の本体２１０の頂面から突出するようにする。従って、キャッチ部材２２０は、突起２４０に沿って第１組のスプリングメカニズム２５０の各スプリングメカニズムの少なくとも一部分を受け入れるように構成される。２つのスプリングメカニズム２５０及び２つの突起２４０を示して説明するが、第１組のスプリングメカニズム２５０は、いなかる数のスプリングメカニズムを含んでもよい。同様に、傾斜部２３５は、いかなる数の突起２４０を有してもよい。
【０２１９】
又、傾斜部２３５は、１つ以上のフランジ２４５も含む。上述したように、１つ以上のフランジ２４５は、傾斜部２３５をキャッチ部材２２０に固定するのに使用される。更に、１つ以上のフランジ２４５は、傾斜部２３５と開口２１５の下部との間に第２組のスプリングメカニズム２５５を固定するのに使用される。第２組のスプリングメカニズム２５５に対して２つのスプリングメカニズムが示されているが、傾斜部２３５は、傾斜部２３５及び開口２１５の下部内にいかなる数のスプリングメカニズムを固定するのにも使用できる。
【０２２０】
第２組のスプリングメカニズム２５５は、ロックメカニズムの傾斜部２３５を除去可能なモジュール２０５の底面に対して盛り上がるようにバイアスさせるのに使用される。更に、第２組のスプリングメカニズム２５５は、ロックメカニズムのキャッチ部材２２０を、除去可能なモジュール２０５の頂面に対して平らに又は実質的に平らになるようにバイアスさせる。より詳細には、第２組のスプリングメカニズム２５５は、傾斜部２３５の丸み付けされた又は非平坦な底面を除去可能なモジュール２０５から突出させる。
【０２２１】
傾斜部２３５は、除去可能なモジュール２０５に対して盛り上がるようにスプリングバイアスされるが、傾斜部２３５の非平坦な底面に力が加えられると（例えば、傾斜部の非平坦な底面をチャンネルに接触させ、そして取り付けシステムをチャンネル内でスライドし続けることにより）、第２組のスプリングメカニズム２５５が収縮して、傾斜部２３５をキャッチ部材２２０に向かう方向に移動させ、傾斜部２３５の非平坦な底面が除去可能なモジュール２０５の本体２１０の底面に対して平らに又は実質的に平らになるようにする。傾斜部２３５が電子装置のハウジングのチャンネルから除去されると、第２組のスプリングメカニズム２５５が伸張し、傾斜部２３５を除去可能なモジュール２０５の本体２１０から再び突出させる。
【０２２２】
又、除去可能なモジュール２０５は、除去可能なモジュール２０５の本体２１０から伸張又は突出する１つ以上の摩擦パッド２６０も備えている。摩擦パッド２６０は、本体２１０の先縁に位置される。摩擦パッド２６０は、除去可能なモジュール２０５が電子装置のハウジングのチャンネルに対してスライドするときに除去可能なモジュール２０５のガイドとして働く１つ以上の整列パッドを含む。摩擦パッド２６０は、本体２１０の頂面から依然突出しながら、本体２１０の輪郭をたどるか又は実質的にたどる丸み付けされた頂面を有する。摩擦パッド２６０は、平坦な又は実質的に平坦な頂面を有する。別の実施形態では、摩擦パッド２６０は、ロックメカニズムの一部分でもよいし、又はロックメカニズムと一体化されてもよい。例えば、ロックメカニズムのキャッチ部材２２０及び／又は傾斜部２３５は、摩擦パッド２６０でもよいし、又は表面に位置された摩擦パッドでもよい。
【０２２３】
摩擦パッド２６０は、長さが５．２ｍｍで、巾が１．５ｍｍでそして高さが３．４ｍｍである。ある実施形態では、摩擦パッド２６０は、本体２１０の頂面上及び／又は底面下に約０．１１ｍｍ延びる。更に、摩擦パッド２６０の中心から開口２１５までの距離は、７．２ｍｍである。摩擦パッド２６０の中心から本体２１０の外縁までの距離は、ある実施形態では、８．９ｍｍであり、そして除去可能なモジュール２０５がより大きなものである実施形態では、１０．３ｍｍである。
【０２２４】
摩擦パッド２６０は、丸み付けされた楕円形又は菱形の形状で示されているが、摩擦パッド２６０は、カーブし、盛り上がり、フラットであり、立ち上がった縁及びフラットな内部を有し、又はそれらの組み合わせでもよい。更に、特定の寸法が与えられているが、摩擦パッド２６０は、異なる寸法をもつ種々の形状で構成されてもよい。
【０２２５】
摩擦パッド２６０は、図７Ａに示すように、除去可能なモジュール２０５の本体２１０の種々の部分に配置される。例えば、除去可能なモジュール２０５の本体２１０の頂面は、１つ以上の摩擦パッド２６０を含み、そして除去可能なモジュール２０５の本体２１０の底面は、付加的な摩擦パッド２６０も含む。そのような実施形態では、本体２１０の頂面の摩擦パッド２６０は、本体２１０の底面の摩擦パッド２６０に対して整列される。
【０２２６】
本体２１０の頂面の摩擦パッド２６０は、本体２１０の底面の摩擦パッド２６０と非対称的に整列される。更に、摩擦パッド２６０は、ロックメカニズムのキャッチ部材２２０及び傾斜部２３５と整列される。
【０２２７】
他の実施形態では、摩擦パッドは、ロックメカニズムのキャッチ部材２２０及び／又は傾斜部２３５と整列されなくてもよい。更に別の実施形態では、摩擦パッド２６０は、本体２１０から完全に除去されてもよいし、或いは本体２１０の頂面又は底面に存在してもよい。
【０２２８】
摩擦パッド２６０は、プラスチック、ナイロン又は他のそのような材料で作られる。この材料は、除去可能なモジュール２０５と消費者向け製品のハウジングのチャンネルとの間の摩擦を増加するように働く材料である。
【０２２９】
除去可能なモジュール２０５の本体２１０は、摩擦パッド２６０が配置される１つ以上のくぼみを含む。別の実施形態では、摩擦パッド２６０は、除去可能なモジュール２０５の本体２１０の頂面、底面及び／又は側面に直接配置される。更に、摩擦パッド２６０は、除去可能なモジュール２０５の本体２１０の軸を完全に通して延びる１つ以上の開口に配置される。
【０２３０】
摩擦パッド２６０、又は各摩擦パッド２６０の少なくとも一部分は、除去可能なモジュール２０５の本体２１０の１つ以上の表面から伸張し又は突出する。そのような実施形態では、除去可能なモジュール２０５の本体２１０の表面を越えて延びる摩擦パッド２６０の部分は、（１）除去可能なモジュール２０５と、除去可能なモジュール２０５を配置すべき電子装置のハウジングのチャンネルとの間の摩擦を増加するため、及び（２）除去可能なモジュール２０５の１つ以上の表面と、除去可能なモジュール２０５を配置すべき電子装置のハウジングのチャンネルの表面との間の間隔を維持し又は実質的に維持するために、使用される。これら実施形態では、摩擦パッド２６０は、除去可能なモジュール２０５とチャンネルとの間のスペーシングを維持する上で助けとなるので、除去可能なモジュール２０５の何らかの移動により生じる望ましからぬ動き、ガタガタ音及び／又はノイズは、除去可能なモジュール２０５がチャンネル内に収容されたときに減少される。
【０２３１】
又、除去可能なモジュール２０５は、１つ以上の係合特徴部２６５も含む。図７Ａに示すように、１つ以上の係合特徴部２６５は、除去可能なモジュール２０５の本体２１０の近方端及び遠方端の各々から延びるアーム２１３の内側に配置される。更に、係合特徴部２６５は、本体２１０のフラットな又は実質的にフラットな側壁又は移行壁と平行に位置される。
【０２３２】
係合特徴部２６５は、バンド、ストラップ、又は他の付属品（図示せず）を除去可能なモジュール２０５に固定するのに使用される。例えば、バンド又はストラップは、これを除去可能なモジュール２０５に除去可能に取り付けることのできる１つ以上のピンを含む。従って、バンド又はストリップに関連したピンの近方端及び遠方端は、１つ以上の係合特徴部２６５の各々に受け入れられる。
【０２３３】
ある実施形態では、係合特徴部２６５に結合することでバンドを除去可能なモジュール２０５に固定するのに使用されるピンは、電子装置におけるハードリセットを遂行するのにも使用できる。例えば、ピン又はそのような他の接続メカニズムは、係合特徴部２６５から除去され、そして孔又は通信ポートに挿入されて、電子装置を工場デフォールト状態に復帰させる。別の実施形態では、ピン又は他のそのような接続メカニズムは、電子装置のハウジングに除去可能又はスライド可能に結合された区画（例えば、ＳＩＭカード又はメモリカード又は装置を保持するトレイ）にアクセスするのに使用される。
【０２３４】
１つ以上の係合特徴部２６５を特定の位置に示して説明したが、係合特徴部２６５は、除去可能なモジュール２０５の本体２１０に沿った種々の点に位置されてもよい。別の実施形態では、除去可能なモジュール２０５の本体２１０の近方端と遠方端のアーム２１３間にバーが横方向に延びる。そのような実施形態では、バンド又はストラップが織られるか、直接モールドされ又は取り付けられるか、さもなければ、バー及び除去可能なモジュール２０５を経て挿入されるので、１つ以上の係合特徴部２６５は必要とされない。
【０２３５】
図７Ｂは、本開示の１つ以上の実施形態による図７Ａのアッセンブルされた除去可能なモジュール２０５の斜視図である。図７Ｂに示したように、ロックメカニズムのキャッチ部材２２０は、除去可能なモジュール２０５の本体２１０内に配置されて、キャッチ部材２２０の頂面が本体２１０の頂面に対して平ら又は実質的に平らになるようにする。同様に、ロックメカニズムの傾斜部２３５は、除去可能なモジュール２０５の本体２１０内に配置されて、傾斜部２３５の底面が除去可能なモジュール２０５の本体２１０の底面から盛り上がるようにバイアスされるか又はそこから突出するようにされる。
【０２３６】
又、図７Ｂに示すように、１つ以上のフランジ２４５は、ロックメカニズムのキャッチ部材２２０の孔２３０内に受け入れられるように構成される。１つ以上のフランジ２４５は、傾斜部２３５の操作及びキャッチ部材２２０の移動に応答して孔２３０内を移動することが許される。
【０２３７】
例えば、傾斜部２３５が圧縮されると、フランジ２４５は、キャッチ部材２２０の頂面の方向に孔２３０内を移動する。キャッチ部材２２０が本体２１０から外方に伸張するとき、フランジ２４５は、孔２３０の頂部から移動し、孔２３０の底部に接触する。フランジ２４５が孔２３０の底部に接触すると、キャッチ部材２２０は、更に外方に伸張することが防止される。同様に、傾斜部２３５が外方に伸張するとき、フランジ２４５は、孔２３０の底部に対して固定され、これは、キャッチ部材２２０を除去可能なモジュール２０５の本体２１０の頂面に対して平らに又は実質的に平らにバイアスさせる。
【０２３８】
又、図７Ｂに示したように、第１組のスプリングメカニズム２５０は、傾斜部２３５の１つ以上の突起に結合される。又、第１組のスプリングメカニズム２５０は、傾斜部２３５とキャッチ部材２２０との間に固定される。上述したように、第１組のスプリングメカニズム２５０は、キャッチ部材２２０を傾斜部２３５から離れるようにバイアスさせる。更に、傾斜部２３５が圧縮されると、第１組のスプリングメカニズム２５０も圧縮され、これは、キャッチ部材２２０を、キャッチ部材２２０の平坦な又は実質的に平坦な頂面が除去可能なモジュール２０５の本体２１０の頂面に対して平らに又は実質的に平らになる第１の位置から、キャッチ部材２２０の少なくとも一部分が除去可能なモジュール２０５の本体２１０の頂面から突出する第２の位置へ移動させる。
【０２３９】
第２組のスプリングメカニズム２５５は、傾斜部２３５と、除去可能なモジュール２０５の本体２１０内に収容された開口２１５の底部の内部張出部との間に固定される。傾斜部の１つ以上のフランジ２４５がキャッチ部材２２０に固定されるときに、第２組のスプリングメカニズム２５５が傾斜部２３５を盛り上がるようにバイアスすると、フランジ２４５及び第２組のスプリングメカニズム２５５は、ロックメカニズムのキャッチ部材２２０を除去可能なモジュール２０５の本体２１０の頂面に対して平らに又は実質的に平らにバイアスさせる。
【０２４０】
図８Ａは、本開示の１つ以上の実施形態による図７Ａの除去可能なモジュール２０５のロックメカニズムの分解側面断面図である。より詳細には、図８Ａは、図６Ａに示された断面ＢＢから得られる分解断面図である。
【０２４１】
又、図８Ａは、除去可能なモジュール２０５の本体２１０の全体的な形状も示す。例えば、除去可能なモジュール２０５の本体２１０は、平坦な又は実質的に平坦な側壁、丸み付けされた頂面、丸み付けされた底面、及び前記実質的に平坦な側壁とは反対の丸み付された（又は実質的に非平坦な）外側側壁を有する。各側壁は、頂面と底面との間に移行部を与える。ある実施形態では、丸み付けされた外側側壁は、実質的に平坦な側壁より大きな寸法を有する。別の実施形態では、本体２１０の頂面及び／又は本体２１０の底面は、フラットであるか又は平坦であり、そして上述したような丸み付けされた外側側面及びフラットな又は実質的にフラットな側壁を有する。
【０２４２】
ある実施形態では、本体２１０の厚み、高さ及び／又は巾は、アーム２１３（図７Ａ）から本体の丸み付けされた側壁に向かう及び／又は開口２１５に向かう移動が決着したときに増加する。即ち、本体２１０は、第１の側（例えば、アーム２１３が本体２１０から延びる側）から第２の側へ移動するときに本体２１０の厚みが増加するようにテーパ付けされる。
【０２４３】
図８Ａに示すように、除去可能なモジュール２０５は、上部及び下部を有する開口２１５を含む。ある実施形態では、開口２１５の上部は、ロックメカニズムのキャッチ部材２２０を受け入れるように構成され、そして開口の底部は、ロックメカニズムの傾斜部２３５を受け入れるように構成される。
【０２４４】
又、図８Ａに示すように、ロックメカニズムのキャッチ部材２２０は、平坦な又は実質的に平坦な頂面を有する。ある実施形態では、キャッチ部材２２０は、傾斜部２３５の１つ以上の部分（例えば、１つ以上のフランジ２４５）を移動可能に固定するように構成された孔２３０を含む。より詳細には、傾斜部２３５の１つ以上のフランジ２４５は、キャッチ部材２２０の底部開口に受け入れられ、そして孔２３０にスナップフィット、プレスフィット又は他の仕方で受け入れられる。１つ以上のフランジ２４５が孔２３０内に固定されるが、１つ以上のフランジ２４５は、孔２３０内を移動することもできる。例えば、傾斜部２３５がキャッチ部材２２０に向かう方向又はキャッチ部材２２０から離れる方向に作動されるとき、１つ以上のフランジは、孔２３０内に依然固定されたまま所与の方向に孔２３０内を移動又はスライドすることが許される。
【０２４５】
ロックメカニズムの傾斜部２３５は、丸み付けされた又は非平坦な底面を有する。傾斜部２３５の非平坦な底面は、除去可能なモジュール２０５が電子装置のハウジングのチャンネルへスライドするか、さもなければ、そこに挿入されるときに傾斜部２３５を徐々に作動することができる。
【０２４６】
又、傾斜部２３５は、１つ以上の突起（図８Ａには示さず）及び１つ以上のフランジ２４５も含む。これら実施形態において、突起は、傾斜部２３５から延び、そしてキャッチ部材２２０と傾斜部２３５との間に第１組のスプリングメカニズム２５０を固定するのに使用される。同様に、１つ以上のフランジ２４５は、キャッチ部材２２０に傾斜部２３５を固定するのに使用され、そしてロックメカニズム内に第２組のスプリングメカニズム２５５を受け入れて固定するように構成される。より詳細には、１つ以上のフランジ２４５は、上述したように、傾斜部２３５と開口２１５の底部との間に第２組のスプリングメカニズム２５５を固定するのに使用される。
【０２４７】
図８Ｂは、本開示の１つ以上の実施形態による図７Ｂの除去可能なモジュール２０５のロックメカニズムのアッセンブルされた側面断面図（例えば、断面図ＢＢ（図６Ａ））である。図８Ｂに示すように、ロックメカニズムのキャッチ部材２２０は、除去可能なモジュール２０５の本体２１０の開口２１５内に配置される。そのような実施形態では、開口の頂部は、キャッチ部材２２０の平坦な又は実質的に平坦な頂面を除去可能なモジュール２０５の本体２１０の頂面に対して平らに又は実質的に平らにスプリングバイアスできるようにするに充分な深さを有する。
【０２４８】
又、図８Ｂは、１つ以上のフランジ２４５がロックメカニズムのキャッチ部材２２０内にどのようにして移動可能に受け入れられるかの構成も示している。例えば、フランジ２４５は、ロックメカニズムが図８Ｂに示すように伸張状態にあるときに孔２３０の底面に接触する。しかしながら、傾斜部２３５が圧縮されると、フランジ２４５は、孔２３０により与えられる利用スペース内でキャッチ部材２２０の頂面に向かって上方にスライド可能に移動する。その後、キャッチ部材２２０が本体２１０から外方に伸張すると、フランジ２４５は、孔２３０の頂部から孔２３０の下部へ移動して戻る。フランジ２４５が孔２３０の底部に接触すると、キャッチ部材２２０は、それ以上外方に伸張することが防止される。
【０２４９】
又、図８Ｂは、第１組のスプリングメカニズム２５０がキャッチ部材２２０と傾斜部２３５との間に固定されるところも示している。更に、図８Ｂは、第２組のスプリングメカニズム２５５がロックメカニズムの傾斜部２３５と開口２１５の底部の内側張出部との間に固定されることも示している。上述したように、第１組のスプリングメカニズム２５０は、キャッチ部材２２０をロックメカニズムの傾斜部２３５から離れるようにバイアスさせる。更に、第２組のスプリングメカニズム２５５は、キャッチ部材２２０を除去可能なモジュール２０５の本体２１０の第１の側に対して平らに又は実質的に平らにバイアスさせ、そして更に、傾斜部２３５を除去可能なモジュール２０５の本体２１０の第２の側に対して盛り上がるようにバイアスさせる。
【０２５０】
傾斜部２３５は、除去可能なモジュール２０５の本体２１０に対して盛り上がるようにスプリングバイアスされるが、傾斜部２３５の非平坦な底面に圧力が加えられるか、さもなければ、傾斜部２３５が作動されたとき、傾斜部２３５は、圧縮し、そして開口２１５に受け入れられる。傾斜部２３５は、傾斜部の非平坦な底面が開口２１５の底部に実質的に受け入れられるか又は完全に受け入れられるまで、本体２１０に受け入れられ続ける。
【０２５１】
図９Ａは、除去可能なモジュール２０５の本体２１０における開口２１５の前部断面図である。より詳細には、図９Ａは、開口２１５の断面図ＡＡ（図６Ａ）である。上述したように、開口２１５は、除去可能なモジュール２０５のロックメカニズムの１つ以上の部分を受け入れるように構成される。従って、開口２１５は、頂部２１４及び下部２１９を含む。頂部２１４は、第１の深さを有し、そしてロックメカニズムのキャッチ部材（例えば、キャッチ部材２２０（図７Ａ））を受け入れるように構成される。開口２１５の頂部２１４の深さは、外側張出部２１６及び内側張出部２１７の１つ以上により画成される。更に、開口２１５の頂部２１４の深さは、ロックメカニズムのキャッチ部材２２０の深さと同様であるか又は実質的に同様である。
【０２５２】
又、開口２１５は、ロックメカニズムの傾斜部（例えば、傾斜部２３５（図７Ａ））を受け入れるように構成された底部２１９も含む。開口２１５の頂部２１４と同様に、開口２１５の底部２１９は、外側張出部２１６及び内側張出部２１７により画成された深さを有する。開口２１５の底部２１９は、ロックメカニズムの傾斜部２３５を底部２１９に受け入れできるようにするに充分な深さを有する。従って、傾斜部２３５が圧縮状態にあるとき、ロックメカニズムの傾斜部の非平坦な底面は、本体２１０の第２の側に対して平らに又は実質的に平らになる。ある実施形態では、開口の底部２１９の深さは、傾斜部の深さの少なくとも２倍であるが、他の深さを使用してもよい。
【０２５３】
開口２１５は、１つ以上のパススルーホール２１８を含む。１つ以上のパススルーホール２１８は、１つ以上の突起（例えば、突起２４０（図７Ａ））と、この突起に結合された１つ以上のスプリングメカニズム（例えば、第１組のスプリングメカニズム２５０（図７Ａ））を、開口２１５の底部２１９と開口２１５の頂部２１４との間に通せるようにするために使用される。更に、開口２１５は、１つ以上のフランジ（例えば、フランジ２４５（図７Ａ））を開口２１５の底部２１９から開口２１５の頂部２１４へ通せるようにし且つロックメカニズムのキャッチ部材の孔（例えば、孔２３０（図７Ａ））へ移動可能に受け入れられるようにするための１つ以上の付加的なパススルーホール（図示せず）を有する。
【０２５４】
図９Ｂは、本開示の１つ以上の実施形態により、アッセンブルされたロックメカニズムを含む除去可能なモジュール２０５の本体２１０の開口２１５の前部断面図である。より詳細には、図９Ｂは、図６Ａの断面図ＡＡであり、ロックメカニズムは、完全伸張状態にあって、ロックメカニズムには外力又は圧縮力が全く作用していない。図９Ａを参照して上述したように、除去可能なモジュール２０５の本体２１０の開口２１５は、頂部及び底部（例えば、図９Ａの頂部２１４及び底部２１９）を含む。
【０２５５】
頂部は、外側張出部２１６及び内側張出部２１７の１つ以上により画成された第１の深さを有する。更に、図９Ｂに示すように、外側張出部２１６は、ロックメカニズムのキャッチ部材２２０のす句なくとも一部分（例えば、外縁）を支持するように構成される。そのような実施形態では、外側張出部２１６は、ロックメカニズムのキャッチ部材２２０が開口２１５の頂部から開口２１５の底部へ移動するのを防止する。更に、外側張出部２１６は、キャッチ部材２２０の平坦な又は実質的に平坦な頂面が除去可能なモジュール２０５の本体２１０の第１の側に対して平ら又は実質的に平らになるようにキャッチ部材２２０を支持するよう構成される。
【０２５６】
開口２１５の底部は、外側張出部２１６及び内側張出部２１７により画成された深さを有する。内側張出部２１７は、１つ以上のスプリングメカニズム、例えば、第２組のスプリングメカニズム２５５を支持するのに使用される。第２組のスプリングメカニズム２５５は、傾斜部２３５を、除去可能なモジュール２０５の本体２１０の第２の側に対して盛り上がるようにバイアスさせる。更に、第２組のスプリングメカニズムは、傾斜部２３５を開口２１５の底面内に圧縮することができる。
【０２５７】
又、開口２１５は、突起２４０及び第１組のスプリングメカニズム２５０を開口２１５の底部と開口２１５の頂部との間に通せるようにする１つ以上のパススルーホール２１８も含む。パススルーホール２１８は、第１組のスプリングメカニズム２５０が伸張及び収縮するときに第１組のスプリングメカニズム２５０の横方向運動を制限する。更に、開口２１５は、フランジ２４５を開口２１５の底面から開口２１５の頂面へ通せるようにし且つロックメカニズムのキャッチ部材２２０の側壁２２５の孔２３０に移動可能に受け入れられるようにする付加的なパススルーホール（図示せず）を有する。
【０２５８】
図９Ｃは、本開示の１つ以上の実施形態による除去可能なモジュール２０５のロックメカニズムの前部断面図である。より詳細には、図９Ｃは、図６Ａの断面図ＡＡであり、ロックメカニズムは、完全伸張状態にあって、ロックメカニズムには外力又は圧縮力が全く作用していない。又、図９Ｃは、ロックメカニズムのキャッチ部材２２０及びロックメカニズムの傾斜部２３５とロックメカニズムの第１組のスプリングメカニズム２５０との間の相互作用も示している。又、図９Ｃは、傾斜部２３５及び開口２１５の内側張出部２１７とロックメカニズムの第２組のスプリングメカニズム２５５との間の相互作用も示している。
【０２５９】
上述したように、ロックメカニズムのキャッチ部材２２０は、除去可能なモジュール２０５の本体２１０の開口２１５内に配置される。又、上述したように、開口２１５の頂部は、キャッチ部材２２０の平坦な又は実質的に平坦な頂面が除去可能なモジュール２０５の本体２１０の第１の面に対して平らに又は実質的に平らになるような深さを有する。更に、１つ以上の突起２４０がロックメカニズムの傾斜部２３５から延びて、キャッチ部材２２０に受け入れられる。又、突起２４０は、第１組のスプリングメカニズム２５０の横方向移動を制限するのにも使用される。
【０２６０】
第１組のスプリングメカニズム２５０は、矢印２７０の方向に圧縮及び伸張するように構成される。更に、第１組のスプリングメカニズム２５０は、ロックメカニズムのキャッチ部材２２０をロックメカニズムの傾斜部２３５から離れるようにバイアスするよう構成される。前記に加えて、第１組のスプリングメカニズム２５０は、ロックメカニズムの傾斜部２３５が以下に述べるように圧縮されたときキャッチ部材２２０の少なくとも一部分を開口２１５から突出させる。
【０２６１】
又、図９Ｃに示すように、ロックメカニズムの傾斜部２３５は、開口２１５の底部内に配置される。傾斜部２３５は、傾斜部２３５の少なくとも一部分が除去可能なモジュール２０５の本体２１０の第２の面から突出するように、本体２１０の第２の面に対して盛り上がるようにスプリングバイアスされる。そのような実施形態では、第２組のスプリングメカニズム２５５（例えば、予め負荷のかかったスプリング）が開口２１５の内側張出部２１７と傾斜部２３５との間に配置される。
【０２６２】
又、第２組のスプリングメカニズム２５５は、傾斜部２３５の非平坦な底面に力が加えられるか、さもなければ、傾斜部２３５が作動されたときに、傾斜部２３５が開口２１５の底部内をスライドするように傾斜部２３５を圧縮することができる。この作動が生じたときに、ロックメカニズムのキャッチ部材２２０が明確な移動路（例えば、ハウジングのチャンネル内に収容されず又はハウジングのチャンネルのくぼみの下にもない）を有する場合には、第１組のスプリングメカニズム２５０は、第１の位置、例えば、キャッチ部材２２０の平坦な頂面が、図９Ｃに示すように、除去可能なモジュール２０５の本体２１０の第１の面に対して平らに又は実質的に平らになる位置から、キャッチ部材２２０の少なくとも一部分が開口２１５から突出する第２の位置まで、キャッチ部材２２０を移動させる。面取りされた縁が存在する実施形態では、キャッチ部材２２０の面取りされた縁及び／又はキャッチ部材２２０の本体の一部分は、開口２１５から突出する。以下に述べるように、キャッチ部材２２０の突出部分は、電子装置のハウジングのチャンネル内に取り付けシステムを解除可能にロックすることができる。
【０２６３】
図１０Ａ−図１２Ｂは、本開示の１つ以上の実施形態による電子装置のハウジング３００のコンポーネントの種々の図である。図１０Ａ−図１２Ｂに示して説明する電子装置のハウジング３００は、図示して上述した消費者向け製品のハウジングと同様である。更に、図１０Ａ−図１２Ｂに示して説明する１つ以上のコンポーネント及び特徴部は、図示して上述した種々のハウジング、コンポーネント、孔、等に関連したコンポーネント及び特徴部と同様である。更に、ハウジング及びハウジング内のチャンネルに対して、特定の寸法、形状及び方向を以下に述べる。更に、ハウジング、チャンネル、及びそれらに関連したコンポーネント及び特徴部のここに開示する寸法、形状及び方向は、それに限定されるものではなく、一例として使用されるものである。又、以下に述べるハウジング、チャンネル及びそれに関連したコンポーネント及び特徴部の同様の寸法、形状及び方向が、前記実施形態に使用されてもよい。
【０２６４】
図１０Ａは、本開示の１つ以上の実施形態による電子装置のハウジング３００の一部分を示す。ハウジング３００は、ステンレススチール、アルミニウム、プラスチック、又は他の適当な材料で作られる。ハウジング３００は、図１０Ａに示すように、ハウジング３００の第１の側から第２の側へ延びるチャンネル３１５を含む。チャンネル３１５は、ハウジング３００の内実部分へとカーブしている。従って、チャンネル３１５は、電子装置の種々のコンポーネントの下に配置される。例えば、チャンネル３１５は、電子装置のディスプレイの下に配置される。
【０２６５】
例えば、チャンネル３１５は、ハウジング３００に直接形成される。この構成は、部品の数を減少し、且つ電子装置の構造上の完全性を向上させる。ある実施形態では、チャンネル３１５は、標準化されて、交換可能なコンポーネントのシステムと共に機能するように構成される。チャンネル３１５をハウジング３００に直接形成することで、部品が減少され、そして装置の構造上の完全性が促進される。
【０２６６】
チャンネル３１５は、ハウジング３００の第１の側からハウジング３００の第２の側へ完全に延びるものとして示されているが、チャンネル３１５は、ハウジング３００の第１の側からハウジング３００の第２の側へ部分的に延びてもよい。そのような実施形態では、チャンネル３１５の一端は、ハウジング３００の内壁（図示せず）で終る。
【０２６７】
ある実施形態では、チャンネル３１５は、直径が３．３ｍｍである。更に、チャンネル３１５の口の中のプロフィール曲線の長さは、約８．８ｍｍの長さである。除去可能なモジュール２０５（図７Ａ）がチャンネル３１５に挿入されたとき、除去可能なモジュール２０５の周りに約０．０４５ｍｍのギャップが存在するが、製造公差のために、ギャップは、０．０１５ｍｍと０．０７５ｍｍとの間で変化する。上述したように、１つ以上の摩擦パッド２６０（図７Ａ）を使用してその間隔が維持される。
【０２６８】
又、チャンネル３１５は、少なくとも部分的に丸み付けされた側壁を有する。更に、チャンネル３１５は、フラットな又は実質的にフラットな側壁を有する。更に、チャンネル３１５は、図１０Ｂ及び図１１Ａに示すように、ハウジング３００に対して約５°の角度で配置される。チャンネル３１５は、ハウジングの中心軸線の下に配置されるが、他の位置も意図される。チャンネル３１５の特定の形状、角度及び寸法について特に述べるが、チャンネル３１５は、種々の寸法及び方向を有する望ましい形状で構成できる。
【０２６９】
又、ハウジング３００は、外面３１０に配置された開口３２０も含む。ある実施形態では、開口３２０は、解除メカニズムの１つ以上の部分を受け入れるのに使用される。より詳細には、開口３２０は、解除メカニズムのボタン部分３３０及び解除メカニズムの１つ以上のスプリングメカニズム３４０を受け入れるように構成される。スプリングメカニズム３４０は、ボタン部分３３０と開口３２０の張出部との間に固定される。スプリングメカニズム３４０は、解除メカニズムのボタン３３０の平坦な又は実質的に平坦な頂面を、ハウジング３００の外面３１０に対して平らに又は実質的に平らにバイアスさせるのに使用される。
【０２７０】
ある実施形態では、解除メカニズムのボタン部分３３０は、ステンレススチール、アルミニウム、プラスチック、又は他の適当な材料で作られる。上述したように、解除メカニズムのボタン部分３３０は、ボタン部分３３０が開口３２０に配置されたときハウジング３００の外面３１０と平らに又は実質的に平らになるよう構成された丸み付けされた又はある角度の頂面を有する。別の実施形態では、ボタン部分３３０は、平坦な又は実質的に平坦な頂面を有する。
【０２７１】
ボタン部分３３０は、実質的に丸み付けされた楕円形で構成される。ある実施形態では、ボタン部分３３０は、長さが７．５ｍｍで、巾が１．６ｍｍで、高さが２．２ｍｍである。特定の寸法について述べるが、ボタン部分３３０は、種々の寸法及び形状を有してもよい。又、解除メカニズムのボタン部分３３０は、解除メカニズムのプランジャー３４５の１つ以上のフランジ３５０を受け入れるように構成された１つ以上の受け入れスロット３３５も含む。
【０２７２】
解除メカニズムのプランジャー３４５は、ステンレススチール、アルミニウム、プラスチック、又は他の適当な材料で作られる。更に、プランジャー３４５は、図１０Ａに示すように、平坦な又は実質的に平坦な底面を有する。他の実施形態では、底面は、凹状又は凸状である。１つ以上の実施形態によれば、プランジャー３４５は、長さが４．８ｍｍで、巾が１．６ｍｍで、高さが２．０ｍｍであるが、他の寸法及び形状も使用できる。
【０２７３】
プランジャー３４５の底面は、ロックメカニズムの少なくとも一部分、例えば、上述したようなロックメカニズムのキャッチ部材を作動するのに使用される。又、プランジャー３４５は、解除メカニズムのボタン部分３３０の１つ以上の受け入れスロット３３５に受け入れられ且つ固定されるよう構成された１つ以上のフランジ３５０も含む。
【０２７４】
又、ハウジング３００は、ハウジング３００のチャンネル３１５内に配置されたくぼみ３２５も含む。くぼみ３２５は、チャンネル３１５内の任意の点に位置される。例えば、くぼみ３２５は、チャンネル３１５の開口の１つの付近に位置される。１つの実施形態では、チャンネル３１５内に複数のくぼみ３２５が配置される。更に別の実施形態では、チャンネル３１５が以下に述べるような他の固定手段を有するので、くぼみ３２５は、チャンネル３１５内に配置されない。
【０２７５】
くぼみ３２５は、開口３２０の下に位置されて、開口３２０の一部分を形成する。従って、プランジャー３４５の１つ以上のフランジ３５０が、プランジャー３４５からくぼみ３２５を通して開口３２０へと延び、そしてボタン部分３３０の各受け入れスロット３３５内に固定される。プランジャー３４５がボタン部分３３０に結合されるので、ボタン部分３３０を作動すると、プランジャー３４５がくぼみ３２５内で移動される。プランジャー３４５は、解除メカニズムのボタン部分３３０の作動に応答してくぼみ３２５内を移動するので（例えば、くぼみ３２５内の第１の位置からくぼみ３２５内の第２の位置へ）、プランジャー３４５は、くぼみ３２５からロックメカニズムの一部分（例えば、キャッチ部材）を追放し、さもなければ、除去するように構成される。
【０２７６】
図１０Ａには示されていないが、チャンネル３１５は、ケーブル、プラグ又は他のそのようなメカニズムを電子装置に接続するのに使用されるコネクタスロットも含む。ケーブルは、例えば、装置のバッテリを充電し、データをストレージ装置へ及びストレージ装置から転送し、保守プロセスを遂行し、電子装置においてデフォールト及び／又はセーブした設定を回復し、等々のために使用される。コネクタスロットは、くぼみ３２５の近くに位置されてもよいし、又はくぼみ３２５と整列されてもよい。別の実施形態では、コネクタスロットは、チャンネル３１５内のどこか又はハウジング３００の他の部分に位置される。
【０２７７】
図１０Ｂは、本開示の１つ以上の実施形態により電子装置のハウジング３００内に収容されるアッセンブルされた解除メカニズムを示す。上述したように、解除メカニズムは、ボタン部分３３０及びプランジャー３４５を備えている。図１０Ｂに示すように、ボタン部分３３０は、ハウジング３００の開口３２０に受け入れられる。同様に、プランジャー３４５は、ハウジング３００のチャンネル３１５内に配置されたくぼみ３２５に受け入れられる。
【０２７８】
ボタン部分３３０の平坦な頂面は、１つ以上のスプリングメカニズム３４０を使用してハウジング３００の外面３１０に対して平らに又は実質的に平らにスプリングバイアスされる。プランジャー３４５は、１つ以上のフランジ３５０を使用してボタン部分３３０に結合される。即ち、１つ以上のフランジは、ボタン部分３３０により画成された各受け入れスロット３３４に受け入れられる。
【０２７９】
プランジャー３４５は、これをボタン部分３３０へ結合することにより、図１０Ｂに示すように、くぼみ３２５の最上部においてくぼみ３２５内に保持される。そのような位置付けにより、くぼみ３２５は、上述したように、ロックメカニズムの一部分を受け入れることができる。ロックメカニズムの一部分がくぼみ３２５に受け入れられると、ボタン部分３３０を作動して、プランジャー３４５をくぼみ３２５内で第１の位置から第２の位置（例えば、プランジャー３４５の平坦な又は実質的に平坦な底面がチャンネル３１５に対して平らに又は実質的に平らになる位置）へ移動させる。第１の位置から第２の位置へのプランジャー３４５の移動で、ロックメカニズムの一部分をくぼみ３２５内から追放し、更に、ロックメカニズムを圧縮し及び／又は圧縮状態に入れる。
【０２８０】
図１１Ａは、本開示の１つ以上の実施形態によりハウジング３００の解除メカニズムの分解側面断面図である。より詳細には、図１１Ａは、図６Ａの断面ＣＣから得られたハウジング３００の断面図である。
【０２８１】
図１１Ａに示すように、ハウジング３００は、ハウジング３００の第１の側からハウジング３００の第２の側へ延びるチャンネル３１５を含む。ある実施形態では、チャンネル３１５は、丸み付けされた構成を有し、そして上述したように、ハウジングに対してある角度で位置される。
【０２８２】
以上に述べたように、ハウジング３００は、外面３１０に配置された開口３２０も含む。開口３２０は、解除メカニズムの１つ以上の部分を受け入れるのに使用される。より詳細には、開口３２０は、解除メカニズムのボタン部分３３０及び解除メカニズムの１つ以上のスプリングメカニズム３４０を受け入れるように構成される。スプリングメカニズム３４０は、解除メカニズムのボタン部分３３０と開口３２０の張出部との間に固定される。更に、スプリングメカニズム３４０は、解除メカニズムのボタン部分３３０の頂面を、図１１Ｂに示すように、ハウジング３００の外面３１０に対して平らに又は実質的に平らにするようにバイアスさせる。
【０２８３】
又、解除メカニズムは、プランジャー３４５も含む。プランジャー３４５は、ボタン部分３３０の作動に応答して、くぼみ３２５の第１位置からくぼみ３２５の第２位置へ移動するように構成された平坦な又は実質的に平坦な底面を有する。又、プランジャー３４５は、図１１Ｂに示したように、解除メカニズムのボタン部分３３０の１つ以上の受け入れスロットに受け入れられ且つ固定されるように構成された１つ以上のフランジ３５０も含む。
【０２８４】
上述したように、ハウジング３００は、くぼみ３２５も含む。ある実施形態では、くぼみ３２５は、開口３２０の下に位置され、そしてプランジャー３４５の１つ以上のフランジ３５０を、くぼみ３２５を通して開口３２０へ伸張できるようにする。次いで、１つ以上のフランジ３５０は、ボタン部分３３０の各受け入れスロット３３５内に固定される。
【０２８５】
図１１Ｂは、本開示の１つ以上の実施形態により電子装置のハウジング３００内に収容されたアッセンブルされた解除メカニズムの側面断面図（図６Ａの断面図ＣＣ）である。図１１Ｂに示すように、プランジャー３４５がボタン部分３３０に結合されるので、プランジャー３４５は、くぼみ３２５の頂部内に位置され、そしてハウジング３００の外面３１０と平らに又は実質的に平らにされる。プランジャー３４５がくぼみ３２５の頂部内に位置されると、くぼみ３２５は、ロックメカニズムの少なくとも一部分を受け入れるように構成されたスペースを含む。ロックメカニズムの一部分がくぼみに受け入れられると、ボタン部分３３０のその後の作動で、プランジャー３４５をくぼみ３２５内で移動させ、そしてくぼみ３２５内に収容されたロックメカニズムの一部分を追放させる。又、図示されたように、スプリングメカニズム３４０は、１つ以上のフランジ３５０がそれに対応する受け入れスロット３３５に受け入れられるときプランジャー３４５とボタン部分３３０との間に固定される。
【０２８６】
図１２Ａは、本開示の１つ以上の実施形態による電子装置のハウジング３００の開口３２０の前部断面図（例えば、図６Ａの断面図ＤＤ）であり、そして図１２Ｂは、本開示の１つ以上の実施形態による電子装置のハウジング３００の開口３２０におけるアッセンブルされた解除メカニズムの前部断面図（例えば、図６Ａの断面図ＤＤ）である。ある実施形態において、開口３２０は、ハウジング３００のチャンネル３１５に位置されるか又はそれにより画成されるくぼみ３２５の上に位置される。
【０２８７】
開口３２０及びくぼみ３２５は、外側張出部３２１により少なくとも部分的に分離される。図１２Ｂに示すように、外側張出部３２１は、スプリングメカニズム３４０を保持するように構成され、スプリングメカニズム３４０は、解除メカニズムのボタン部分３３０の頂面をハウジング３００の外面３１０又は頂面に対して平らに又は実質的に平らにバイアスする。更に、外側張出部３２１は、解除メカニズムのプランジャー３４５をくぼみ３２５に保持するようにも構成される。
【０２８８】
又、図１２Ｂに示すように、開口３２０とくぼみ３２５との間にはパススルーが設けられる。ある実施形態では、パススルーは、プランジャー３４５の１つ以上のコンポーネント（例えば、フランジ３５０）がくぼみ３２５から開口３２０へ延びてボタン部分３３０に結合できるようにする。
【０２８９】
図１３Ａは、本開示の１つ以上の実施形態により除去可能なモジュール２０５が消費者向け製品のハウジング３００のチャンネル３１５へ部分的に挿入されるところを示す前部断面図（図６Ａの断面ＡＡで得られた）である。図１３Ａに示すように、除去可能なモジュール２０５は、キャッチ部材２２０及び傾斜部２３５を有するロックメカニズムを備えている。ある実施形態では、キャッチ部材２２０は、傾斜部２３５から延びる１つ以上のフランジ２４５を使用して傾斜部２３５に移動可能に結合される。
【０２９０】
種々の実施形態によれば、キャッチ部材２２０は、取り付けシステムの本体２１０に対して平らにスプリングバイアスされ、一方、傾斜部２３５は、除去可能なモジュール２０５の本体２１０に対して盛り上がるようにスプリングバイアスされる。より詳細には、ロックメカニズムは、１つ以上の突起２４０に結合されるか又はそれにより固定された第１組のスプリングメカニズム２５０を備え、これは、ロックメカニズムのキャッチ部材２２０及びロックメカニズムの傾斜部２３５を互いに離れるようにバイアスさせる。更に、第２組のスプリングメカニズム２５５は、傾斜部２３５を除去可能なモジュール２０５の本体２１０に対して盛り上がるようにバイアスさせる。第２組のスプリングメカニズム２５５は、フランジ２４５と共に、キャッチ部材２２０を除去可能なモジュール２０５の本体２１０に対して平らにバイアスさせる。
【０２９１】
上述したように、ある実施形態では、フランジ２４５は、孔２３０を経てキャッチ部材２２０に固定される。そのような実施形態では、フランジ２４５は、図８Ｂに示したように、最初に孔２３０の底部にラッチされる。しかしながら、図８Ｂを参照して述べたように、フランジ２４５は、孔２３０内を移動するように構成される。より詳細には、傾斜部２３５が圧縮されるとき、フランジ２４５は、孔２３０内の第１位置（フランジ２４５のオーバーハングが孔２３０の底部に接触する）から孔２３０内の第２位置へ移動する。同様に、傾斜部２３５が盛り上がるようにスプリングバイアスされるとき、フランジ２４５は、キャッチ部材２２０の孔２３０に下向きの力（例えば、傾斜部２３５に向かう力）を作用させ、これは、キャッチ部材２２０を保持するか、又は除去可能なモジュール２０５の本体２１０に対して平らに又は実質的に平らになるようにさせる。
【０２９２】
キャッチ部材２２０は、その長さが傾斜部２３５の長さに実質的に等しいか又はそれより若干大きい。例えば、キャッチ部材２２０は、長さが２．５ｍｍであり、一方、傾斜部２３５は、長さが２．０ｍｍである。特定の測定値が与えられるが、傾斜部２３５及びキャッチ部材２２０は、任意の長さでよい。キャッチ部材２２０は、本体２１０の頂面に対して平らに又は実質的に平らになるように構成されるが、キャッチ部材２２０が本体２１０の頂面から延びるとき（傾斜部２３５が作動された結果として）、キャッチ部材２２０は、約０．３８ｍｍだけ本体２１０の頂面を越えて延びる。
【０２９３】
キャッチ部材２２０及び傾斜部２３５の各々の長さは、除去可能なモジュール２０５をハウジング３００のチャンネル３１５にどのように受け入れるかに影響する。例えば、傾斜部２３５を圧縮すると、キャッチ部材２２０が除去可能なモジュール２０５の本体２１０から延びるか又は突出する。しかしながら、キャッチ部材２２０がチャンネル３１５に挿入される前にキャッチ部材２２０が除去可能なモジュール２０５の本体２１０から延びる場合には、除去可能なモジュール２０５は、チャンネル３１５に完全に入ることが防止される（キャッチ部材２２０を作動してキャッチ部材２２０を再圧縮することなく）。というのは、突出したキャッチ部材２２０がチャンネル３１５の側部又はハウジング３００の側部に接触するからである。
【０２９４】
しかしながら、傾斜部２３５が圧縮されることによるか、又は除去可能なモジュール２０５の頂面に対して平らに又は実質的に平らにされないことにより、キャッチ部材２２０がハウジングから突出する実施形態であっても、キャッチ部材２２０とチャンネル３１５との間の接触は、キャッチ部材２２０の圧縮を開始させる。特に、チャンネル３１５は、キャッチ部材２２０の側壁２２５（又は面取りされた縁が存在する場合にはキャッチ部材の面取りされた縁）に接触し、且つキャッチ部材２２０を圧縮させて、キャッチ部材２２０が除去可能なモジュール２０５の本体内に受け入れられるようにする。キャッチ部材２２０が圧縮すると、キャッチ部材２２０は、チャンネル３１５に入る。
【０２９５】
上述したキャッチ部材２２０の特徴部に加えて、傾斜部２３５の形状及び／又は長さは、傾斜部２３５が圧縮される前に、キャッチ部材２２０の少なくとも一部分をチャンネル３１５に挿入できるようにする。又、そのような構成は、キャッチ部材２２０の一部分がチャンネル３１５に挿入される前にキャッチ部材２２０が外側に延びるのを防止する上で役立つ。
【０２９６】
例えば、図１３Ａに示すように、キャッチ部材２２０の長さ２２３は、傾斜部２３５がチャンネル３１５の外縁に接触する前に、ハウジングのチャンネル３１５に受け入れられる。除去可能なモジュール２０５がチャンネル３１５に更に挿入されるとき、第１組のスプリングメカニズム２５０及び第２組のスプリングメカニズム２５５は、傾斜部２３５を圧縮させることができる。しかしながら、キャッチ部材２２０の長さ２２３は、ハウジング３００のチャンネル３１５内に収容されるので、キャッチ部材２２０は、完全に延びることができない。更に、除去可能なモジュール２０５がチャンネル３１５に挿入されるときには、１つ以上の摩擦パッド２６０が除去可能なモジュール２０５とチャンネル３１５との間に間隔を維持する。
【０２９７】
更に、図１３Ｂに示すように、除去可能なモジュール２０５がハウジング３００のチャンネル３１５へ更に挿入されると、チャンネル３１５は、傾斜部２３５の丸み付けされた底面が除去可能なモジュール２０５の本体２１０に対して平らに又は実質的に平らになるまで傾斜部２３５及び第２組のスプリングメカニズム２５５を連続的に圧縮させる。傾斜部２３５が圧縮されると、１つ以上のフランジ２４５が孔２３０内を移動する。又、図１３Ｂに示すように、傾斜部２３５及び第２組のスプリングメカニズム２５５の圧縮は、第１組のスプリングメカニズム２５０も圧縮させる。しかしながら、キャッチ部材２２０はチャンネル３１５内に収容されるので、ロックメカニズムは、図示された圧縮状態に留まる。ある実施形態では、図１３Ｂに示された除去可能なモジュール２０５の本体２１０の位置は、図５Ｂ及び図６Ｂに示して上述した除去可能なモジュール２０５の本体２１０の位置と同等である。
【０２９８】
図１３Ｃは、ロックメカニズムのキャッチ部材２２０がハウジング３００のチャンネル３１５のくぼみ３２５内に収容される除去可能なモジュール２０５のロックメカニズムの前部断面図（例えば、図６Ａの断面ＡＡ及びＤＤで見た）である。図１３Ｃに示したように、除去可能なモジュール２０５がハウジング３００のチャンネル１５に挿入されそしてキャッチ部材２２０がチャンネル３１５のくぼみ３２５に接触するとき、第１組のスプリングメカニズム２５０が延びる。第１組のスプリングメカニズム２５０が延びると、キャッチ部材２２０を矢印４００の方向に移動させ、そしてキャッチ部材２２０は、くぼみ３２５に受け入れられ、除去可能なモジュール２０５の位置をロックする。ある実施形態では、キャッチ部材２２０は、くぼみ３２５へ約０．３８ｍｍ延びるが、他の距離も意図される。図１３Ｃに示す除去可能なモジュール２０５の本体２１０の位置は、図５Ｃ及び図６Ｃに示して上述した除去可能なモジュール２０５の本体２１０の位置と同等である。
【０２９９】
キャッチ部材２２０は、面取りされた縁を含む。そのような実施形態では、くぼみ３２５も面取りされ、キャッチ部材２２０の面取りされた縁を受け入れる。そのような構成は、除去可能なモジュール２０５がチャンネル３１５内に位置ロックされたとき除去可能なモジュール２０５の移動を排除する上で役立つ。
【０３００】
又、図１３Ｃに示すように、キャッチ部材２２０がくぼみ３２５へ延びるとき、キャッチ部材２２０は、それが解除メカニズムのプランジャー３４５と接触するまで、外方に延びる。より詳細には、キャッチ部材２２０の平坦な又は実質的に平坦な頂面がプランジャー３４５の平坦な又は実質的に平坦な底面に接触する。従って、解除メカニズムのボタン部分３３０の作動に応答して、プランジャー３４５は、キャッチ部材２２０に接触するまで移動しない。
【０３０１】
図１４Ａは、本開示の１つ以上の実施形態により消費者向け製品のハウジング３００のチャンネル３１５のくぼみ３２５へ受け入れられた除去可能なモジュール２０５のロックメカニズムの側部断面図（例えば、図６Ａの断面ＢＢ及びＣＣで見た）である。より詳細には、図１４Ａに示すように、除去可能なモジュール２０５がハウジング３００のチャンネル３１５へ挿入されると、除去可能なモジュール２０５は、キャッチ部材２２０がチャンネル３１５のくぼみ３２５の下に来るまでチャンネル３１５内を移動する。キャッチ部材２２０がチャンネル３１５のくぼみ３２５の下に来ると、第１組のスプリングメカニズム２５０が延びて、キャッチ部材２２０の側壁２２５をチャンネル３１５に受け入れさせる。又、図１４Ａに示すように、キャッチ部材２２０は、これが解除メカニズムのプランジャー３４５に接触するまでくぼみ３２５へと延びる。
【０３０２】
除去可能なモジュール２０５は、チャンネル３１５内で等しく又は実質的に等しく離間される。上述したように、１つ以上の摩擦パッド（図示せず）が除去可能なモジュール２０５に配置され、そしてこれを使用して、チャンネル３１５と除去可能なモジュール２０５との間の間隔を維持する。
【０３０３】
図１４Ｂは、本開示の１つ以上の実施形態により消費者向け製品のハウジング３００内に収容される解除メカニズムの作動を示す。特に、図１４Ｂは、図１４Ａと比較すると、消費者向け製品のハウジング３００内に収容された解除メカニズムと、除去可能なモジュール２０５に収容されたロックメカニズムとの間の相互作用を示す。
【０３０４】
図１４Ｂに示すように、解除メカニズムのボタン部分３３０が矢印４１０の方向に作動されると、ボタン部分３３０は、ハウジング３００の外面３１０の下に移動する。より詳細には、解除メカニズムのスプリングメカニズム３４０が圧縮して、ボタン部分３３０をハウジング３００の開口３２０内で移動できるようにする。解除メカニズムのプランジャー３４５がボタン部分３３０に結合されているので、ボタン部分３３０を作動すると、プランジャー３４５は、くぼみ３２５の第１の位置（例えば、図１４Ａに示す位置）から、図１４Ｂに示すくぼみ３２５内の第２の位置へ移動される。
【０３０５】
プランジャー３４５の第２の位置は、プランジャー３４５の平坦な又は実質的に平坦な底面がチャンネル３１５に対して平らに又は実質的に平らになる位置である。図１４Ｂに更に示すように、プランジャー３４５が第１の位置から第２の位置へ移動するとき、プランジャー３４５は、ロックメカニズムのキャッチ部材２２０を矢印４２０の方向に移動させる。特に、プランジャー３４５は、ロックメカニズム内の第１組のスプリングメカニズム２５０を圧縮させる。第１組のスプリングメカニズムが圧縮すると、キャッチ部材２２０がくぼみ３２５から追放される。キャッチ部材２２０がくぼみ３２５から除去されると、除去可能なモジュール２０５がチャンネル３１５内を移動することができる。
【０３０６】
図１５は、本開示の１つ以上の実施形態により消費者向け製品のハウジング３００内に収容された作動された解除メカニズムの前部断面図である。より詳細には、図１５は、図１３Ｃと比較すると、消費者向け製品のハウジング３００内に収容された解除メカニズムと、除去可能なモジュール２０５内に収容されたロックメカニズムとの間の相互作用を示す。
【０３０７】
例えば、図１５に示すように、解除メカニズムのボタン部分３３０が作動されたとき、解除メカニズムのスプリングメカニズム３４０が圧縮し、ボタン部分３３０をハウジング３００の開口３２０内で移動できるようにする。又、ボタン部分３３０を作動すると、解除メカニズムのプランジャー３４５を、くぼみ３２５の第１の位置（例えば、例えば、図１３Ｃに示す位置）から、図１５に示すくぼみ３２５内の第２の位置へ移動させる。ある実施形態では、第２の位置は、プランジャー３４５の平坦な又は実質的に平坦な底面がチャンネル３１５に対して平らに又は実質的に平らになる位置である。プランジャー３４５が第１の位置から第２の位置へ移動するとき、プランジャー３４５は、第１組のスプリングメカニズム２５０を圧縮し、キャッチ部材２２０をくぼみ３２５から移動できるようにする。キャッチ部材２２０がくぼみ３２５から除去されると、除去可能なモジュール２０５は、チャンネル３１５内で移動することができる。
【０３０８】
図１６Ａは、本開示の１つ以上の別の実施形態による取り付けシステムの除去可能なモジュール５００のロックメカニズムの分解斜視図である。図１６Ａに示して説明する除去可能なモジュール５００は、図示して上述した実施形態に使用される。従って、除去可能なモジュール５００は、図４Ａの消費者向け製品１８０のような消費者向け製品のハウジングに挿入される。更に、除去可能なモジュール５００は、バンド、ストラップ、ドック、スタンド、ディスプレイシステム、等に除去可能に接続される。
【０３０９】
除去可能なモジュール５００は、本体５１０を備えている。この本体５１０は、図１６Ａに示すように、細長く且つ丸み付けされる。ある実施形態では、本体５１０は、図７Ａの本体２１０について上述したのと同様の寸法を有する。ある実施形態では、本体５１０は、近方端及び遠方端を含む。要求されることではないが、近方端及び遠方端の各々は、本体５１０を越えて延びるアーム５１３を含む。即ち、ある実施形態では、除去可能なモジュール５００は、アーム５１３をもたない本体５１０を備えてもよい。他の実施形態では、本体５１０は、バンド又は他の付属品が配置されるチャンネル、孔又は他のそのような開口を含む。
【０３１０】
図１６Ａには、丸み付けされた面取りされたアーム５１３が特に示され、これについて説明するが、除去可能なモジュール５００の近方端及び遠方端は、ハウジングの形状、ハウジング内のチャンネルの形状、或いは除去可能なモジュール５００の望ましい審美性に基づく形状又は構成である。
【０３１１】
又、除去可能なモジュール５００は、本体５１０内に配置された開口５１５も含む。開口５１５は、ロックメカニズムのキャッチ部材５２０を受け入れ、そしてキャッチ部材５２０を開口５１５内で移動できるようにする。しかしながら、図１６Ａに示すように、この規範的実施形態のロックメカニズムは、傾斜部を除外する。
【０３１２】
キャッチ部材５２０は、プラスチック、アルミニウム、ステンレススチール、又は他の材料、或いは材料の組み合わせで作られる。キャッチ部材５２０は、丸み付けされた楕円形で構成され、そして平らな又は実質的に平らな頂面を含む。ある実施形態では、キャッチ部材５２０は、キャッチ部材２２０（図７Ａ）を参照して上述したものと同様の寸法であるが、他の寸法も使用できる。
【０３１３】
キャッチ部材５２０の平坦な又は実質的に平坦な頂面は、面取りされた縁５２５により取り巻かれるか又は実質的に取り巻かれ、これは、除去可能なモジュール５００がチャンネルに挿入されるか或いはチャンネル内のくぼみ又は他の開口から除去されるときにキャッチ部材５２０の作動を促進する。他の実施形態では、キャッチ部材５２０は、丸み付けされた又は実質的に非平坦な頂面を有し、これは、キャッチ部材５２０がハウジングのチャンネルに接触するときにキャッチ部材５２０を作動できるようにする上で助けとなる。従って、面取りされた縁５２５は、必要とされない。
【０３１４】
ある実施形態では、キャッチ部材５２０は、ツール又はユーザによって加えられる力で作動される。ユーザが加えた力でキャッチ部材５２０が作動されると、除去可能なモジュール５００は、ハウジングのチャンネルに挿入される。
【０３１５】
より詳細には、キャッチ部材５２０は、除去可能なモジュール５００の本体５１０から突出する。除去可能なモジュール５００をチャンネルに完全に挿入するために、キャッチ部材５２０は、本体５１０に対して平らに又は実質的に平らになる必要がある。従って、個人が又はツールでキャッチ部材５２０を手動で圧縮し又は物理的に作動させ、キャッチ部材５２０、そしてその後は、除去可能なモジュール５００の本体５１０をチャンネルに挿入できるようにする必要がある。キャッチ部材を手で作動することは、図１６Ａ及び１６Ｂに示す実施形態で詳細に述べたが、キャッチ部材５２０を手で作動することは、ここに述べる他の実施形態でも使用できる。
【０３１６】
又、除去可能なモジュール５００は、１組のスプリングメカニズム５３０も含む。１組のスプリングメカニズム５３０は、キャッチ部材５２０が除去可能なモジュール５００の本体５１０の頂面に対して盛り上がるようにバイアスされる伸張位置（図１６Ｂに示す）から、キャッチ部材５２０の頂面が除去可能なモジュール５００の本体５１０の頂面に対して平らに又は実質的に平らになる収縮位置までキャッチ部材５２０を移動することができる。２つのスプリングメカニズム５３０を示して説明するが、１組のスプリングメカニズム５３０は、いかなる数のスプリングメカニズムを含んでもよい。
【０３１７】
要求されるものではないが、除去可能なモジュール５００は、１つ以上の摩擦パッド５４０も含む。この摩擦パッド５４０は、摩擦パッド２６０（図７Ａ）について上述したものと同様の寸法である。更に、摩擦パッド５４０は、丸み付けされた楕円構成で示されているが、摩擦パッド５４０は、寸法の異なる種々の形状で構成されてもよい。
【０３１８】
例えば、本体５１０の頂面は、複数の摩擦パッド５４０を含むが、本体５１０の底面は、本体５１０の底面に沿って部分的に又は完全に延びる単一の摩擦パッド５４０を含む。別の実施形態では、３つの摩擦パッド５４０が本体５１０の底面に位置され、そして本体５１０の頂面に配置された２つの摩擦パッド５４０及びキャッチ部材５２０とは逆に配置される。ある実施形態では、摩擦パッド５４０は、２つの表面間の摩擦を減少する上で助けとなるプラスチック、ナイロン又は他のそのような材料で作られる。
【０３１９】
除去可能なモジュール５００の本体５１０は、摩擦パッド５４０が配置される１つ以上のくぼみを含む。別の実施形態では、摩擦パッド５４０は、除去可能なモジュール５００の本体５１０の頂面、底面及び／又は側面に直接配置される。摩擦パッド５４０は、除去可能なモジュール５００の本体５１０の軸を通して完全に延びる１つ以上の開口に配置される。
【０３２０】
摩擦パッド５４０又は各摩擦パッド５４０の少なくとも一部分は、除去可能なモジュール５００の本体５１０の１つ以上の表面から延びるか又は突出する。除去可能なモジュール５００の本体５１０の表面を越えて延びる摩擦パッド５４０の部分は、（１）除去可能なモジュール５００と、除去可能なモジュール５００が挿入される消費者向け製品のハウジングのチャンネルとの間の摩擦を増加して、除去可能なモジュール５００の移動により生じる望ましからぬ移動、ガタガタ音、及び／又はノイズを減少するため、及び（２）除去可能なモジュール５００の表面と、除去可能なモジュール５００が挿入される消費者向け製品のハウジングのチャンネルの表面との間の間隔を維持し又は実質的に維持するために、使用される。
【０３２１】
又、除去可能なモジュール５００は、種々の実施形態による１つ以上の係合特徴部５５０も備えている。図１６Ａに示すように、１つ以上の係合特徴部５５０は、除去可能なモジュール５００の本体５１０の近方端及び遠方端の各々から延びるアーム５１３の内側に配置される。１つ以上の係合特徴部５５０は、図５Ｂを参照して述べたように、バンド又はストラップ（図示せず）を除去可能なモジュール５００に固定するのに使用される。
【０３２２】
図１６Ｂは、本開示の１つ以上の実施形態による図１６Ａのアッセンブルされたロックメカニズムの斜視図である。図１６Ｂに示すように、ロックメカニズムのキャッチ部材５２０は、キャッチ部材５２０の頂面が除去可能なモジュール５００の本体５１０の頂面に対して盛り上がるようにスプリングバイアスされるように、除去可能なモジュール５００の本体５１０内に配置される。キャッチ部材５２０は、本体５１０の頂面に対して盛り上がるようにスプリングバイアスされるが、１組のスプリングメカニズム５３０がキャッチ部材５２０を圧縮させ、これにより、キャッチ部材５２０は、図１６Ｂに示す第１の位置から、キャッチ部材５２０の頂面が除去可能なモジュール５００の本体５１０の頂面に対して平らに又は実質的に平らになる第２の位置まで移動させられる。
【０３２３】
図１７は、本開示の１つ以上の実施形態により図１６Ａ及び１６Ｂの除去可能なモジュール５００を受け入れるように構成された消費者向け製品のハウジング６００の一部分を示す。ハウジング６００は、除去可能なモジュール５００を受け入れるものとして図示して説明するが、ここに示して説明するハウジングの他の実施形態も、除去可能なモジュール５００に関連して使用することができる。例えば、除去可能なモジュール５００は、図示して上述したハウジング３００に解除可能に受け入れられる。
【０３２４】
ハウジング６００は、ステンレススチール、アルミニウム、プラスチック、又は他の適当な材料で作られる。ハウジング６００は、ハウジング６００の第１の側からハウジング６００の第２の側へと延びるチャンネル６１５を含む。チャンネル６１５は、図９においてハウジング６００の第１の側からハウジング６００の第２の側へ完全に延びるものとして示されているが、チャンネル６１５は、チャンネル６１５の一方の端がハウジング６００の内壁（図示せず）で終るようにハウジング６００の第１の側からハウジング６００の第２の側へ部分的に延びてもよい。
【０３２５】
チャンネル６１５は、丸み付けされた構成を有し、そして図４Ｃを参照して上述したようにハウジング６００に対してある角度で位置される。又、ハウジング６００は、ハウジング６００のチャンネル６１５内に配置されたくぼみ６２５も含む。このくぼみ６２５は、例えば、キャッチ部材５２０（図１３Ａ）のようなロックメカニズムのキャッチ部材を受け入れるように構成される。
【０３２６】
これら実施形態において、くぼみ６２５は、チャンネル６１５内に受け入れられる除去可能なモジュールの近方端又は遠方端に力が加えられたときにロックメカニズムのキャッチ部材を解除し及び／又はそれを圧縮するような形状にされる。例えば、除去可能なモジュールの一端に力が加えられると、くぼみ６２５の縁は、除去可能なモジュールのキャッチ部材の圧縮を開始する。除去可能なモジュールがその加えた力の方向に移動を続けると、キャッチ部材は、圧縮し続けて、やがて、完全圧縮状態（例えば、キャッチ部材の頂面が除去可能なモジュールの本体内に実質的に収容される状態）に至る。キャッチ部材が完全圧縮状態になると、除去可能なモジュールは、ハウジング６００のチャンネル６１５内を自由に移動できる。
【０３２７】
図１８Ａは、本開示の１つ以上の別の実施形態による取り付けシステムの除去可能なモジュール７００を示す。ある実施形態において、除去可能なモジュール７００は、本体７１０を備えている。本体７１０は、図１７に示すように細長く且つ丸み付けされる。ある実施形態では、本体７１０は、図７Ａの本体２１０について上述したものと同様の寸法を有する。
【０３２８】
図１８Ａに示すように、本体７１０は、近方端及び遠方端を含み、そして要求されるものではないが、近方端及び遠方端の各々は、本体７１０を越えて延びるアーム７１５を含む。丸み付けされ面取りされたアーム７１５を特に図示して説明するが、アーム７１５、並びに除去可能なモジュール７００の近方端及び遠方端は、ハウジングの形状、ハウジング内のチャンネルの形状、又は除去可能なモジュール７００の望ましい審美性に基づいていかなる形状又は構成でもよい。
【０３２９】
又、除去可能なモジュール７００は、除去可能なモジュール７００の１つ以上の表面に配置された１つ以上の摩擦パッド７２０も含む。例えば、除去可能なモジュール７００の頂面は、１つ以上の摩擦パッド７２０を含み、そして除去可能なモジュール７００の底面も、１つ以上の摩擦パッド７２０を含む。ある実施形態では、摩擦パッド７２０は、２つの表面間の摩擦を減少する上で助けとなるプラスチック、ナイロン又は他のそのような材料で作られる。これら実施形態において、摩擦パッド７２０は、摩擦パッド２６０（図７Ａ）について上述したものと同様の寸法を有する。更に、摩擦パッド７２０は、丸み付けされた楕円構成で示されているが、摩擦パッド７２０は、寸法の異なる種々の形状で構成されてもよい。
【０３３０】
除去可能なモジュール７００の本体７１０は、摩擦パッド７２０が配置される１つ以上のくぼみを含む。別の実施形態では、摩擦パッド７２０は、除去可能なモジュール７００の本体７１０の頂面、底面及び／又は側面に直接配置される。更に、摩擦パッド７２０は、除去可能なモジュール７００の本体７１０の軸を通して完全に延びる１つ以上の開口に配置される。ある実施形態では、摩擦パッド７２０は、傾斜部２３５（図７Ａ）及び／又はキャッチ部材２２０（図７Ａ）と一体化されるか、さもなければ、その一部分である。
【０３３１】
摩擦パッド７２０、又は各摩擦パッド７２０の少なくとも一部分は、除去可能なモジュール７００の本体７１０の１つ以上の表面から０．１１ｍｍ以上延び又は突出する。そのような実施形態では、除去可能なモジュール７００の本体７１０の表面を越えて延びる摩擦パッド７２０の部分は、ハウジングのチャンネルの対応するくぼみ、例えば、図１８Ｂのくぼみ８２０に除去可能に受け入れられる。更に、摩擦パッド７２０は、（１）除去可能なモジュール７００と、除去可能なモジュール７００が挿入される消費者向け製品のハウジングのチャンネルとの間の摩擦を増加して、除去可能なモジュール７００の望ましからぬガタガタ音又は移動を減少するため、及び（２）除去可能なモジュール７００の表面と、除去可能なモジュール７００が挿入される消費者向け製品のハウジングのチャンネルの表面との間の間隔を維持し又は実質的に維持するために、使用される。
【０３３２】
又、除去可能なモジュール７００は、種々の実施形態による１つ以上の係合特徴部７３０も含む。図１８Ａに示すように、１つ以上の係合特徴部７３０は、除去可能なモジュール７００の本体７１０の近方端及び遠方端の各々から延びるアーム７１５の内側に配置される。１つ以上の係合特徴部７３０は、図７Ａについて上述したように、バンド又はストラップ（図示せず）を除去可能なモジュール７００に固定するのに使用される。
【０３３３】
図１８Ｂは、本開示の１つ以上の実施形態により図１８Ａの除去可能なモジュール７００を受け入れるように構成された消費者向け製品のハウジング８００を示す。ある実施形態において、ハウジング８００は、取り付けシステムの一部分であり、ステンレススチール、アルミニウム、プラスチック又は他の適当な材料で作られる。ハウジング８００は、図１８Ｂに示すように、ハウジング８００の第１の側からハウジング８００の第２の側へと延びるチャンネル８１５を含む。チャンネル８１５は、ハウジング８００の第１の側からハウジング８００の第２の側へ完全に延びるものとして示されているが、チャンネル８１５は、チャンネル８１５の一方の端がハウジング８００の内壁（図示せず）で終るように、ハウジング８００の第１の側からハウジング８００の第２の側へ部分的に延びてもよい。
【０３３４】
ある実施形態では、チャンネル８１５は、丸み付けされた構成であり、そしてハウジング８００に対してある角度で位置される。又、ハウジング８００は、複数のくぼみ８２０も含む。
【０３３５】
ある実施形態では、複数のくぼみ８２０は、摩擦パッド、例えば、摩擦パッド７２０（図１８Ａ）の少なくとも一部分を受け入れるのに使用される。例えば、上述したように、摩擦パッドの一部分が除去可能なモジュールの表面から突出してもよい。従って、チャンネル８１５に配置された１つ以上のくぼみ８２０は、除去可能なモジュールがチャンネル８１５内に配置されたときに摩擦パッドの突出部分を受け入れる形状とされる。除去可能なモジュールがチャンネル８１５内をスライドするとき、摩擦パッドの突出部分は、くぼみ８２０に受け入れられる。その結果、除去可能なモジュールは、位置がロックされる。同様に、除去可能なモジュールの近方端又は遠方端に力が作用するとき、その力は、摩擦パッドを圧縮するか、さもなければ、くぼみ８２０から除去させ、除去可能なモジュール７００をチャンネル８１５内でスライドできるようにする。
【０３３６】
図１９は、本開示の１つ以上の実施形態により取り付けシステムの除去可能なモジュールを消費者向け製品のハウジング又はコンポーネントのチャンネルに挿入し且つ固定する方法９００を示す。この方法９００は、種々の取り付けシステムを、ここに述べる種々のチャンネル、コンポーネント、孔、等に挿入するのに使用される。例えば、方法９００は、図７Ａ−図９Ｃに示して説明した除去可能なモジュール２０５を、図１０Ａ−図１２Ｂに示して説明したハウジング３００のチャンネル３１５へ挿入するのに使用される。除去可能なモジュール及びチャンネルを含む特定の取り付けシステムについて述べるが、方法９００又はその一部分は、ここに述べるいずれの除去可能なモジュールを、ここに述べる種々の装置のいずれのチャンネルに挿入するのにも使用される。
【０３３７】
方法９００は、除去可能なモジュール又は係合ノードが消費者向け製品のハウジングのチャンネルに挿入される（９１０）ときに始まる。より詳細には、除去可能なモジュールのヘッド部分は、消費者向け製品に対してスライドするように構成される。除去可能なモジュールは、１組以上のスプリングメカニズム、第１部分及び第２部分を有するロックメカニズムを備えている。
【０３３８】
ロックメカニズムの第１部分は、ハウジング又はコンポーネントのチャンネルへ挿入される。ある実施形態では、除去可能なモジュールは、本体の長さに沿って突出又は延長されるプロフィール形状をもつ本体を有する。同様に、ハウジング又はコンポーネントは、長さ又は方向に沿って延長される同様のプロフィール形状を有する対応開口又は特徴部を有する。動作に関しては、除去可能なモジュールは、本体の長さ及び開口の長さの両方と実質的に整列される方向に沿ってハウジングの開口へ除去可能なモジュールの本体をスライドすることにより挿入される。
【０３３９】
上述したように、除去可能なモジュールは、スプリング負荷されたロックメカニズムを備えている。ある実施形態では、ロックメカニズムの第１部分は、除去可能なモジュールに対して平らになるようにスプリングバイアスされる。又、ロックメカニズムの第１部分は、これ以前の図面に対して上述したキャッチ部材に対応する。ロックメカニズムの第２部分は、各除去可能なモジュールに対して盛り上がるようにスプリングバイアスされる。ロックメカニズムの第２部分は、これ以前の図面に対して上述した傾斜部材に対応する。又、ロックメカニズムは、ロックメカニズムの第１部分及びロックメカニズムの第２部分を互いに離れるようにバイアスさせる第１組のスプリング素子又はメカニズムも含む。更に、第２組のスプリング素子又はメカニズムは、第２部分を除去可能なモジュールの表面に対して盛り上がるようにバイアスさせる。又、第２組のスプリング素子又はメカニズムは、ロックメカニズムの第１部分を除去可能なモジュールに対して平らになるようにバイアスさせる。
【０３４０】
動作９２０において、除去可能なモジュールの少なくとも片側に力が加えられる。除去可能なモジュールに力が加えられると、除去可能なモジュールは、加えられた力の方向にチャンネル内をスライドする。ロックメカニズムの第１部分は、その長さが、ロックメカニズムの第２部分の長さに実質的に等しいか、それより若干長い。従って、除去可能なモジュールがハウジングへ更にスライドすると、ロックメカニズムの第２部分がチャンネルの外縁に接触する前に、ロックメカニズムの第１部分がチャンネルに入る。或いは又、チャンネルは、第１の縁が第２の縁を越えて突出していて、ロックメカニズムの第２部分が第２の縁に係合する前にロックメカニズムの第１部分が第１の縁に係合する。いずれにせよ、チャンネルは、ロックメカニズムの第２部分が上述したようにチャンネルとの接触のために圧縮状態に入り始めたときでも、ロックメカニズムの第１部分を圧縮状態に保持する。
【０３４１】
動作９３０において、除去可能なモジュールのロックメカニズムの第２部分は、チャンネルに接触する。ロックメカニズムの第２部分がチャンネルに接触し、そして除去可能なモジュールに力が連続的に加えられるとき、チャンネルは、ロックメカニズムの第２部分を圧縮し又は除去可能なモジュールへ引っ込ませる。
【０３４２】
除去可能なモジュールがチャンネルに更に挿入されると、第１組のスプリング素子又はメカニズム、及び第２組のスプリング素子又はメカニズムは、ロックメカニズムの第２部分が除去可能なモジュール内に収容されるまで、又は少なくとも、ロックメカニズムの第２部分がチャンネル内に収容されるまで、ロックメカニズムの第２部分を圧縮することができる。第１及び第２組のスプリング素子又はメカニズムは圧縮され、そして第１組のスプリング素子又はメカニズムは、ロックメカニズムの第１部分をロックメカニズムの第２部分から離すようにバイアスするが、ロックメカニズムの第１部分は、チャンネル内に収容されて、ロックメカニズムの第１部分が伸張するのを防止する。それ故、ロックメカニズムは、圧縮状態に留まる。
【０３４３】
ロックメカニズムは、除去可能なモジュールがチャンネル内をスライドし続けるときに圧縮状態に留まる。しかしながら、ロックメカニズムが、チャンネルに含まれたくぼみの近く又はその下に来たとき、流れは動作９４０へと続き、ロックメカニズムは、ハウジングのくぼみへ伸張又は延長する。
【０３４４】
より詳細には、動作９４０において、ロックメカニズムの第１部分は、チャンネルのくぼみに整列し且つそれに係合する。ある実施形態では、ロックメカニズムの第１組のスプリング素子メカニズムが伸張する。第１組のスプリング素子又はメカニズムが伸張すると、くぼみに向かう方向に第１部分を移動させる。ロックメカニズムの第１部分がくぼみ内にあるとき、除去可能なモジュールは、チャンネル内に位置がロックされる。ロックメカニズムの第１部分は、伸張状態（例えば、ロックメカニズムの第１部分の一部分が除去可能なモジュールを越えて延びる状態）にあるが、ロックメカニズムの第２部分は、ハウジングのチャンネルとの接触を続けるために収縮又は引っ込んだ状態に留まる。
【０３４５】
ある実施形態では、除去可能なモジュールは、第１部分がハウジングのチャンネルのくぼみに対して解離又は解除されるまでハウジングに対して保持又はロックされる。それによりハウジングに対して除去可能なモジュールが係合する結果、装置のハウジングと、バンド、ストラップ又は他の取り付け付属品のような付属品との間にセキュアな接続が得られる。
【０３４６】
図２０は、本開示の１つ以上の実施形態により消費者向け製品のハウジング又はコンポーネントから除去可能なモジュールを除去する規範的プロセス１０００を示す。このプロセス１０００は、ここに述べる種々のチャンネルから種々の除去可能なモジュールを除去するのに使用される。例えば、プロセス１０００は、図７Ａ−図９Ｃに示して述べた除去可能なモジュール２０５のロックメカニズムを、図１０Ａ−図１２Ｂに示して述べたハウジング３００のチャンネル３１５から解離するのに使用される。特定の除去可能なモジュール及びチャンネルについて述べるが、プロセス１０００又はその一部分は、ここに述べる除去可能なモジュールを、ここに述べるチャンネル、コンポーネント、孔、ハウジング、等から除去するのに使用される。
【０３４７】
動作１０１０において、消費者向け製品のハウジングの解除メカニズムが作動される。この解除メカニズムは、例えば、指又はツールのような物体を使用して解除メカニズムの作動部又は第１部分に力を加えることにより作動される。ある実施形態では、解除メカニズムの第１部分が作動されたとき、解除メカニズムのスプリングメカニズムが圧縮し、そして解除メカニズムの第１部分をハウジングの開口内で移動できるようにする。ある実施形態では、解除メカニズムの第１部分は、これ以前の図面について述べた作動部又はボタン部分に対応する。又、第１部分を作動すると、解除メカニズムの第２部分がハウジングのチャンネルのくぼみの第１位置からチャンネルのくぼみ内の第２位置へ移動される。ある実施形態では、解除メカニズムの第２部分は、これ以前の図面について上述したプランジャー部分に対応する。
【０３４８】
動作１０２０において、解除メカニズムを移動すると、解除メカニズムの第２部分が除去可能なモジュールのロックメカニズムの第１部分をくぼみから追放させる。上述したように、解除メカニズムの第２部分は、ロックメカニズムの第１部分を、除去可能なモジュールの表面と平らに又はほぼ平らになるように押圧し、ロックメカニズムをハウジングから解離させる。
【０３４９】
ロックメカニズムの第１部分がくぼみから追放されると、動作１０３０において、除去可能なモジュールに力が加えられ、除去可能なモジュールをチャンネル内で移動させる。例えば、解除メカニズムの第１部分が作動されると、解除メカニズムのスプリング素子又はメカニズムが圧縮して、第１部分をハウジング内で移動することができる。又、解除メカニズムの第１部分を作動すると、解除メカニズムの第２部分が、くぼみの第１位置からくぼみの第２位置へ移動させられる。解除メカニズムの第２部分が第１位置から第２位置へ移動するとき、解除メカニズムの第２部分は、ロックメカニズムのスプリング素子又はメカニズムを圧縮させる。この圧縮の結果、ロックメカニズムの第１部分がくぼみから除去される。ロックメカニズムの第１部分がくぼみから除去されると、除去可能なモジュールは、加えた力の方向にチャンネル内を移動する。
【０３５０】
動作１０４０において、除去可能なモジュールは、チャンネルから除去され、そして除去可能なモジュールのロックメカニズムの第２部分が伸張する。ある実施形態では、ロックメカニズムの第２部分が消費者向け製品のハウジングのチャンネルから除去されたときに、第２のスプリング素子又はメカニズムは、ロックメカニズムの第２部分を除去可能なモジュールに対して盛り上がるようにバイアスさせつつ、ロックメカニズムの第１部分を除去可能なモジュールに対して平らに又は実質的に平らになるようにバイアスさせる。
【０３５１】
プロセス１０００の結果、バンド、ストラップ、又は他の取り付け付属品が装置のハウジングから取り外される。ある実施形態では、プロセス１０００は、第１形式のバンド、ストラップ又は他の取り付け付属品を取り外すのに使用され、そして方法９００は、異なる第２形式のバンド、ストラップ又は他の取り付け付属品を取り付けるのに使用される。ある実施形態では、ここに述べる取り付けシステム及び方法は、消費者向け製品に取り付けできるコンポーネント及び付属品の交換システムを形成するのに使用される。交換可能なコンポーネント又は付属品は、消費者向け製品の機能及び／又は見掛けを変更し、従って、特定の消費者向け製品の応用性又は用途を広げることができる。
【０３５２】
図２１は、本開示の１つ以上の実施形態による消費者向け製品１１００のハードウェアコンポーネントのような規範的コンポーネントを示すブロック図である。消費者向け製品１１００は、上述した消費者向け製品１０４と同様である。消費者向け製品１１００の種々のコンポーネントが示されているが、各コンポーネント間の接続及び通信チャンネルは、明瞭化のために省略されている。
【０３５３】
基本的な構成において、消費者向け製品１１００は、少なくとも１つのプロセッサ１１０５又は処理ユニットと、メモリ１１１０とを備えている。メモリ１１１０は、ランダムアクセスメモリのような揮発性ストレージ、リードオンリメモリのような不揮発性ストレージ、フラッシュメモリ、又はその組み合わせを含むが、これに限定されない。メモリ１１１０は、オペレーティングシステム１１１５と、ソフトウェアアプリケーション１１５５を実行するのに適した１つ以上のプログラムモジュール１１２０とを記憶する。オペレーティングシステム１１１５は、消費者向け製品１１００を制御するように構成され、及び／又は１つ以上のソフトウェアアプリケーション１１５５は、オペレーティングシステム１１１５により実行される。ソフトウェアアプリケーション１１５５は、ブラウザアプリケーション、ｅ−メールアプリケーション、カレンダーアプリケーション、契約マネージャーアプリケーション、メッセージアプリケーション、ゲーム、メディアプレーヤアプリケーション、タイムキーピングアプリケーション、等を含む。
【０３５４】
消費者向け製品１１００は、ここに明確に述べるもの以外の付加的な特徴又は機能を有する。例えば、消費者向け製品１１００は、除去可能なストレージ装置１１２５及び除去不能なストレージ装置１１３０のような付加的なデータストレージ装置も備えている。そのようなストレージ装置は、例えば、磁気ディスク、光学ディスク、又はテープを含む。
【０３５５】
又、図２１に示すように、消費者向け製品１１００は、１つ以上の入力装置１１３５を備えている。この入力装置１１３５は、キーボード、マウス、ペン又はスタイラス、サウンド入力装置、タッチ入力装置、等を含む。又、消費者向け製品１１００は、１つ以上の出力装置１１４０も備えている。この出力装置１１４０は、ディスプレイ、１つ以上のスピーカ、等を含む。又、消費者向け製品１１００は、触覚フィードバックを与えるのに使用される１つ以上の触覚アクチュエータ１１６０も備えている。ある実施形態では、消費者向け製品１１００は、１つ以上のセンサ１１６５も備えている。これらセンサは、加速度計、周囲光センサ、ジャイロスコープ、磁力計、及び他の形式のセンサを含むが、これに限定されない。
【０３５６】
又、消費者向け製品１１００は、付加的なコンピューティング装置１１５０との通信を容易にする通信接続１１４５も備えている。そのような通信接続１１４５は、ＲＦ送信器、受信器、及び／又はトランシーバ回路、ユニバーサルシリアルバス（ＵＳＢ）通信、パラレルポート及び／又はシリアルポートを含む。
【０３５７】
ここで使用する「コンピュータ読み取り可能な媒体」という語は、コンピュータストレージ媒体を含む。コンピュータストレージ媒体は、情報を記憶する方法又はテクノロジーで実施される揮発性又は不揮発性媒体及び／又は除去可能な及び除去不能な媒体を含む。例えば、コンピュータ読み取り可能なインストラクション、データ構造又はプログラムモジュールが含まれる。メモリ１１１０、除去可能なストレージ装置１１２５及び除去不能なストレージ装置１１３０は、全て、コンピュータストレージ媒体の例である。コンピュータストレージ媒体は、ＲＡＭ、ＲＯＭ、電気的に消去可能なリードオンリメモリ（ＥＥＰＲＯＭ）、フラッシュメモリ又は他のメモリテクノロジー、ＣＤ−ＲＯＭ、デジタル多様性ディスク（ＤＶＤ）又は他の光学的ストレージ、磁気カセット、磁気テープ、磁気ディスクストレージ又は他の磁気ストレージ装置、或いは情報記憶に使用でき且つ消費者向け製品１１００によりアクセスできる他の製造物品を含む。
【０３５８】
又、消費者向け製品１１００は、消費者向け製品１１００に存在するアプリケーション又はデータを別のコンピュータ又は装置と同期させるように構成された同期アプリケーション又はモジュール（図示せず）も含む。
【０３５９】
又、消費者向け製品１１００は、図示された各コンポーネントへ電力を供給するバッテリ、太陽電池、等の電源も備えている。又、電源は、ＡＣアダプタのような外部電源、或いはバッテリを補充又は再充電する他のそのようなコネクタも含む。又、消費者向け製品１１００は、高周波通信を送信及び受信する機能を遂行する無線部も備えている。更に、無線部により受信された通信は、アプリケーションプログラムへと広められる。同様に、アプリケーションプログラムからの通信も、必要に応じて、無線部へと広められる。
【０３６０】
消費者向け製品１１００は、ビジュアルインジケータ、キーパッド及びディスプレイも備えている。これら実施形態において、キーパッドは、タッチスクリーンディスプレイ上に形成される物理的キーパッド又はバーチャルキーパッドである。ビジュアルインジケータは、視覚通知を消費者向け製品のユーザに与えるのに使用される。又、消費者向け製品１１００は、聴覚通知及び警報を発生するためのオーディオインターフェイスも備えている。
【０３６１】
ある実施形態では、ビジュアルインジケータは、発光ダイオード（ＬＥＤ）又は他のそのような光源であり、そしてオーディオインターフェイスは、スピーカである。ある実施形態では、オーディオインターフェイスは、オーディオ入力を受信するよう構成される。
【０３６２】
又、オーディオインターフェイスは、消費者向け製品１１００のユーザにオーディオ信号を与えそしてそこからオーディオ信号を受信するのに使用される。例えば、オーディオ入力を受信するのにマイクロホンが使用される。システムは、更に、搭載カメラを動作して静止画像、ビデオ、等を記録できるようにするビデオインターフェイスも備えている。
【０３６３】
１つ以上の実施形態において、消費者向け製品によって発生又は捕獲されたデータ及び情報は、ローカルに記憶される。それに加えて又はそれとは別に、消費者向け製品とリモートコンピューティング装置との間で無線、ワイヤード接続又はワイヤレス接続を使用して消費者向け製品によりアクセスされるいかなる数のストレージ媒体にもデータを記憶することができる。更に、コンピューティング装置間でデータ及び情報を容易に転送することができる。
【０３６４】
図２２Ａ−２２Ｆは、ここに述べる種々の取り付けシステムに使用される種々の除去可能なモジュール及び取り付けられる付属品を示す。図２２Ａ−２２Ｆに示す各除去可能なモジュールは、上述した種々の除去可能なモジュールと同等である。例えば、図２２Ａ−２２Ｆに示す除去可能なモジュールは、図７Ａ−７Ｂに示して説明した除去可能なモジュール２０５と同様である。これらの図面に示して述べた種々の除去可能なモジュールは、種々の仕方でバンド又は他の付属品とインターフェイスするが、除去可能なモジュールの機能は、同じままである。例えば、各除去可能なモジュールのロックメカニズムは、もし存在すれば、上述したチャンネルのくぼみ内に受け入れるように構成される。更に、摩擦パッドも、同じ機能を与える、等々である。
【０３６５】
図２２Ａは、除去可能なモジュール及び／又は除去可能なモジュールのコンポーネントがバンド１２１０と一体化された規範的な除去可能なモジュール１２００を示す。より詳細には、除去可能なモジュール１２００は、除去可能なモジュール１２００の種々のコンポーネント（例えば、ロックメカニズム、摩擦パッド、等）に加えて、バンド１２１０それ自体に形成されるか、或いはバンド１２１０から突出される。別の実施形態では、バンド１２１０は、種々のコンポーネントがバンド１２１０を通して突出するか、さもなければ、それを通してアクセスできるように、除去可能なモジュール１２００にオーバーモールドされる。
【０３６６】
図２２Ｂは、取り付けシステムの除去可能なモジュール１２００がバンド１２００に結合された別の実施形態を示す。この実施形態では、バンド１２２０は、例えば、金属メッシュのような材料である。金属メッシュについて特に述べるが、他の材料を使用することができる。例えば、バンド１２２０は、織られた繊維又は他のそのような材料で作られる。ある実施形態では、除去可能なモジュール１２００は、バンド１２２０に直結される。別の実施形態では、バンド１２２０を除去可能なモジュール１２００に固定するのにピン又は他の接続メカニズムが使用される。
【０３６７】
図２２Ｃは、取り付けシステムの除去可能なモジュール１２００の別の実施形態を示す。図２２Ｃに示す実施形態では、バー１２３０が除去可能なモジュール１２００と一体化され、バー１２３０及び除去可能なモジュール１２００が単一の一体的コンポーネントを形成する。従って、バンド、物体又は別の付属品は、バー１２３０と除去可能なモジュール１２００との間に形成された開口に通され、織られ、さもなければ、そこに挿入される。別の実施形態では、バンド又は他のそのような付属品は、バー１２３０に除去可能に結合（例えば、クリップ、スナップ、等）される。他の実施形態では、バンド又は他の付属品は、バー１２３０にオーバーモールドされる。
【０３６８】
図２２Ｄは、除去可能なモジュール１２００が、複数のリンクより成るバンド１２４０に結合されるか、さもなければ、それを含む取り付けシステムの更に別の規範的な除去可能なモジュール１２００を示す。より詳細には、バンド１２４０は、互いに取り付けたり取り外したりできる多数のリンクより成る。ある実施形態では、リンクの１つが除去可能なモジュール１２００である。別の実施形態では、バンド１２４０又はバンド１２４０のリンクの１つが、ピン又は他のそのような固定メカニズムを使用して、除去可能なモジュール１２００に結合される。
【０３６９】
図２２Ｅは、取り付けシステムの規範的な除去可能なモジュール１２００及びその関連バンド１２５０を示す。この特定の例では、除去可能なモジュール１２００、又は除去可能なモジュール１２００の一部分は、バンド１２５０と一体化される。より詳細には、除去可能なモジュール１２００の１つ以上のコンポーネント（例えば、摩擦パッド、ロックメカニズム、等）は、バンド１２５０に結合される。別の実施形態では、除去可能なモジュール１２００の本体部分は、バンド１２５０の一部分によってカバーされるが、コンポーネントは、露出されたままである。バンド１２５０は、革バンド、シリコンバンド、プラスチックバンド、等である。
【０３７０】
図２２Ｆは、バンド１２６０及び除去可能なモジュール１２００の両方に結合されたブラケット１２７０を備えた取り付けシステムの除去可能なモジュール１２００の一実施形態を示す。ある実施形態では、バンド１２６０は、ブラケット１２７０にオーバーモールドされる。別の実施形態では、バンド１２６０は、ブラケット１２７０が挿入される開口、ホール又は他の孔を含む。ある実施形態では、以下に述べるように、ブラケット１２７０は、バンド１２６０をブラケット１２７０及び除去可能なモジュール１２００に固定したりそこから除去したりするために互いに結合されたり互いに減結合されたりする２つの個別の部片より成る。更に、ブラケット１２７０の各部片は、除去可能なモジュール１２００に除去可能に結合される。
【０３７１】
上述した各例において、除去可能なモジュール１２００は、種々のバンドと一体的であるか又は種々のバンドに結合されるかに関わらず、上述したような消費者向け製品のハウジングのチャンネルに挿入される。更に、各バンドは、異なる材料で形成されてもよいし、又は異なる構成を使用して作られてもよい。
【０３７２】
例えば、バンド１２６０は、糸又は繊維材料のパターンから構成される織物から形成される。織物材料は、天然繊維、合成繊維、金属繊維、延性金属又は合金、等を含めて種々の材料を含む。又、バンドは、織られた材料から形成されてもよいし、或いは１つ以上の横糸繊維又は糸と相互に編まれた縦糸繊維又は糸の配列から構成されてもよい。同様に、縦糸及び横糸繊維は、天然繊維、合成繊維、金属繊維、等を含めて、種々の材料を含む。
【０３７３】
別の実施形態では、バンドは、皮革材料、例えば、牛革、又は他のタイプの獣皮のシート又は片から形成される。又、皮革材料は、合成皮革材料、例えば、ビニール又はプラスチックも含む。更に別の実施形態では、バンドは、金属メッシュ又はリンク構造物から形成される。例えば、バンド１２２０は、ミラノメッシュ又は他の同様のタイプの構造から形成される。又、バンドは、シリコン又は他のエラストマ材料から形成される。
【０３７４】
あるケースでは、バンドは、最終的使用又は用途に基づいて選択される種々の材料を含む複合構造である。ある実施形態では、第１のバンドストラップ、又は第１のバンドストラップの第１部分は、第１の材料及び第２のバンドストラップで作られ、或いは第２のバンドストラップの第２部分は、第２の異なる材料で作られる。又、バンドは、複数のリンクで作られてもよく、従って、バンドは、例えば、リンクを追加又は除去することでリサイズすることができる。
【０３７５】
上述したように、除去可能なモジュール及びバンドの各組み合わせは、交換可能なものであり、装置を個々にカスタマイズできるようにするか、又は装置をある範囲の使用又は用途に良好に適応できるようにする。ある場合に、選択されてインストールされるバンドのタイプは、特定ユーザの活動を容易にすることができる。例えば、織物材料から形成されて耐久性の留め具を含むバンドは、運動又は屋外活動に特に良く適している。或いは、金属材料から形成されて薄い又は低背の留め具を含むバンドは、より正式な又はファッションに焦点を置いた活動に良く適している。
【０３７６】
ある実施形態では、バンドは、ピン、ホール、接着材、スクリュー、等を使用して、除去可能なモジュール１２００に結合される。更に別の実施形態では、バンドは、コンポーネントの少なくとも一部分が、例えば、上述したバー１２３０のような嵌合特徴部を有するようにして、共通モールド又はオーバーモールドされる。ある実施形態では、バンドは、コンポーネントに対してストラップを回転するのを許すピンを経てコンポーネントに結合される。ピンは、バンドの端に形成されたループに配置されるか又はそれと一体的に形成される。
【０３７７】
ある実施形態では、各バンドは、バンド留め具を有する。例えば、留め具は、バックル又は突起物アッセンブリを有する第１のバンドストラップを備え、これは、一連の孔又はホールが形成された第２のバンドストラップとインターフェイスするように構成される。それに加えて、又はそれとは別に、バンドは、第１のバンドストラップに１つ以上の磁気素子を有する磁気留め具を備え、これは、第２のバンドストラップの１つ以上の磁気又は強磁性素子に嵌合するように構成される。
【０３７８】
図２３は、本開示の１つ以上の実施形態による１つの規範的取り付けシステムの除去可能なモジュール１３００の分解図である。この除去可能なモジュール１３００は、図２２Ｆに示して述べた除去可能なモジュール１２００と同様である。
【０３７９】
除去可能なモジュール１３００は、ここに述べた他の実施形態について上述したのと同様の形状、コンポーネント及び寸法を有する本体１３１０を備えている。従って、除去可能なモジュールは、１つ以上の摩擦パッド、ロックメカニズム、等を備え、そして電子、電気機械的又は機械的装置のチャンネルに受け入れられる。
【０３８０】
又、除去可能なモジュール１３００は、第１区分１３２０及び第２区分１３３０から形成されたブラケットも備えている。図２３に示すように、第１区分１３２０及び第２区分１３３０の各々は、“Ｌ”字型であるが、他の形状及び構成も考えられる。
【０３８１】
より詳細には、第１区分１３２０は、第１突起が第２突起にある半径角度で接続されたものを含む。第２突起は、そこから延びる雄型隆起を含む。同様に、第２区分１３３０も、第１突起が第２突起にある半径角度で接続されたものを含む。第２区分１３３０の第２突起は、第１区分１３２０の雄型隆起を受け入れるように構成された雌型リセプタクルを含む。
【０３８２】
より詳細には、第１区分１３２０の雄型隆起は、第２区分１３３０の雌型リセプタクルにぴったり挿入されるか、さもなければ、受け入れられるように構成される。これは、第１区分１３２０及び第２区分１３３０を一緒に接合して、単一の一体的部片を形成できるようにする。更に、第１区分１３２０及び第２区分１３３０の各々は、バンド又は他のそのような付属品の孔に挿入される。バンド又は付属品の孔に挿入されると、第１区分１３２０の雄型部分は、第２区分１３３０の雌型部分に受け入れられ、これは、バンド又は付属品をブラケットに固定し、ブラケットは、その後、除去可能なモジュール１３００に結合される。
【０３８３】
別の実施形態では、第１区分１３２０は、第２区分１３３０に接合されるか、さもなければ、結合され、そしてバンド又は付属品は、それにより出来たブラケットに結合される。ブラケット及びバンドの組み合わせは、次いで、本体１３１０に結合される。
【０３８４】
除去可能なモジュール１３００の本体１３１０は、孔１３４０も画成する。孔１３４０は、第１区分１３２０及び第２区分１３３０の端部（例えば、雄型隆起及び雌型リセプタクルを含まない端部）を受け入れるように構成される。例えば、第１の孔は、第１区分１３２０の遠方端を受け入れるように構成され、そして第２の孔は、第２区分１３３０の遠方端を受け入れるように構成される。
【０３８５】
次いで、１つ以上のボルト、スクリュー１３５０、又は他の適当な固定メカニズムが孔１３４０に挿入される。スクリュー１３５０は、ブラケットの第１区分１３２０及びブラケットの第２区分１３３０を本体１３１０に固定する。ブラケットの第１区分１３２０及び第２区分１３３０をこのように本体に固定することで、バンド又は付属品を除去可能なモジュール１３００に固定すると共に、第１区分１３２０を第２区分１３３０に固定することもできる。
【０３８６】
ブラケットを本体１３１０から除去するために（例えば、除去可能なモジュール１３００に結合されたバンド又は付属品を取り替えるために）、スクリュー１３５０が第１区分１３２０及び第２区分１３３０から除去される。第１区分１３２０は、第２区分１３３０から切り離され、そしてバンド又は付属品が除去される。
【０３８７】
図２４−図３１は、本開示の１つ以上の実施形態による取り付けシステムの除去可能なモジュール１４００の種々の図である。より詳細には、図２４は、除去可能なモジュール１４００の底面の斜視図であり、図２５は、除去可能なモジュール１４００の頂面の斜視図であり、図２６は、除去可能なモジュール１４００の底面の上面図であり、図２７は、除去可能なモジュール１４００の頂面の上面図であり、図２８及び２９は、除去可能なモジュール１４００の左及び右の側面図であり、図３０は、除去可能なモジュール１４００の前面図であり、そして図３１は、除去可能なモジュール１４００の背面図である。これら図面は、各々、除去可能なモジュール１４００の種々の図であるから、図２４−図３１の全体を通して同じ参照番号が使用される。ある実施形態では、これらの図面について述べる除去可能なモジュール１４００は、ここに述べた種々の除去可能なモジュールと同様である。従って、除去可能なモジュール１４００は、上述した多数の寸法、特徴部、及びコンポーネントを含む。
【０３８８】
図２４を参照すれば、除去可能なモジュール１４００は、丸み付けされた本体１４０５と、この本体１４０５から延びる１つ以上のアーム１４１０とを備えている。本体１４０５のこの形状は、図２８及び２９に示すような涙の形状をしている。本体１４０５は、上述したロックメカニズムを含む。ロックメカニズムは、除去可能なモジュール１４００の底面から突出するように構成された傾斜部１４１５を含む。従って、除去可能なモジュール１４００が消費者向け製品のチャンネル又は溝に挿入されるときには、ロックメカニズムが、上述したように作動される。
【０３８９】
更に、除去可能なモジュール１４００、１つ以上の摩擦パッド１４２０を含む。これら摩擦パッド１４２０は、本体１４０５の底面と、本体１４０５の頂面との両方に位置される（図２５に示す）。更に、摩擦パッド１４２０は、ロックメカニズムの各側に位置される。図２８−図３１に示すように、摩擦パッド１４２０は、本体１４０５の底面及び本体１４０５の頂面の両方から突出する。摩擦パッド１４２０を図示して説明するが、ある実施形態では、摩擦パッドを除去可能なモジュール１４００から除外して、片側に位置してもよい。
【０３９０】
除去可能なモジュール１４００の本体１４０５は、本体１４０５から延びるアーム１４１０を備えている。除去可能なモジュール１４００のアーム１４１０は、その一端における狭い巾でスタートし、そしてアーム１４１０が除去可能なモジュール１４００の本体１４０５に近付くにつれて巾が広くなる。即ち、アーム１４１０は、近方端では巾が狭く、そしてアーム１４１０が本体１４０５と一体化されるとき巾が広くなる。各アーム１４１０は、除去可能なモジュールの外側に沿って延びて除去可能なモジュール１４００の巾を形成する側壁を含む。
【０３９１】
各アーム１４１０の側壁は、図２４及び図２６に示すような角度にされ及び／又はテーパが付けられる。より詳細には、図２４、図２６及び図３０に示すように、各アーム１４１０の側壁は、本体１４０５の頂面から本体１４０５の底面に向かって角度が付けられ又は傾斜される。又、本体は、本体１４０５の頂面から本体１４０５の底面へ移行し、さもなければ、それらを接続する丸み付けされた縁も含む。
【０３９２】
ピン１４２５は、除去可能なモジュール１４００のアーム１４１０間に固定される。上述したように、ピンは、アーム１４１０内の１つ以上のくぼみに除去可能に受け入れられる。別の実施形態では、ピン１４２５は、アーム１４１０に直結されて、一体的部片を形成する。あるケースでは、ピン１４２５は、除去可能なモジュールのアーム又は本体１４０５にねじ込まれる。又、ピン１４２５は、一緒に結合される２つ以上の個別部片で形成される。ピン１４２５は、バンド、ストラップ、又は他の物体／付属品を除去可能なモジュール１４００に固定するのに使用される。
【０３９３】
図２５は、除去可能なモジュール１４００の本体１４０５の頂面を示す。上述したように、本体１４０５の頂面は、ロックメカニズムの一部分を含む。より詳細には、ロックメカニズムのキャッチ部材１４３０が本体１４０５の頂面に配置されて、ロックメカニズムがその完全に延びた状態にあるときキャッチ部材１４３０が本体１４０５に対して平らに又は実質的に平らになるようにする。キャッチ部材１４３０の位置は、更に、図３０及び３１にも示されている。
【０３９４】
以上の記載は、説明上、ここに述べる実施形態を完全に理解するため特定の術語を使用した。しかしながら、当業者であれば、ここに述べる実施形態を具現化するのに、特定の詳細は必要とされないことが明らかであろう。従って、特定の実施形態の以上の説明は、例示及び説明のために表現されたものである。それらは、余すところのないものであることを目標とするものでもないし、又はここに開示した正確な形態に実施形態を限定するものでもない。当業者であれば、以上の教示に鑑み、多数の変更や修正が考えられることが明らかであろう。
【０３９５】
更に、図示してここに述べた特徴がある組み合わせで示されて説明されたか、又は個別に示されて説明されたかに関わらず、構造上の特徴及び方法論的な特徴を含む種々の特徴は、特定の１組の特徴を伴う実施形態を形成するように選択的に含まれても又は省かれてもよいことが意図される。更に、上述した方向及び向きは、逆転されてもよい。例えば、１つの実施形態における頂部又は頂面は、別の実施形態における底部又は底面であってもよい。同様に、１つの実施形態における底部又は底面は、別の実施形態における頂面又は頂部であってもよい。以上、本考案を図示して説明したが、当業者であれば、請求項に述べる実施形態の広い範囲から逸脱せず、ここに述べた実施形態の広い観点の精神の中に包含される変更、修正及び別の実施形態が想像できるであろう。
【０３９６】
更に、本開示の実施形態は、方法、等のブロック図及び動作図を参照して上述された。ここに述べた動作は、図示された順序から外れて行われてもよい。更に、１つ以上の動作が除去されてもよいし、又は実質的に同時に実行されてもよい。例えば、次々に示された２つのブロックは、実質的に同時に実行されてもよい。更に、それらブロックは、逆の順序で実行されてもよい。
【符号の説明】
【０３９７】
１００：取り付けシステム
１０２：除去可能なモジュール
１０４：消費者向け製品
１０６：ハウジング
１０８：本体
１１０：チャンネル
１１２：近方端
１１４：遠方端
１１６：開口又はくぼみ
１１８：キャッチ部材
１２０：解除メカニズム
１２２：突起
１２８：最大巾
１２９：開口巾
１３０：除去可能なモジュール
１３２：キャッチ部材
１３４：傾斜部材
１３６：スプリング素子
１４０：解除メカニズム
１４２：くぼみ
１４４：チャンネル
１４６：取り付けシステム
１５０：消費者向け製品
１５２：除去可能なモジュール
１５４：ハウジング
１５６：チャンネル
１５８：付属品
１６０：ディスプレイ
１６２：ボタン
１６４：王冠
１６６、１６８：バンドストラップ
１７０：留め具
１７２：底面
１７４：解除メカニズム
２００：取り付けシステム
２０５：除去可能なモジュール
２１０：本体
２１３：アーム
２２０：キャッチ部材
２３０：孔
２３５：傾斜部
２４０：突起
２４５：フランジ
２５０：第１組のスプリングメカニズム
２５５：第２組のスプリングメカニズム
２６０：摩擦パッド
２６５：係合特徴部
３００：ハウジング
３１０：外面
３１５：チャンネル
３２０：開口
３２１：外側張出部
３２５：くぼみ
３３０：ボタン部分
３４０：スプリングメカニズム
３４５：プランジャー
５００：除去可能なモジュール
５１０：本体
５１３：アーム
５１５：開口
５２０：キャッチ部材
５３０：スプリングメカニズム
５４０：摩擦パッド
５５０：係合特徴部
６００：ハウジング
６１５：チャンネル
６２５：くぼみ
７００：除去可能なモジュール
７１０：本体
７１５：アーム
７２０：摩擦パッド
７３０：係合特徴部
８００：ハウジング
８１５：チャンネル
１２００：除去可能なモジュール
１２１０、１２４０、１２５０、１２６０：バンド
１２３０：バー
１２７０：ブラケット
１３００：除去可能なモジュール
１３２０：第１区分
１３３０：第２区分
１３１０：本体
１３４０：孔
１３５０：スクリュー
１４００：除去可能なモジュール
１４０５：本体
１４１０：アーム
１４１５：傾斜部
１４２０：摩擦パッド
１４２５：ピン
１４３０：キャッチ部材
【図１Ａ】
0003203984.tif 000003
【図１Ｂ】
0003203984.tif 000004
【図１Ｃ】
0003203984.tif 000005
【図２Ａ】
0003203984.tif 000006
【図２Ｂ】
0003203984.tif 000007
【図２Ｃ】
0003203984.tif 000008
【図２Ｄ】
0003203984.tif 000009
【図２Ｅ】
0003203984.tif 000010
【図２Ｆ】
0003203984.tif 000011
【図３Ａ】
0003203984.tif 000012
【図３Ｂ】
0003203984.tif 000013
【図３Ｃ】
0003203984.tif 000014
【図３Ｄ】
0003203984.tif 000015
【図３Ｅ】
0003203984.tif 000016
【図４Ａ】
0003203984.tif 000017
【図４Ｂ】
0003203984.tif 000018
【図４Ｃ】
0003203984.tif 000019
【図４Ｄ】
0003203984.tif 000020
【図５Ａ】
0003203984.tif 000021
【図５Ｂ】
0003203984.tif 000022
【図５Ｃ】
0003203984.tif 000023
【図６Ａ】
0003203984.tif 000024
【図６Ｂ】
0003203984.tif 000025
【図６Ｃ】
0003203984.tif 000026
【図７Ａ】
0003203984.tif 000027
【図７Ｂ】
0003203984.tif 000028
【図８Ａ】
0003203984.tif 000029
【図８Ｂ】
0003203984.tif 000030
【図９Ａ】
0003203984.tif 000031
【図９Ｂ】
0003203984.tif 000032
【図９Ｃ】
0003203984.tif 000033
【図１０Ａ】
0003203984.tif 000034
【図１０Ｂ】
0003203984.tif 000035
【図１１Ａ】
0003203984.tif 000036
【図１１Ｂ】
0003203984.tif 000037
【図１２Ａ】
0003203984.tif 000038
【図１２Ｂ】
0003203984.tif 000039
【図１３Ａ】
0003203984.tif 000040
【図１３Ｂ】
0003203984.tif 000041
【図１３Ｃ】
0003203984.tif 000042
【図１４Ａ】
0003203984.tif 000043
【図１４Ｂ】
0003203984.tif 000044
【図１５】
0003203984.tif 000045
【図１６Ａ】
0003203984.tif 000046
【図１６Ｂ】
0003203984.tif 000047
【図１７】
0003203984.tif 000048
【図１８Ａ】
0003203984.tif 000049
【図１８Ｂ】
0003203984.tif 000050
【図１９】
0003203984.tif 000051
【図２０】
0003203984.tif 000052
【図２１】
0003203984.tif 000053
【図２２Ａ】
0003203984.tif 000054
【図２２Ｂ】
0003203984.tif 000055
【図２２Ｃ】
0003203984.tif 000056
【図２２Ｄ】
0003203984.tif 000057
【図２２Ｅ】
0003203984.tif 000058
【図２２Ｆ】
0003203984.tif 000059
【図２３】
0003203984.tif 000060
【図２４】
0003203984.tif 000061
【図２５】
0003203984.tif 000062
【図２６】
0003203984.tif 000063
【図２７】
0003203984.tif 000064
【図２８】
0003203984.tif 000065
【図２９】
0003203984.tif 000066
【図３０】
0003203984.tif 000067
【図３１】
0003203984.tif 000068
【手続補正書】
【提出日】平成28年2月29日(2016.2.29)
【手続補正１】
【補正対象書類名】実用新案登録請求の範囲
【補正対象項目名】全文
【補正方法】変更
【補正の内容】
【実用新案登録請求の範囲】
【請求項１】
消費者向け製品に付属品を固定するための除去可能なモジュールにおいて、
本体部分を備え、該本体部分は、
頂面、
底面、
頂面から底面へ移行する丸み付けされた縁、及び
本体部分により画成される孔、
を含むものであり、更に、
前記孔に配置されたロックメカニズムを備え、該ロックメカニズムは、
前記本体部分の頂面に配置されたキャッチ部材であって、前記除去可能なモジュールが消費者向け製品に対してスライドするときに第１位置から第２位置へ移動するようにされたキャッチ部材、
を含むものである、除去可能なモジュール。
【請求項２】
前記ロックメカニズムは、更に、前記本体部分の底面に配置された傾斜部を含み、前記キャッチ部材は、この傾斜部に移動可能に結合される、請求項１に記載の除去可能なモジュール。
【請求項３】
前記キャッチ部材と傾斜部との間に配置されたスプリングメカニズムを更に備えた、請求項２に記載の除去可能なモジュール。
【請求項４】
前記キャッチ部材は、前記本体部分の頂面に対して実質的に平らであり、そして前記傾斜部は、前記キャッチ部材が第１位置にあるとき前記本体部分の底面から突出する、請求項２に記載の除去可能なモジュール。
【請求項５】
前記本体部分の頂面及び前記本体部分の底面の少なくとも１つに配置された１つ以上の摩擦パッドを更に備えた、請求項１に記載の除去可能なモジュール。
【請求項６】
前記付属品は、前記本体部分の少なくとも一部分に除去可能に結合される、請求項１に記載の除去可能なモジュール。
【請求項７】
前記本体部分は、前記付属品に少なくとも部分的に一体化される、請求項１に記載の除去可能なモジュール。
【請求項８】
前記本体部分は、前記付属品に嵌合するように構成されたブラケットを含む、請求項１に記載の除去可能なモジュール。
【請求項９】
前記頂面及び底面の少なくとも一方は丸み付けされる、請求項１に記載の除去可能なモジュール。
【請求項１０】
前記付属品は１つ以上の摩擦パッドを含む、請求項１に記載の除去可能なモジュール。
【請求項１１】
消費者向け製品の取り付けシステムのための除去可能なモジュールにおいて、
本体部分を備え、該本体部分は、
頂面、
底面、
頂面の第１の側と底面の第１の側との間の第１側壁、
頂面の第２の側と底面の第２の側との間の第２側壁、
を含むものであり、前記第１側壁は、第１寸法を有し、そして前記第２側壁は、その第１寸法より大きい第２寸法を有し、更に、
前記本体部分に少なくとも部分的に配置されるロックメカニズム、
を備えた除去可能なモジュール。
【請求項１２】
前記第１側壁は実質的に平坦である、請求項１１に記載の除去可能なモジュール。
【請求項１３】
前記第２側壁は、実質的に非平坦である、請求項１１に記載の除去可能なモジュール。
【請求項１４】
前記ロックメカニズムは、
前記本体部分の頂面に配置されたキャッチ部材、及び
前記本体部分の底面に配置された傾斜部材、
を備え、傾斜部材は、キャッチ部材に移動可能に結合される、請求項１１に記載の除去可能なモジュール。
【請求項１５】
前記ロックメカニズムは、更に、
前記キャッチ部材と傾斜部材との間に配置された第１のスプリングメカニズム、及び
前記キャッチ部材と傾斜部材との間に配置された第２のスプリングメカニズム、
を備えている、請求項１４に記載の除去可能なモジュール。
【請求項１６】
前記第２のスプリングメカニズムは、前記キャッチ部材の頂面を前記本体の頂面に対して実質的に平らにバイアスさせ、及び
前記第２のスプリングメカニズムは、前記傾斜部材の少なくとも一部分を前記本体の底面に対して盛り上がるようにバイアスさせる、
請求項１５に記載の除去可能なモジュール。
【請求項１７】
前記第１のスプリングメカニズムは、前記傾斜部材の作動に応答して前記キャッチ部材を前記本体の頂面から突出させる、請求項１５に記載の除去可能なモジュール。
【請求項１８】
前記除去可能なモジュールに除去可能に結合された付属品を更に備えた、請求項１１に記載の除去可能なモジュール。
【請求項１９】
前記除去可能なモジュールと一体化された付属品を更に備えた、請求項１１に記載の除去可能なモジュール。
【請求項２０】
前記頂面及び底面の少なくとも一方に配置された１つ以上の摩擦パッドを更に備えた、請求項１１に記載の除去可能なモジュール。
【請求項２１】
消費者向け製品のための取り付けシステムの除去可能なモジュールにおいて、
頂面及び底面を有する本体、
頂面及び底面を接続する丸み付けされた縁、及び
ロックメカニズム、
を備え、前記ロックメカニズムは、
実質的に平坦な頂面を有するキャッチ部材、
前記キャッチ部材に移動可能に結合された傾斜部材であって、実質的に非平坦な底面を有する傾斜部材、及び
前記キャッチ部材と傾斜部材との間に結合された第１のスプリングメカニズム、
を含むものであり、前記第１のスプリングメカニズムは、前記キャッチ部材を傾斜部材から離れるようにバイアスさせる、除去可能なモジュール。
【請求項２２】
第２のスプリングメカニズムを更に備え、該第２のスプリングメカニズムは、前記キャッチ部材の頂面を前記本体の頂面に対して実質的に平らになるようにさせ、且つ前記傾斜部材の底面を前記本体の底面から突出させる、請求項２１に記載の除去可能なモジュール。
【請求項２３】
前記傾斜部材は、前記キャッチ部材の１つ以上の側壁に配置された対応孔に嵌合される１つ以上の突起を含む、請求項２１に記載の除去可能なモジュール。
【請求項２４】
前記傾斜部材は、前記傾斜部材とキャッチ部材との間に前記第１のスプリングメカニズムを固定する１つ以上の隆起部を含む、請求項２１に記載の除去可能なモジュール。
【請求項２５】
前記本体の頂面及び前記本体の底面の少なくとも一方に配置された１つ以上の摩擦パッドを更に備えた、請求項２１に記載の除去可能なモジュール。
【請求項２６】
前記キャッチ部材は、前記頂面の周りに少なくとも部分的に配置された面取りされた縁を含む、請求項２１に記載の除去可能なモジュール。
【請求項２７】
前記第１のスプリングメカニズムは、前記傾斜部材の作動に応答して、前記キャッチ部材の頂面が前記除去可能なモジュールの本体に対して実質的に平らになる第１位置から、前記キャッチ部材の頂面が前記除去可能なモジュールの本体から突出する第２位置へ前記キャッチ部材を移動させる、請求項２１に記載の除去可能なモジュール。
【請求項２８】
前記キャッチ部材は、前記第２位置にあるとき前記取り付けシステム内のくぼみに受け入れられるように構成される、請求項２７に記載の除去可能なモジュール。
【請求項２９】
前記本体は、そこから延びる１つ以上のアームを含む、請求項２１に記載の除去可能なモジュール。
【請求項３０】
前記本体の巾は、第１の側から第２の側へ増加する、請求項２１に記載の除去可能なモジュール。